(57)【要約】  患者インターフェースは、患者インターフェースチャンバを少なくとも部分的に画定するプレナムチャンバと、患者の顔領域とシールを形成するように構築および配置されたシール形成構造と、少なくとも１つの導管と、少なくとも１つの導管をプレナムチャンバに空気圧的に接続させて患者による呼吸のために患者インターフェースチャンバへ治療圧力における空気流れを提供するように構成された少なくとも１つの導管コネクタと、シール形成構造を患者頭部上に保持するための力を提供し、少なくとも１つのタイを含む、位置決めおよび安定化構造とを含む得、少なくとも１つの導管コネクタは、加圧空気流れが無い場合に患者が自身の口腔を通じて雰囲気から呼吸することを可能にするように構成された窒息防止弁を含む。
2021506463.tif 000002
【特許請求の範囲】
【請求項１】
患者インターフェースであって、
周囲空気圧力を超える少なくとも６ｃｍＨ２Ｏの治療圧力まで加圧可能な患者インターフェースチャンバを少なくとも部分的に形成するプレナムチャンバであって、前記プレナムチャンバは、第１のプレナムチャンバ孔と第２のプレナムチャンバ孔とを含み、前記第１のプレナムチャンバ孔および前記第２のプレナムチャンバ孔はそれぞれ、患者による呼吸のために治療圧力における空気流れを受容するようなサイズおよび構造にされた、プレナムチャンバと、
患者の気道への入口を包囲する患者の顔領域に対してシールを形成するように構築および配置されたシール形成構造であって、前記シール形成構造は、少なくとも１つの孔を内部に有することにより、前記治療圧力における空気流れが少なくとも患者の鼻孔への入口に送達されるようにし、前記シール形成構造は、使用時において患者の呼吸サイクル全体において前記治療圧力を患者インターフェースチャンバ内に維持するように構築および配置される、シール形成構造と、
それぞれが、患者による呼吸のために前記治療圧力における空気流れを受容するようなサイズおよび構造にされた第１の導管および第２の導管と、
第１の導管を第１のプレナムチャンバ孔に空気圧的に接続させて患者による呼吸のために前記患者インターフェースチャンバへ前記治療圧力における空気流れを提供するように構成された第１の導管コネクタ、および、第２の導管を第２のプレナムチャンバ孔に空気圧的に接続させて患者による呼吸のために前記患者インターフェースチャンバへ前記治療圧力における空気流れを提供するように構成された第２の導管コネクタと、
前記シール形成構造を患者頭部上の治療的に有効な位置に保持するための力を提供する位置決めおよび安定化構造であって、前記位置決めおよび安定化構造は、少なくとも１つのタイを含む、位置決めおよび安定化構造とを含み、
前記第１の導管コネクタおよび前記第２の導管コネクタはそれぞれ、前記第１のプレナムチャンバ孔および前記第２のプレナムチャンバ孔を通じた加圧空気流れが無い場合に患者が自身の口腔を通じて雰囲気から呼吸することを可能にするように構成された窒息防止弁を含む、患者インターフェース。
【請求項２】
前記第１の導管コネクタおよび前記第２の導管コネクタのそれぞれにおける前記窒息防止弁は、窒息防止弁孔を含む、請求項１に記載の患者インターフェース。
【請求項３】
それぞれの前記窒息防止弁孔は、他の窒息防止弁孔が塞いでいる場合に患者の呼吸を可能にするような形状および寸法にされる、請求項２に記載の患者インターフェース。
【請求項４】
前記第１の導管コネクタおよび前記第２の導管コネクタのそれぞれにおける前記窒息防止弁は、窒息防止弁フラップをさらに含む、請求項２〜３のいずれか一項に記載の患者インターフェース。
【請求項５】
前記第１の導管コネクタおよび前記第２の導管コネクタのそれぞれにおける前記窒息防止弁フラップは、閉鎖位置にある前記第１の導管コネクタおよび前記第２の導管コネクタの対応するいずれかの前記窒息防止弁孔を塞ぐことにより、前記第１の導管コネクタおよび前記第２の導管コネクタの対応するいずれかを通じて移動する前記治療圧力における空気流れが、前記患者インターフェースチャンバへ方向づけられかつ患者の全体呼吸サイクルにかけて前記窒息防止弁孔を介して雰囲気へ漏れることを防止するように構成される、請求項４に記載の患者インターフェース。
【請求項６】
開放位置において、前記第１の導管コネクタおよび前記第２の導管コネクタのそれぞれにおける前記窒息防止弁フラップは、前記第１のプレナムチャンバ孔および前記第２のプレナムチャンバ孔を通じた加圧空気流れが無い場合に、前記第１の導管コネクタおよび前記第２の導管コネクタの対応するいずれかの前記窒息防止弁孔を介して患者が雰囲気から口呼吸することを可能にするように構成される、請求項４〜５のいずれか一項に記載の患者インターフェース。
【請求項７】
前記第１の導管コネクタおよび前記第２の導管コネクタのそれぞれにおける前記窒息防止弁孔は、対応する前記窒息防止弁フラップが前記窒息防止弁孔を通過することを防止する窒息防止弁孔分割器によって分割される、請求項４〜６のいずれか一項に記載の患者インターフェース。
【請求項８】
それぞれの前記窒息防止弁フラップは、前記治療圧力における空気流れの一部が雰囲気へ漏れることを許容する少なくとも１つの通気孔をさらに含む、請求項４〜７のいずれか一項に記載の患者インターフェース。
【請求項９】
前記第１の導管コネクタおよび前記第２の導管コネクタのそれぞれにおける前記窒息防止弁は、窒息防止弁フラップコネクタ孔をさらに含み、
前記第１の導管コネクタおよび前記第２の導管コネクタのそれぞれにおける前記窒息防止弁フラップは、前記窒息防止弁フラップを、前記第１の導管コネクタおよび前記第２の導管コネクタの対応するいずれかの前記窒息防止弁の前記窒息防止弁フラップコネクタ孔へ接続させる窒息防止弁フラップコネクタをさらに含む、請求項４〜８のいずれか一項に記載の患者インターフェース。
【請求項１０】
前記第１の導管コネクタおよび前記第２の導管コネクタのそれぞれにおける前記窒息防止弁は、互いに独立に作動するように構成される、請求項１〜９のいずれか一項に記載の患者インターフェース。
【請求項１１】
前記第１の導管コネクタおよび前記第２の導管コネクタのそれぞれは、前記患者インターフェースチャンバの内部から雰囲気への患者による連続的な呼気ガス流れを許容するように構成された少なくとも１つの導管コネクタ通気孔をさらに含み、前記少なくとも１つの導管コネクタ通気孔は、使用時において前記患者インターフェースチャンバ内の治療圧力を維持するようなサイズおよび形状にされる、請求項１〜１０のいずれか一項に記載の患者インターフェース。
【請求項１２】
前記第１の導管コネクタおよび前記第２の導管コネクタのそれぞれは、患者による連続的な呼気ガス流れを患者インターフェースチャンバの内部から前記少なくとも１つの導管コネクタ通気孔へ方向付けるように構成された導管コネクタ通気部入口をさらに含む、請求項１１に記載の患者インターフェース。
【請求項１３】
前記第１の導管コネクタおよび前記第２の導管コネクタのそれぞれは、患者による連続的な呼気ガス流れを少なくとも１つの導管コネクタ通気孔から雰囲気へ方向付けるように構成された導管コネクタ通気部出口をさらに含む、請求項１１〜１２のいずれか一項に記載の患者インターフェース。
【請求項１４】
前記第１の導管コネクタおよび前記第２の導管コネクタのそれぞれは、前記第１の導管コネクタおよび前記第２の導管コネクタのそれぞれを通過する前記治療圧力における空気流れが、前記少なくとも１つの導管コネクタ通気孔を介して雰囲気に直接通過することを防止する隔壁をさらに含む、請求項１１〜１３のいずれか一項に記載の患者インターフェース。
【請求項１５】
前記第１の導管コネクタおよび前記第２の導管コネクタのそれぞれは、拡散器材料が入った拡散器キャビティをさらに含む、請求項１１〜１４のいずれか一項に記載の患者インターフェース。
【請求項１６】
前記拡散器キャビティおよび前記拡散器材料は、連続的なガス流れを雰囲気へ漏れる前に拡散させるために、連続的なガス流れに対して少なくとも１つの導管コネクタ通気孔の下流に配置される、請求項１５に記載の患者インターフェース。
【請求項１７】
前記第１の導管コネクタおよび前記第２の導管コネクタのそれぞれは、拡散器キャビティ内の拡散器材料を封入する拡散器カバーをさらに含む、請求項１５〜１６のいずれか一項に記載の患者インターフェース。
【請求項１８】
前記拡散器カバーは、前記拡散器材料の除去および交換を可能にするために取り外し可能である、請求項１７に記載の患者インターフェース。
【請求項１９】
前記第１の導管コネクタおよび前記第２の導管コネクタのそれぞれは導管コネクタ通気部出口をさらに含み、前記導管コネクタ通気部出口が、連続的ガス流れの少なくとも一部が前記導管コネクタ通気出口を介して雰囲気へ漏れる前に前記拡散器材料を通過するように配置されている、請求項１５〜１８のいずれか一項に記載の患者インターフェース。
【請求項２０】
前記第１の導管コネクタおよび前記第２の導管コネクタのそれぞれは、前記第１の導管コネクタおよび前記第２の導管コネクタのそれぞれ、そして前記プレナムチャンバの一部の間の隙間を維持して連続的ガス流れが前記第１の導管コネクタおよび前記第２の導管コネクタのそれぞれから雰囲気へと漏れることを許容する導管コネクタスペーサをさらに含む、請求項１１〜１９のいずれか一項に記載の患者インターフェース。
【請求項２１】
前記プレナムチャンバは、少なくとも１つのプレナムチャンバ通気孔を含む、請求項１〜１０のいずれか一項に記載の患者インターフェース。
【請求項２２】
前記プレナムチャンバは、複数のプレナムチャンバ通気孔を含む、請求項２１に記載の患者インターフェース。
【請求項２３】
前記第１の導管コネクタおよび前記第２の導管コネクタのそれぞれは、前記第１の導管および前記第２の導管の対応するいずれかに接続するように構成された導管接続端をさらに含む、請求項１〜２２のいずれか一項に記載の患者インターフェース。
【請求項２４】
前記第１の導管コネクタおよび前記第２の導管コネクタのそれぞれは、前記第１の導管および前記第２の導管の対応するいずれかから前記治療圧力における空気流れを受容するように構成された導管コネクタ入口孔を画定する導管コネクタ端をさらに含む、請求項１〜２３のいずれか一項に記載の患者インターフェース。
【請求項２５】
前記第１の導管コネクタおよび前記第２の導管コネクタのそれぞれは、前記治療圧力における空気流れを前記患者インターフェースチャンバ内に方向付けるように構成された導管コネクタ出口孔を画定する導管コネクタ出口をさらに含む、請求項２４に記載の患者インターフェース。
【請求項２６】
それぞれの導管コネクタ端は、対応する導管コネクタ出口に対して実質的に直角に配向される、請求項２５に記載の患者インターフェース。
【請求項２７】
前記プレナムチャンバは、前記第１のプレナムチャンバ孔および前記第２のプレナムチャンバ孔の対応するいずれかにおける接続リムをさらに含み、
前記第１の導管コネクタおよび前記第２の導管コネクタは、前記第１のプレナムチャンバ孔および前記第２のプレナムチャンバ孔の対応するいずれかにおける前記接続リムに接続するように構成された少なくとも１つの導管コネクタ取付構造をさらに含む、請求項１〜２６のいずれか一項に記載の患者インターフェース。
【請求項２８】
前記第１の導管コネクタおよび前記第２の導管コネクタのそれぞれは、前記プレナムチャンバから取り外し可能である、請求項１〜２７のいずれか一項に記載の患者インターフェース。
【請求項２９】
前記第１の導管コネクタおよび前記第２の導管コネクタのそれぞれは、前記プレナムチャンバに恒久的に接続される、請求項１〜２８のいずれか一項に記載の患者インターフェース。
【請求項３０】
前記第１の導管コネクタおよび前記第２の導管コネクタのそれぞれは、前記プレナムチャンバに接続されている場合に静止しているままであるように構成される、請求項１〜２９のいずれか一項に記載の患者インターフェース。
【請求項３１】
前記第１の導管コネクタおよび前記第２の導管コネクタのそれぞれと、前記第１のプレナムチャンバ孔および前記第２のプレナムチャンバ孔の対応するいずれかとの間のシールをさらに含む、請求項１〜３０のいずれか一項に記載の患者インターフェース。
【請求項３２】
前記シールは、前記第１の導管コネクタおよび前記第２の導管コネクタのそれぞれにおいて形成され得、前記シールは、前記第１のプレナムチャンバ孔および前記第２のプレナムチャンバ孔の対応するいずれかにおいて前記プレナムチャンバを係合するように構成される、請求項３１に記載の患者インターフェース。
【請求項３３】
前記シールは、前記第１の導管コネクタおよび前記第２の導管コネクタの対応するいずれかに恒久的に接合される、請求項３２に記載の患者インターフェース。
【請求項３４】
前記シールは、シリコーンによって構成される、請求項３１〜３３のいずれか一項に記載の患者インターフェース。
【請求項３５】
前記位置決めおよび安定化構造は、一対の上方タイをさらに含み、前記上方タイのそれぞれは、使用時において前記上方タイの少なくとも一部が患者の頭部の耳基底上点の上方の患者の頭部の領域に載置されるように構築および配置され、
前記位置決めおよび安定化構造は、一対の下方タイをさらに含み、前記下方タイのそれぞれは、使用時において前記下方タイの少なくとも一部が患者の頭部の耳基底下点の下方の患者の頭部の領域に載置されるように構築および配置される、請求項１〜３４のいずれか一項に記載の患者インターフェース。
【請求項３６】
前記第１の導管コネクタおよび前記第２の導管コネクタのそれぞれは、前記下方タイの対応するいずれかに接続するように構成された下方タイコネクタをさらに含む、請求項３５に記載の患者インターフェース。
【請求項３７】
前記下方タイのそれぞれを前記下方タイコネクタの対応するいずれかに解放可能に接続させるクリップをさらに含む、請求項３６に記載の患者インターフェース。
【請求項３８】
前記クリップは、磁石をさらに含む、請求項３７に記載の患者インターフェース。
【請求項３９】
前記下方タイの対応するいずれかに接続するようにそれぞれ構成された一対の下方タイタブをさらに含み、
前記第１の導管コネクタおよび前記第２の導管コネクタのそれぞれは、前記下方タイタブの対応するいずれかに接続するように構成されたフランジをさらに含む、請求項３５に記載の患者インターフェース。
【請求項４０】
前記フランジのそれぞれは、フランジ開口部と凹部とをさらに含み、
前記下方タイタブのそれぞれは、前記下方タイタブのそれぞれを、前記対応するフランジ開口部を通過して前記対応する凹部に係合することによって前記フランジの対応するいずれかに接合するように構成されたタブコネクタをさらに含む、請求項３９に記載の患者インターフェース。
【請求項４１】
前記下方タイのそれぞれに接続するように構成されたクリップをさらに含み、
前記下方タイタブのそれぞれは、前記下方タイを接続させる前記クリップの対応するいずれかに取り外し可能に接続するように構成されたクリップレシーバをさらに含む、請求項３９または４０に記載の患者インターフェース。
【請求項４２】
前記クリップのそれぞれおよび前記クリップレシーバのそれぞれは、取り外し可能な接続を促進させるべく配向および荷電された磁石を含む、請求項４１に記載の患者インターフェース。
【請求項４３】
前記クリップレシーバのそれぞれは、ノッチを含み、前記クリップのそれぞれは、突出部を含み、それぞれの突出部は、対応するノッチと係合して、前記対応するクリップレシーバに対するクリップの回転を制限するように構成される、請求項４１〜４２のいずれか一項に記載の患者インターフェース。
【請求項４４】
前記第１の導管コネクタおよび前記第２の導管コネクタのそれぞれは、前記第１の導管コネクタおよび前記第２の導管コネクタを、それぞれ前記第１のプレナムチャンバ孔および前記第２のプレナムチャンバ孔において前記プレナムチャンバに解放可能に接続する第１のタブおよび第２のタブをさらに含む、請求項１〜４３のいずれか一項に記載の患者インターフェース。
【請求項４５】
前記第１のタブおよび前記第２のタブは、前記第１の導管コネクタおよび前記第２の導管コネクタが、前記第１のタブを前記プレナムチャンバと係合した後、前記第２のタブを前記プレナムチャンバと係合することによってのみ前記プレナムチャンバに接続可能であるように構成される、請求項４４に記載の患者インターフェース。
【請求項４６】
前記第１のタブおよび前記第２のタブは、前記第１の導管コネクタおよび前記第２の導管コネクタが、前記第２のタブを前記プレナムチャンバから係合解除した後、前記第１のタブを前記プレナムチャンバから係合解除することによってのみ前記プレナムチャンバから接続解除可能であるように構成される、請求項４５に記載の患者インターフェース。
【請求項４７】
前記プレナムチャンバは、前記第１のプレナムチャンバ孔および前記第２のプレナムチャンバ孔のそれぞれの近位のスロットをさらに含み、
前記第１の導管コネクタおよび前記第２の導管コネクタのそれぞれの前記第１のタブは、前記第１のプレナムチャンバ孔および前記第２のプレナムチャンバ孔の対応するいずれかと連動している前記スロットに係合するように構成され、
前記第１の導管コネクタおよび前記第２の導管コネクタのそれぞれは、前記第１の導管コネクタおよび前記第２の導管コネクタのそれぞれの前記第１のタブが前記対応するスロットと係合している場合に、前記対応するスロットを中心に回転可能である、請求項４５または４６に記載の患者インターフェース。
【請求項４８】
前記プレナムチャンバは、前記第１のプレナムチャンバ孔および前記第２のプレナムチャンバ孔のそれぞれの近位の戻り止めをさらに含み、
前記第１の導管コネクタおよび前記第２の導管コネクタのそれぞれの前記第２のタブは、キャッチをさらに含み、前記キャッチは、前記第１のプレナムチャンバ孔および前記第２のプレナムチャンバ孔の対応するいずれかと連動している前記戻り止めをスナップ嵌めで係合するように構成される、請求項４７に記載の患者インターフェース。
【請求項４９】
前記第１の導管コネクタおよび前記第２の導管コネクタのそれぞれの前記第２のタブは、可撓性である、請求項４８に記載の患者インターフェース。
【請求項５０】
前記第１の導管コネクタおよび前記第２の導管コネクタのそれぞれは、前記対応する第２のタブの両側にギャップをさらに含み、これにより、前記第２のタブが前記第１の導管コネクタおよび前記第２の導管コネクタのそれぞれからカンチレバーされるようにする、請求項４８または４９のいずれか一項に記載の患者インターフェース。
【請求項５１】
前記シール形成構造は、患者の鼻孔の周囲を密閉するように構成された鼻部位と、患者の口の周囲を密閉するように構成された口部位とをさらに含む、請求項１〜５０のいずれか一項に記載の患者インターフェース。
【請求項５２】
前記シール形成構造は、患者の鼻孔と前記患者インターフェースチャンバとの間の空気圧連通を提供するように構成された鼻部位孔をさらに含み、
前記シール形成構造は、患者の口と前記患者インターフェースチャンバとの間の空気圧連通を提供するように構成された口部位孔をさらに含む、請求項１〜５１のいずれか一項に記載の患者インターフェース。
【請求項５３】
前記第１の導管および前記第２の導管のそれぞれが接続ポートハウジングと空気圧連通している、接続ポートハウジングと、
前記接続ポートハウジングに接続している接続ポートとをさらに含み、前記接続ポートは、前記治療圧力における空気流れを受容すべく空気回路に接続されるように構成される、請求項１〜５２のいずれか一項に記載の患者インターフェース。
【請求項５４】
前記接続ポートは、エルボーをさらに含む、請求項５３に記載の患者インターフェース。
【請求項５５】
前記接続ポートは、少なくとも１つの通気孔をさらに含む、請求項５３〜５４のいずれか一項に記載の患者インターフェース。
【請求項５６】
前記接続ポートは、前記接続ポートハウジングに旋回可能に接続される、請求項５３〜５５のいずれか一項に記載の患者インターフェース。
【請求項５７】
前記接続ポートおよび前記接続ポートハウジングは、使用時に患者頭部の上方に配置されるように構成される、請求項５３〜５６のいずれか一項に記載の患者インターフェース。
【請求項５８】
呼吸治療システムであって、
請求項１〜５７のいずれか一項に記載の患者インターフェースと、
前記治療圧力における空気流れを生成するように構成された呼吸圧力治療デバイスと、
前記治療圧力における空気流れを、前記呼吸圧力治療デバイスから前記患者インターフェースへと方向づけるように構成された空気回路とを含む、呼吸治療システム。
【発明の詳細な説明】
【技術分野】
【０００１】
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【０００２】
1    関連出願の相互参照
本出願は、米国仮出願第６２／６０９，９０９号（出願日：２０１７年１２月２２日）の恩恵を主張し、上記の出願を本明細書中、参考のため全体的に援用する。
【背景技術】
【０００３】
2    技術の背景
2.1    技術の分野
本技術は、呼吸関連疾患のスクリーニング、診断、監視、治療、予防および改善のうち１つ以上に関する。本技術はまた、医療デバイスまたは装置と、その使用とに関する。
【０００４】
2.2    関連技術の説明
2.2.1    ヒトの呼吸器系およびその疾患
身体の呼吸器系は、ガス交換を促進させる。鼻および口腔は、患者の気道への入口を形成する。
【０００５】
これらの気道は、一連の分岐する管を含み、これらの管は、肺の奥深くに進むほど狭く、短くかつ多数になる。肺の主要な機能はガス交換であり、空気から酸素を静脈血中へ取り入れさせ、二酸化炭素を退出させる。気管は、右および左の主気管支に分かれ、これらの主気管支はさらに分かれて、最終的に終末細気管支となる。気管支は、伝導のための気道を構成するものであり、ガス交換には関与しない。気道がさらに分割されると呼吸細気管支となり、最終的には肺胞となる。肺の肺胞領域においてガス交換が行われ、この領域を呼吸領域と呼ぶ。以下を参照されたい：「Ｒｅｓｐｉｒａｔｏｒｙ  Ｐｈｙｓｉｏｌｏｇｙ」，  ｂｙ  Ｊｏｈｎ  Ｂ．  Ｗｅｓｔ，  Ｌｉｐｐｉｎｃｏｔｔ  Ｗｉｌｌｉａｍｓ  ＆  Ｗｉｌｋｉｎｓ，  ９ｔｈ  ｅｄｉｔｉｏｎ  ｐｕｂｌｉｓｈｅｄ  ２０１２。
【０００６】
一定範囲の呼吸器疾患が存在している。特定の疾患は、特定の発症（例えば、無呼吸、呼吸低下および過呼吸）によって特徴付けられ得る。
【０００７】
呼吸器疾患の例には、閉塞性睡眠時無呼吸（ＯＳＡ）、チェーン・ストークス呼吸（ＣＳＲ）、呼吸不全、肥満過換気症候群（ＯＨＳ）、慢性閉塞性肺疾患（ＣＯＰＤ）、神経筋疾患（ＮＭＤ）および胸壁疾患が含まれる。
【０００８】
閉塞性睡眠時無呼吸（ＯＳＡ）は、睡眠呼吸障害（ＳＤＢ）の１つの形態であり、睡眠時の上通気道の閉鎖または閉塞などの発症によって特徴付けられる。これは異常に小さい上気道と、舌の領域の筋緊張の通常の喪失、睡眠時の軟口蓋および後口咽頭壁の正常損失の組み合わせの結果である。このような状態に起因して、罹患患者の呼吸停止が典型的には３０〜１２０秒にわたり、ときには一晩に２００〜３００回も呼吸が停止する。その結果、日中の眠気が過度になり、心血管疾患および脳損傷の原因になり得る。この症候は一般的な疾患であり、特に中年の過体重の男性に多いが、患者に自覚症状は無い。米国特許第４，９４４，３１０号（Ｓｕｌｌｉｖａｎ）を参照されたい。
【０００９】
チェーン・ストークス呼吸（ＣＳＲ）は、別の形態の睡眠呼吸障害である。ＣＳＲは、患者の呼吸調節器の疾患であり、ＣＳＲサイクルとして知られる換気の漸増および漸減が交互に周期的に続く。ＣＳＲは、動脈血の脱酸素および再曝気の繰り返しによって特徴付けられる。反復低酸素症のため、ＣＳＲは有害であり得る。患者によっては、ＣＣＲは、重症不眠、交感神経活動の増加、および後負荷の増加の原因となる、反復性睡眠覚醒を随伴する。米国特許第６，５３２，９５９号（Ｂｅｒｔｈｏｎ−Ｊｏｎｅｓ）を参照されたい。
【００１０】
呼吸不全とは、呼吸器障害の総称であり、患者の需要を満たすための充分な酸素吸気または充分なＣＯ２呼気を肺が行うことができていないことを指す。呼吸不全は、以下の疾患のうちいくつかまたは全てを包含し得る。
【００１１】
呼吸不全（一種の呼吸不全）の患者は、運動時に異常な息切れを経験することがある。
【００１２】
肥満過換気症候群（ＯＨＳ）は、低換気の原因が他に明確に無い状態における、重症肥満および覚醒時慢性高炭酸ガス血症の組み合わせとして定義される。症状には、呼吸困難、起床時の頭痛と過剰な日中の眠気が含まれる。
【００１３】
慢性閉塞性肺疾患（ＣＯＰＤ）は、特定の共通する特性を有する下気道疾患のグループのうちのいずれも包含する。これには空気の動きに対する抵抗の増加、呼吸の呼気相の延長および肺における正常な弾性の減少が含まれる。ＣＯＰＤの例として、気腫および慢性気管支炎がある。ＣＯＰＤの原因としては、慢性喫煙（第一危険因子）、職業被ばく、空気汚染および遺伝因子がある。症状を挙げると、労作時の呼吸困難、慢性咳および痰生成がある。
【００１４】
神経筋疾患（ＮＭＤ）は、内在筋病理を直接介してまたは神経病理を間接的に介して筋肉機能を損なう多数の疾病および病気を包含する広範な用語である。ＮＭＤ患者の中には、進行性の筋肉障害によって特徴付けられる者もあり、結果的に歩行不可能、車椅子への束縛、嚥下困難、呼吸筋力低下に繋がり、最終的には呼吸不全による死亡に繋がる。神経筋肉障害は、以下の急速進行性と緩徐進行性とに区分され得る：（ｉ）急速進行性障害：数ヶ月かけて悪化する筋肉障害によって特徴付けられ、数年内に死亡に繋がる（例えば、ティーンエージャーにおける筋萎縮性側索硬化症（ＡＬＳ）およびデュシェンヌ筋ジストロフィー（ＤＭＤ））；（ｉｉ）可変性または緩徐進行性障害：数年かけて悪化する筋肉障害によって特徴付けられ、平均余命が若干低減するだけである（例えば、肢帯、顔面肩甲上腕型および筋強直性筋ジストロフィー）。ＮＭＤにおける呼吸不全症状を以下に挙げる：全身衰弱の増加、嚥下障害、労作および安静時の呼吸困難、疲労、眠気、起床時の頭痛、および集中および気分の変化の困難。
【００１５】
胸壁障害は、胸郭変形の１つのグループであり、呼吸筋肉と胸郭との間の連結の無効性の原因となる。これらの障害は、拘束性障害によって主に特徴付けられ、長期の炭酸過剰性呼吸不全の可能性を共有する。脊柱側弯症および／または脊柱後側弯症は、重篤な呼吸不全を発症することがある。呼吸不全の症状を以下に挙げる：労作時の呼吸困難、末梢浮腫、起座呼吸、反復性胸部感染症、起床時の頭痛、疲労、睡眠の質の低下、および食欲不振。
【００１６】
このような状態を治療または改善するために、一定範囲の治療が用いられている。さらに、その他の点では健常人も、呼吸器疾患の予防治療を有利に利用することができる。しかし、これらにおいては、複数の欠陥がある。
【００１７】
2.2.2    治療法
多様な療法（例えば、持続的気道陽圧（ＣＰＡＰ）治療法、非侵襲的換気（ＮＩＶ）および侵襲的換気（ＩＶ））が上記の呼吸器疾患の１つ以上の治療のために用いられている。
【００１８】
持続的気道陽圧（ＣＰＡＰ）療法が、閉塞性睡眠時無呼吸（ＯＳＡ）の治療において用いられている。その作用機構としては、例えば軟口蓋および舌を押して後口咽頭壁へ前進または後退させることにより、持続陽圧呼吸療法が空気スプリントとして機能し、これにより上気道の閉鎖を防止し得る。ＣＰＡＰ治療によるＯＳＡの治療は自発的なものであり得るため、このような患者が治療の提供に用いられるデバイスについて以下のうち１つ以上に気づいた場合、患者が治療を遵守しないことを選択する可能性がある：不快、使用困難、高価、美観的な魅力の無さ。
【００１９】
非侵襲的換気（ＮＩＶ）は、換気補助を上気道を通じて患者へ提供して、呼吸機能の一部または全体を行うことにより患者の呼吸の補助および／または身体中の適切な酸素レベルの維持を提供する。換気補助が、非侵襲的患者インターフェースを介して提供される。ＮＩＶは、ＯＨＳ、ＣＯＰＤ、ＮＭＤ、および胸壁障害などの形態のＣＳＲおよび呼吸不全の治療に用いられている。いくつかの形態において、これらの治療の快適性および有効性が向上し得る。
【００２０】
侵襲的換気（ＩＶ）は、自身で有効に呼吸することができなくなった患者に対して換気補助を提供し、気管切開管を用いて提供され得る。いくつかの形態において、これらの治療の快適性および有効性が向上し得る。
【００２１】
2.2.3    治療システム
これらの治療は、治療システムまたはデバイスによって提供され得る。このようなシステムおよびデバイスは、疾患を治療することなくスクリーニング、診断、または監視するためにも、用いられ得る。
【００２２】
治療システムは、呼吸圧力治療デバイス（ＲＰＴデバイス）、空気回路、加湿器、患者インターフェース、およびデータ管理を含み得る。
【００２３】
別の形態の治療システムとして、下顎再位置決めデバイスがある。
【００２４】
2.2.3.1    患者インターフェース
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。適用される療法に応じて、患者インターフェースは、例えば患者の顔の領域とのシールを形成し得、これにより、療法実行のための雰囲気圧力と共に充分な分散の圧力において（例えば、例えば雰囲気圧力に対して約１０ｃｍＨ２Ｏの陽圧において）ガス送達を促進する。酸素送達などの他の治療形態において、患者インターフェースは、約１０ｃｍＨ２Ｏの陽圧において気道へのガス供給の送達を促進するのに充分な密閉を含まない場合がある。
【００２５】
特定の他のマスクシステムは、本分野において機能的に不適切であり得る。例えば、純然たる装飾目的のマスクの場合、適切な圧力を維持することができない場合がある。水中水泳またはダイビングに用いられるマスクシステムは、外部からのより高い圧力からの水侵入から保護することと、周囲よりも高い圧力において内部の空気を維持しないこととを行うように、構成され得る。
【００２６】
特定のマスクは、本技術において臨床的に好ましく無い場合があり得る（例えば、マスクが鼻を介して気流を遮断し、口を介した気流のみを通過させる場合）。
【００２７】
特定のマスクにおいて、患者がマスク構造の一部を口に挿入し、唇を介して密閉状態を生成および維持しなければならない場合、本技術において不快であるかまたは非実際的である場合がある。
【００２８】
特定のマスクは、睡眠時（例えば、横向きにベッドに寝て枕の上に頭を置いた状態で睡眠する場合）における使用においては非実際的である場合がある。
【００２９】
患者インターフェースの設計においては、複数の課題がある。顔は、複雑な三次元形状を有する。鼻および頭のサイズおよび形状は、個人によって大きく異なる。頭部には骨、軟骨および軟組織が含まれるため、顔の異なる領域は、機械的力に対して異なる反応を示す。すなわち、顎部または下顎は、頭蓋骨の他の骨に相対して動き得る。頭部全体は、呼吸治療期間を通じて動き得る。
【００３０】
これらの課題に起因して、いくつかのマスクの場合、特に装着時間が長い場合または患者がシステムに不慣れである場合、押しつけがましい、美観的に望ましくない、コストが高い、フィット感が悪い、使用が困難、および不快感があるなどの理由のうち１つ以上がある。誤ったサイズのマスクが用いられた場合、コンプライアンスの低下、快適性の低下および患者予後の低下に繋がり得る。飛行士専用のマスク、個人用保護装具（例えば、フィルターマスク）、ＳＣＵＢＡマスクの一部として設計されたマスク、または麻酔投与用マスクは、その元々の用途には耐えられるものの、このようなマスクの場合、長時間（例えば、数時間）にわたって装着するには望ましくないほど不快な場合がある。このような不快感に起因して、治療に対する患者のコンプライアンスが低下する可能性がある。これは、マスクを睡眠時に装着する必要がある場合、特に当てはまる。
【００３１】
ＣＰＡＰ治療は、患者が治療を承諾している場合、特定の呼吸器疾患の治療においては極めて効果的である。マスクが不快である場合または使用が難しい場合、患者は、治療を承諾しない場合がある。患者はマスクを定期的に洗浄するよう推奨されることが多いため、マスクの清浄が難しい（例えば、組立または分解が困難である場合）、患者は、マスクを清浄することができず、患者のコンプライアンスに影響が出る場合がある。
【００３２】
他の用途（例えば、飛行士）用のマスクの場合、睡眠呼吸障害の治療の使用には不適である場合があるため、睡眠呼吸障害の治療の使用のために設計されたマスクは、他の用途に適している場合がある。
【００３３】
これらの理由のめ、睡眠時のＣＰＡＰ送達のための患者インターフェースは、明瞭な分野を形成する。
【００３４】
2.2.3.1.1    シール形成構造
患者インターフェースは、シール形成構造を含み得る。患者インターフェースは、患者の顔と直接接触するため、シール形成構造の形状および構成は、患者インターフェースの有効性および快適性に直接影響を持ち得る。
【００３５】
患者インターフェースは、使用時にシール形成構造を顔と係合させる場所の設計意図に従って、部分的に特徴付けられ得る。患者インターフェースの一形態において、シール形成構造は、左鼻孔の周囲にシールを形成するための第１のサブ部分と、右鼻孔の周囲にシールを形成するための第２のサブ部分とを含み得る。患者インターフェースの一形態において、シール形成構造は、使用時において双方の鼻孔を包囲する単一の要素を含み得る。このような単一の要素は、例えば顔の上唇領域および鼻ブリッジ領域上に載置されるように、設計され得る。患者インターフェースの一形態において、シール形成構造は、使用時に例えば顔の下唇領域上にシールを形成することにより口腔領域を包囲する要素を含み得る。患者インターフェースの一形態において、シール形成構造は、使用時に双方の鼻孔および口領域を包囲する単一の要素を含み得る。これらの異なる種類の患者インターフェースは、その製造業者によって鼻マスク、フルフェイスマスク、鼻枕、鼻パフおよび口鼻マスクなどの多様な名称によって公知であり得る。
【００３６】
患者の顔の一領域において有効であり得るシール形成構造は、例えば患者の顔の異なる形状、構造、変化性および感受性領域に起因して、別の領域において不適切であり得る。例えば、患者の前額上に載置される水泳用ゴーグルの密閉部は、患者の鼻上における使用には不適切である場合がある。
【００３７】
特定のシール形成構造は、広範囲の異なる顔形状およびサイズに対して１つの設計が適合し、快適でありかつ有効になるように、大量製造用に設計され得る。密閉部を形成するためには、患者の顔の形状と、大量製造された患者インターフェースのシール形成構造との間の不整合がある範囲まで、一方または双方を適合させる必要がある。
【００３８】
１つの種類のシール形成構造は、患者インターフェースの周囲を包囲して延び、シール形成構造が患者の顔に対向して係合している状態で力が患者インターフェースへ付加された際、患者の顔を密閉することを意図する。このシール形成構造は、空気または流体充填クッションを含み得るか、または、ゴムなどのエラストマーによって構成された弾力性のある密閉要素の成形されたかまたは形成された表面を含み得る。この種のシール形成構造により、フィット感が不適切である場合、シール形成構造と顔との間に隙間が発生し、密閉を達成するには、患者インターフェースを顔に押しつけるためにさらなる力が必要になる。
【００３９】
別の種類のシール形成構造は、陽圧がマスク内に付加された際に患者の顔に対して自己気密作用を提供するように、マスクの周囲の周辺に配置された薄材のフラップシールを使用する。先述の種類のシール形成部分と同様に、顔とマスクとの間の整合が良くない場合、密閉を達成するために必要なさらなる力が必要になり得るか、またはマスクから漏洩が発生し得る。さらに、シール形成構造の形状が患者の形状と整合しない場合、使用時においてシール形成部分に折り目または座屈が発生し、漏洩の原因になる。
【００４０】
別の種類のシール形成構造は、例えば鼻孔中へ挿入される摩擦嵌め要素を含み得るが、これらのシール形成部分を不快であると感じる患者も存在する。
【００４１】
別の形態のシール形成構造は、密閉を達成するために接着部を用い得る。患者の中には、常に接着部を自身の顔に貼り付けるかまたは取り外すことが不便であると感じる患者もいる。
【００４２】
一定範囲の患者インターフェースシール形成構造の技術について、（ＲｅｓＭｅｄ  Ｌｉｍｉｔｅｄへ譲渡された以下の特許出願：ＷＯ１９９８／００４３１０；ＷＯ２００６／０７４５１３；ＷＯ２０１０／１３５７８５）に開示がある。
【００４３】
鼻枕の一形態が、Ｐｕｒｉｔａｎ  Ｂｅｎｎｅｔｔによって製造されたＡｄａｍ回路において見受けられる。別の鼻枕または鼻パフが、Ｐｕｒｉｔａｎ−Ｂｅｎｎｅｔｔ  Ｃｏｒｐｏｒａｔｉｏｎへ譲渡された米国特許第４、７８２、８３２号（Ｔｒｉｍｂｌｅら）の主題になっている。
【００４４】
ＲｅｓＭｅｄ  Ｌｉｍｉｔｅｄは、鼻枕を用いた以下の製品を製造している：ＳＷＩＦＴ（登録商標）鼻枕マスク、ＳＷＩＦＴ（登録商標）ＩＩ鼻枕マスク、ＳＷＩＦＴ（登録商標）ＬＴ鼻枕マスク、ＳＷＩＦＴ（登録商標）ＦＸ鼻枕マスクおよびＭＩＲＡＧＥＬＩＢＥＲＴＹ（登録商標）フルフェイスマスク。ＲｅｓＭｅｄ  Ｌｉｍｉｔｅｄへ譲渡された以下の特許出願において、鼻枕マスクの実施例についての記載がある：国際特許出願ＷＯ２００４／０７３７７８号（特に、ＲｅｓＭｅｄ  ＬｉｍｉｔｅｄのＳＷＩＦＴ（登録商標）鼻枕の様相を記載）、米国特許出願第２００９／００４４８０８号（特に、ＲｅｓＭｅｄ  ＬｉｍｉｔｅｄのＳＷＩＦＴ（登録商標）ＬＴ鼻枕の様相を記載）；国際特許出願ＷＯ２００５／０６３３２８号およびＷＯ２００６／１３０９０３号（特に、ＲｅｓＭｅｄ  ＬｉｍｉｔｅｄのＭＩＲＡＧＥ  ＬＩＢＥＲＴＹ（登録商標）フルフェイス型マスクの様相を記載）；国際特許出願ＷＯ２００９／０５２５６０号（特に、ＲｅｓＭｅｄ  ＬｉｍｉｔｅｄのＳＷＩＦＴ（登録商標）ＦＸ鼻枕の様相を記載）。
【００４５】
2.2.3.1.2    位置決めおよび安定化
陽圧空気治療に用いられる患者インターフェースのシール形成構造は、密閉を妨害する空気圧力の対応する力を受ける。そのため、シール形成構造を位置決めすることと、顔の適切な部分に対して密閉を維持することとを行うために、多様な技術が用いられている。
【００４６】
１つの技術において、接着部が用いられる。例えば、米国特許出願公開ＵＳ２０１０／００００５３４号を参照されたい。しかし、接着部を用いた場合、不快感がある場合がある。
【００４７】
別の技術において、１つ以上のストラップおよび／または安定化ハーネスが用いられる。多数のこのようなハーネスの場合、フィット感が悪い、かさばる、不快および扱いにくいなどの点のうち１つ以上が当てはまる。
【００４８】
2.2.3.2    呼吸圧力治療（ＲＰＴ）デバイス
呼吸圧力治療（ＲＰＴ）デバイスは、例えばデバイスを作動させて気道へのインターフェースへの空気送達流れを生成することにより、上記した複数の治療のうち１つ以上の具現に個別的に、またはシステムの一部として用いられ得る。この空気流れは、加圧され得る。ＲＰＴデバイスの例を挙げると、ＣＰＡＰデバイスおよび人工呼吸器がある。
【００４９】
空気圧生成器は、広範な用途（例えば、工業規模通気システム）において公知である。しかし、医療用途のための空気圧生成器は、より一般的な空気圧生成器（例えば、医療機器の信頼性要件、サイズ要件および重量要件）では満足できない特定の要件を有する。加えて、医療治療向けに設計されたデバイスであっても、以下のうち１つ以上に関連して欠陥を免れない場合がある：快適性、ノイズ、使いやすさ、有効性、サイズ、重量、製造可能性、コストおよび信頼性。
【００５０】
特定のＲＰＴデバイスの特殊な要件の一例として、音響ノイズがある。
【００５１】
【表１】
2021506463.tif 000003
【００５２】
睡眠呼吸障害の治療に用いられる１つの公知のＲＰＴデバイスとして、Ｓ９睡眠治療システム（製造元：ＲｅｓＭｅｄ  Ｌｉｍｉｔｅｄ）がある。ＲＰＴデバイスの別の実施例として、人工呼吸器がある。人工呼吸器（例えば、成人および小児用人工呼吸器のＲｅｓＭｅｄ  Ｓｔｅｌｌａｒ（登録商標）シリーズ）の場合、複数の状態（例を非限定的に挙げると、ＮＭＤ、ＯＨＳおよびＣＯＰＤ）の治療のための一定範囲のための患者のための侵襲的および非侵襲的な非依存的呼吸のための補助を提供し得る。
【００５３】
ＲｅｓＭｅｄ  Ｅｌｉｓｅ´ｅ（登録商標）１５０人工呼吸器およびＲｅｓＭｅｄＶＳＩＩＩ（登録商標）人工呼吸器は、複数の状態の治療のための成人患者または小児用患者に適した侵襲的および非侵襲的な依存的呼吸の補助を提供し得る。これらの人工呼吸器により、単一または二重の肢回路を用いた容積通気モードおよび気圧通気モードが得られる。ＲＰＴデバイスは典型的には、圧力生成器（例えば、電動送風機または圧縮ガスリザーバ）を含み、患者の気道へ空気流れを供給するように構成される。場合によっては、空気流れは、患者の気道へ陽圧で供給され得る。ＲＰＴデバイスの出口は、空気回路を介して上記したような患者インターフェースへ接続される。
【００５４】
デバイスの設計者には、無数の選択肢が提示され得る。設計基準同士が対立することが多くあるため、特定の設計選択肢が慣例からほど遠くなるかあるいは避けられないことがある。さらに、特定の態様の快適性および有効性は、１つ以上のパラメータの些細な変更から大きく影響を受ける可能性もある。
【００５５】
2.2.3.3    加湿器
空気流れの送達を加湿無しで行った場合、気道の乾燥に繋がり得る。加湿器をＲＰＴデバイスおよび患者インターフェースと共に用いた場合、加湿ガスが生成されるため、鼻粘膜の乾燥が最小化され、患者気道の快適性が増加する。加えて、より冷涼な気候においては、概して患者インターフェースの周囲の顔領域へ温風を付加すると、冷風の場合よりも快適性が高まる。
【００５６】
一定範囲の人工的加湿機器およびシステムが公知であるが、医療加湿器の特殊な要件を満たせていない。
【００５７】
医療加湿器は、典型的には患者が（例えば病院において）睡眠時または安静時にあるときに、必要な場合に周囲空気に相対して空気流れの湿度および／または温度を増加させるように、用いられる。枕元に置かれる医療加湿器は、小型である場合がある。医療加湿器は、患者へ送達される空気流れの加湿および／または加熱のみを行うように構成され得、患者の周囲の加湿および／または加熱は行わない。例えば、部屋ベースのシステム（例えば、サウナ、エアコン、または蒸発冷却器）は、呼吸により患者体内に取り込まれる空気も加湿し得るものの、これらのシステムの場合、部屋全体も加湿および／または加熱するため、占有者にとって不快感であり得る。さらに、医療加湿器の場合、工業用加湿器よりも安全面での制約がより厳しい場合もある。
【００５８】
多数の医療加湿器が公知であるものの、このような医療加湿器の場合、１つ以上の欠陥を被り得る。すなわち、このような医療加湿器の場合、加湿が不適切なものもあれば、患者にとって使用が困難または不便であるものもある。
【００５９】
2.2.3.4    データ管理
臨床的理由により、呼吸治療が処方された患者が「コンプライアンスを遵守している」（例えば、患者が自身のＲＰＴデバイスを１つ以上の「コンプライアンスルール」に則っているか）を決定するためのデータを入手する場合がある。ＣＰＡＰ治療についてのコンプライアンスルールの一例として、患者がコンプライアンスを遵守しているとみなすためには、患者が連続３０日間のうち少なくとも２１日間にわたってＲＰＴデバイスを一晩あたり少なくとも４時間にわたって使用する必要がある。患者のコンプライアンスを決定するためには、ＲＰＴデバイスのプロバイダ（例えば、ヘルスケアプロバイダ）は、ＲＰＴデバイスを用いた患者の治療を記述するデータを手作業で入手し、所定期間にわたる使用率を計算し、これをコンプライアンスルールと比較し得る。ヘルスケアプロバイダが患者が自身のＲＰＴデバイスをコンプライアンスルールに則って使用したと決定すると、当該ヘルスケアプロバイダは、患者がコンプライアンスを遵守している旨を第三者に通知し得る。
【００６０】
患者の治療において、治療データの第三者または外部システムへの通信から恩恵を受ける他の態様があり得る。
【００６１】
このようなデータを通信および管理するための既存のプロセスの場合、高コスト、時間がかかること、エラーの発生し易さのうち１つ以上が発生し得る。
【００６２】
2.2.3.5    下顎の再位置決め
下顎再位置決めデバイス（ＭＲＤ）または下顎前方固定デバイス（ＭＡＤ）は、睡眠時無呼吸およびいびきの治療選択肢の１つである。これは、歯科医または他の供給業者から利用可能である調節可能な口腔用器具であり、下顎部（下顎）を睡眠時に前方位置に保持する。ＭＲＤは、取り外し可能なデバイスであり、患者の睡眠前に口腔内に挿入され、睡眠後に取り外される。そのため、ＭＲＤは、常時装着用途を想定した設計はされていない。ＭＲＤは、カスタム仕様にしてもよいし、あるいは、標準形態で製造してもよく、患者の歯に適合するように設計された咬合印象部位を含む。この下顎からの機械的突出部は、舌の後ろ側の空間を拡張させ、咽頭壁上へ張力を付加して、気道崩壊を低減させ、口蓋振動を低減させる。
【００６３】
特定の実施例において、下顎前方固定デバイスは、上顎または上顎骨上の歯と係合するかまたは嵌め合うように意図された上側スプリントと、上顎または下顎上の歯と係合するかまたは嵌め合うように意図された下側スプリントとを含み得る。上側スプリントおよび下側スプリントは、一対の接続ロッドを介して相互に横方向に接続される。この１組の接続ロッドは、上側スプリントおよび下側スプリント上において対称に固定される。
【００６４】
このような設計において、接続ロッドの長さは、ＭＲＤが患者の口腔中に配置されたときに下顎が前方位置に保持されるように、選択される。接続ロッドの長さは、下顎の突出レベルを変化させるように、調節され得る。歯科医は、突出レベルを下顎に合わせて決定することができ、その結果、接続ロッドの長さが決定される。
【００６５】
下顎を上顎骨に対して前方に押し出すように構成されているＭＲＤもあれば、ＲｅｓＭｅｄ  Ｎａｒｖａｌ  ＣＣ（登録商標）ＭＲＤなどの他のＭＡＤのように、下顎を前方位置に保持するように設計されているものもある。このデバイスにより、歯科的副作用および側頭／下顎間の関節（ＴＭＪ）の副作用も低下または最小化される。そのため、このデバイスは、歯のうち１つ以上の任意の移動を最小化または回避するように構成される。
【００６６】
2.2.3.6    通気技術
いくつかの形態の治療システムは、吐き出された二酸化炭素を押し出すための通気部を含み得る。この通気部により、患者インターフェースの内部空間（例えば、プレナムチャンバ）から患者インターフェースの外部（例えば、周囲）へのガス流れが可能になり得る。
【００６７】
この通気部は、オリフィスを含み得、マスク使用時において、ガスがオリフィスを通じて流れ得る。多数のこのような通気部の場合、音がうるさい。他の場合、使用時において閉塞し得るため、押し出しが不十分になる。いくつかの通気部の場合、例えば音または気流集中に起因して、患者１０００と同床者１１００の睡眠を妨げる場合がある。
【００６８】
ＲｅｓＭｅｄ  Ｌｉｍｉｔｅｄは、複数の向上したマスク通気技術を開発している。下記を参照されたい：国際特許出願公開第ＷＯ１９９８／０３４６６５；国際特許出願公開第ＷＯ２０００／０７８３８１；米国特許第６，５８１，５９４号；米国特許出願公開第ＵＳ２００９／００５０１５６；米国特許出願公開第２００９／００４４８０８。
【００６９】
【表２】
2021506463.tif 000004
2021506463.tif 000005
【００７０】
（＊試料１個のみをＩＳＯ３７４４に指定の試験方法を用いてＣＰＡＰモードにおいて１０ｃｍＨ２Ｏにて測定）
【００７１】
【表３】
2021506463.tif 000006
【００７２】
2.2.4    スクリーニング、診断、および監視システム
睡眠ポリグラフ（ＰＳＧ）は、心肺疾患の診断および監視のための従来のシステムであり、典型的には、システム適用のために専門家臨床スタッフを必要とすることが多い。ＰＳＧにおいては、多様な身体信号（例えば、脳波検査（ＥＥＧ）、心電図検査（ＥＣＧ）、電気眼球図記録（ＥＯＧ）、筋電図描画法（ＥＭＧ））を記録するために、典型的には１５〜２０個の接触覚センサを人体上に配置する。睡眠時呼吸障害のＰＳＧのめには、患者を専門病院において二晩にわたって観察する必要があった。すなわち、第一夜は純然たる診断のためであり、第二夜は、臨床医による治療パラメータのタイトレーションのために必要であった。そのため、ＰＳＧは高コストであり、利便性も低い。睡眠呼吸障害のスクリーニング／診断／監視は家庭において特に不向きである。
【００７３】
一般に、スクリーニングおよび診断は、疾患の兆候と症状によって疾患を特定することである。通常、スクリーニングは、患者のＳＤＢがさらなる調査を求める程であるかないかを示す真／偽結果を出すいっぽう、診断は、臨床で実行可能な情報を出すことが多い。スクリーニングおよび診断は、一回性手続きになる傾向であることに反して、疾患の経過をモニタリングすることは無限定に続けられる。いくつかのスクリーニング／診断システムは、スクリーニング／診断にのみ適合されているが、いくつかはモニタリングにも使用することができる。
【００７４】
臨床専門家は、患者のスクリーニング、診断または監視をＰＳＧ信号の視覚的観察に基づいて適切に行い得る。しかし、臨床専門家が居ないまたは臨床専門家への支払いができない状況がある。患者の状態について臨床専門家によって意見が異なる場合がある。さらに、或る臨床専門家は、時期によって異なる基準を適用し得る。
【発明の概要】
【００７５】
3    技術の簡単な説明
本技術は、呼吸器疾患のスクリーニング、診断、監視、改善、治療または予防において用いられる医療機器の提供に関連し、これらの医療機器は、向上した快適性、コスト、有効性、使い易さおよび製造可能性のうち１つ以上を有する。
【００７６】
本技術の第１の態様は、呼吸器疾患のスクリーニング、診断、監視、改善、治療または予防に用いられる装置に関連する。
【００７７】
本技術の別の態様は、呼吸障害のスクリーニング、診断、監視、改善、治療または予防において用いられる方法に関連する。
【００７８】
本技術の特定の形態の一態様は、呼吸治療についての患者のコンプライアンスを向上させる方法および／または装置を提供することである。
【００７９】
本技術の態様は、患者インターフェースに関連する：患者インターフェースには、周囲空気圧力を超える少なくとも６ｃｍＨ２Ｏの治療圧力まで加圧可能な患者インターフェースチャンバを少なくとも部分的に形成するプレナムチャンバと、患者気道への入口を包囲する患者の顔領域とシールを形成するように構築および配置されたシール形成構造と、それぞれが、患者による呼吸のために治療圧力における空気流れを受容するようなサイズおよび構造にされた第１の導管および第２の導管と、第１の導管をプレナムチャンバに空気圧的に接続させて患者による呼吸のために患者インターフェースチャンバへ治療圧力における空気流れを提供するように構成された第１の導管コネクタ、および、第２の導管をプレナムチャンバに空気圧的に接続させて患者による呼吸のために患者インターフェースチャンバへ治療圧力における空気流れを提供するように構成された第２の導管コネクタと、シール形成構造を患者頭部上の治療的に有効な位置に保持するための力を提供し、少なくとも１つのタイを含む、位置決めおよび安定化構造と、加圧空気流れが無い場合に患者が自身の口腔を通じて雰囲気から呼吸することを可能にするように構成された窒息防止弁を含む、位置決めおよび安定化構造とが含まれる。さらなる実施例において、第１の導管コネクタおよび第２の導管コネクタの少なくとも１つは、窒息防止弁を含み得る。
【００８０】
本技術の態様は、患者インターフェースに関連する：患者インターフェースには、周囲空気圧力を超える少なくとも６ｃｍＨ２Ｏの治療圧力まで加圧可能な患者インターフェースチャンバを少なくとも部分的に形成するプレナムチャンバであって、プレナムチャンバは、第１のプレナムチャンバ孔と第２のプレナムチャンバ孔とを含み、第１のプレナムチャンバ孔および第２のプレナムチャンバ孔はそれぞれ、患者による呼吸のために治療圧力における空気流れを受容するようなサイズおよび構造にされた、プレナムチャンバと、患者の気道への入口を包囲する患者の顔領域に対してシールを形成するように構築および配置されたシール形成構造であって、前記シール形成構造は、少なくとも１つの孔を内部に有することにより、治療圧力における空気流れが少なくとも患者の鼻孔への入口に送達されるようにし、シール形成構造は、使用時において患者の呼吸サイクル全体において治療圧力を患者インターフェースチャンバ内に維持するように構築および配置される、シール形成構造と、それぞれが、患者による呼吸のために治療圧力における空気流れを受容するようなサイズおよび構造にされた第１の導管および第２の導管と、第１の導管を第１のプレナムチャンバ孔に空気圧に接続させて患者による呼吸のために患者インターフェースチャンバへ治療圧力における空気流れを提供するように構成された第１の導管コネクタ、および、第２の導管を第２のプレナムチャンバ孔に空気圧に接続させて患者による呼吸のために患者インターフェースチャンバへ治療圧力における空気流れを提供するように構成された第２の導管コネクタと、シール形成構造を患者頭部上の治療的に有効な位置に保持するための力を提供し、少なくとも１つのタイを含む、位置決めおよび安定化構造とが含まれ、第１の導管コネクタおよび第２の導管コネクタはそれぞれ、第１のプレナムチャンバ孔および第２のプレナムチャンバ孔を通じた加圧空気流れが無い場合に患者が自身の口腔を通じて雰囲気から呼吸することを可能にするように構成された窒息防止弁を含む。
【００８１】
実施例において、（ａ）第１の導管コネクタおよび第２の導管コネクタのそれぞれにおける窒息防止弁は、窒息防止弁孔を含み得、（ｂ）それぞれの窒息防止弁孔は、他の窒息防止弁孔が塞いでいる場合に患者の呼吸を可能にするような形状および寸法にされ得、（ｃ）第１の導管コネクタおよび第２の導管コネクタのそれぞれにおける窒息防止弁は、窒息防止弁フラップをさらに含み得、（ｄ）第１の導管コネクタおよび第２の導管コネクタのそれぞれにおける窒息防止弁フラップは、閉鎖位置にある第１の導管コネクタおよび第２の導管コネクタの対応するいずれかの窒息防止弁孔を塞ぐことにより、第１の導管コネクタおよび第２の導管コネクタの対応するいずれかを通じて移動する治療圧力における空気流れが、患者インターフェースチャンバへ方向づけられかつ窒息防止弁孔を介して雰囲気へ漏れることを防止するように構成され得、（ｅ）開放位置において、第１の導管コネクタおよび第２の導管コネクタのそれぞれにおける窒息防止弁フラップは、第１のプレナムチャンバ孔および第２のプレナムチャンバ孔を通じた加圧空気流れが無い場合に、第１の導管コネクタおよび第２の導管コネクタの対応するいずれかの窒息防止弁孔を介して患者が雰囲気から口呼吸することを可能にするように構成され得、（ｆ）第１の導管コネクタおよび第２の導管コネクタのそれぞれにおける窒息防止弁孔は、対応する窒息防止弁フラップが窒息防止弁孔を通過することを防止する窒息防止弁孔分割器によって分割され得、（ｇ）それぞれの窒息防止弁フラップは、治療圧力における空気流れの一部が雰囲気へ漏れることを許容する少なくとも１つの通気孔を含み得、（ｈ）第１の導管コネクタおよび第２の導管コネクタのそれぞれにおける窒息防止弁は、窒息防止弁フラップコネクタ孔を含み得、第１の導管コネクタおよび第２の導管コネクタのそれぞれにおける窒息防止弁フラップは、窒息防止弁フラップを、第１の導管コネクタおよび第２の導管コネクタの対応するいずれかの窒息防止弁の窒息防止弁フラップコネクタ孔へ接続させる窒息防止弁フラップコネクタを含み得、（ｉ）第１の導管コネクタおよび第２の導管コネクタのそれぞれにおける窒息防止弁は、互いに独立に作動するように構成され得、（ｈ）第１の導管コネクタおよび第２の導管コネクタのそれぞれは、患者インターフェースチャンバの内部から雰囲気への患者による連続的な呼気ガス流れを許容するように構成された少なくとも１つの導管コネクタ通気孔を含み得、少なくとも１つの導管コネクタ通気孔は、使用時において患者インターフェースチャンバ内の治療圧力を維持するようなサイズおよび形状にされ、（ｋ）第１の導管コネクタおよび第２の導管コネクタのそれぞれは、患者による連続的な呼気ガス流れを患者インターフェースチャンバの内部から少なくとも１つの導管コネクタ通気孔へ方向付けるように構成された導管コネクタ通気部入口を含み得、（ｌ）第１の導管コネクタおよび第２の導管コネクタのそれぞれは、患者による連続的な呼気ガス流れを少なくとも１つの導管コネクタ通気孔から雰囲気へ方向付けるように構成された導管コネクタ通気部出口を含み得、（ｍ）第１の導管コネクタおよび第２の導管コネクタのそれぞれは、第１の導管コネクタおよび第２の導管コネクタのそれぞれを通過する治療圧力における空気流れが、少なくとも１つの導管コネクタ通気孔を介して雰囲気に直接通過することを防止する隔壁を含み得、（ｎ）第１の導管コネクタおよび第２の導管コネクタのそれぞれは、拡散器材料入り拡散器キャビティ含み得、（ｏ）拡散器キャビティおよび拡散器材料は、連続的なガス流れを雰囲気へ漏れる前に拡散させるために、連続的なガス流れに対して少なくとも１つの導管コネクタ通気孔の下流に配置され得、（ｐ）第１の導管コネクタおよび第２の導管コネクタのそれぞれは、拡散器キャビティ内の拡散器材料を封入する拡散器カバー含み得、（ｑ）拡散器カバーは、拡散器材料の除去および交換を可能にするために取り外し可能であり得、（ｌ）第１の導管コネクタおよび第２の導管コネクタのそれぞれは、連続的ガス流れの少なくとも一部が導管コネクタ通気出口を介して雰囲気へ漏れる前に拡散器材料を通過するように配置された導管コネクタ通気部出口を含み得、（ｓ）第１の導管コネクタおよび第２の導管コネクタのそれぞれは、第１の導管コネクタおよび第２の導管コネクタのそれぞれ、そしてプレナムチャンバの一部の間の隙間を維持して連続的ガス流れが第１の導管コネクタおよび第２の導管コネクタのそれぞれから雰囲気へと漏れることを許容する導管コネクタスペーサを含み得、（ｔ）プレナムチャンバは、少なくとも１つのプレナムチャンバ通気孔を含み得、（ｕ）プレナムチャンバは、複数のプレナムチャンバ通気孔を含み得、（ｖ）第１の導管コネクタおよび第２の導管コネクタのそれぞれは、第１の導管および第２の導管の対応するいずれかに接続するように構成された導管接続端を含み得、（ｗ）第１の導管コネクタおよび第２の導管コネクタのそれぞれは、第１の導管および第２の導管の対応するいずれかから治療圧力における空気流れを受容するように構成された導管コネクタ入口孔を画定する導管コネクタ端を含み得、（ｘ）第１の導管コネクタおよび第２の導管コネクタのそれぞれは、治療圧力における空気流れを患者インターフェースチャンバ内に方向付けるように構成された導管コネクタ出口孔を画定する導管コネクタ出口を含み得、（ｙ）それぞれの導管コネクタ端は、対応する導管コネクタ出口に対して実質的に直角に配向され得、（ｚ）プレナムチャンバは、第１のプレナムチャンバ孔および第２のプレナムチャンバ孔の対応するいずれかにおける接続リムを含み得、第１の導管コネクタおよび第２の導管コネクタは、第１のプレナムチャンバ孔および第２のプレナムチャンバ孔の対応するいずれかにおける接続リムに接続するように構成された少なくとも１つの導管コネクタ取付構造を含み得、（ａａ）第１の導管コネクタおよび第２の導管コネクタのそれぞれは、プレナムチャンバから取り外し可能であり得、（ｂｂ）第１の導管コネクタおよび第２の導管コネクタのそれぞれは、プレナムチャンバに恒久的に接続され得、（ｃｃ）第１の導管コネクタおよび第２の導管コネクタのそれぞれは、プレナムチャンバに接続されている場合に静止しているままであるように構成され得、（ｄｄ）患者インターフェースは、第１の導管コネクタおよび第２の導管コネクタのそれぞれと、第１のプレナムチャンバ孔および第２のプレナムチャンバ孔の対応するいずれかとの間のシールをさらに含み得、（ｅｅ）シールは、第１の導管コネクタおよび第２の導管コネクタのそれぞれにおいて形成され得、シールは、第１のプレナムチャンバ孔および第２のプレナムチャンバ孔の対応するいずれかにおいてプレナムチャンバを係合するように構成され、（ｆｆ）シールは、第１の導管コネクタおよび第２の導管コネクタの対応するいずれかに恒久的に接合され得、（ｇｇ）シールは、シリコーンによって構成され得、（ｈｈ）位置決めおよび安定化構造は、一対の上方タイを含み得、上方タイのそれぞれは、使用時において上方タイの少なくとも一部が患者の頭部の耳基底上点の上方の患者の頭部の領域に載置されるように構築および配置され、位置決めおよび安定化構造は、一対の下方タイを含み得、下方タイのそれぞれは、使用時において下方タイの少なくとも一部が患者の頭部の耳基底下点の下方の患者の頭部の領域に載置されるように構築および配置され、（ｉｉ）第１の導管コネクタおよび第２の導管コネクタのそれぞれは、下方タイの対応するいずれかに接続するように構成された下方タイコネクタを含み得、（ｊｊ）クリップは、下方タイのそれぞれを下方タイコネクタの対応するいずれかに解放可能に接続し得、（ｋｋ）クリップは、磁石を含み得、（ｌｌ）患者インターフェースは、下方タイの対応するいずれかに接続するようにそれぞれ構成された一対の下方タイタブをさらに含み得、第１の導管コネクタおよび第２の導管コネクタのそれぞれは、下方タイタブの対応するいずれかに接続するように構成されたフランジをさらに含み得、（ｍｍ）フランジのそれぞれは、フランジ開口部と凹部とをさらに含み得、下方タイタブのそれぞれは、下方タイタブのそれぞれを、対応するフランジ開口部を通過して対応する凹部に係合することによってフランジの対応するいずれかに接合するように構成されたタブコネクタをさらに含み得、（ｎｎ）患者インターフェースは、下方タイのそれぞれに接続するように構成されたクリップをさらに含み得、下方タイタブのそれぞれは、下方タイを接続させるクリップの対応するいずれかに取り外し可能に接続するように構成されたクリップレシーバをさらに含み得、（ｏｏ）クリップのそれぞれおよびクリップレシーバのそれぞれは、取り外し可能な接続を促進させるべく配向および荷電された磁石を含み得、（ｐｐ）クリップレシーバのそれぞれは、ノッチを含み得、クリップのそれぞれは、突出部を含み、それぞれの突出部は、対応するノッチと係合して、対応するクリップレシーバに対するクリップの回転を制限するように構成され、（ｑｑ）第１の導管コネクタおよび第２の導管コネクタのそれぞれは、第１の導管コネクタおよび第２の導管コネクタを、それぞれ第１のプレナムチャンバ孔および第２のプレナムチャンバ孔においてプレナムチャンバに解放可能に接続する第１のタブおよび第２のタブをさらに含み得、（ｒｒ）第１のタブおよび第２のタブは、第１の導管コネクタおよび第２の導管コネクタが、第１のタブをプレナムチャンバと係合した後、第２のタブをプレナムチャンバと係合することによってのみプレナムチャンバに接続可能であるように構成され得、（ｓｓ）第１のタブおよび第２のタブは、第１の導管コネクタおよび第２の導管コネクタが、第２のタブをプレナムチャンバから係合解除した後、第１のタブをプレナムチャンバから係合解除することによってのみプレナムチャンバから接続解除可能であるように構成され得、（ｔｔ）プレナムチャンバは、第１のプレナムチャンバ孔および第２のプレナムチャンバ孔のそれぞれの近位のスロットをさらに含み得、第１の導管コネクタおよび第２の導管コネクタのそれぞれの第１のタブは、第１のプレナムチャンバ孔および第２のプレナムチャンバ孔の対応するいずれかと連動しているスロットに係合するように構成され得、第１の導管コネクタおよび第２の導管コネクタのそれぞれは、第１の導管コネクタおよび第２の導管コネクタのそれぞれの第１のタブが対応するスロットと係合している場合に、対応するスロットを中心に回転可能であり得、（ｕｕ）プレナムチャンバは、第１のプレナムチャンバ孔および第２のプレナムチャンバ孔のそれぞれの近位の戻り止めをさらに含み得、第１の導管コネクタおよび第２の導管コネクタのそれぞれの第２のタブは、キャッチをさらに含み得、キャッチは、第１のプレナムチャンバ孔および第２のプレナムチャンバ孔の対応するいずれかと連動している戻り止めをスナップ嵌めで係合するように構成され、（ｖｖ）第１の導管コネクタおよび第２の導管コネクタのそれぞれの第２のタブは、可撓性であり得、（ｗｗ）第１の導管コネクタおよび第２の導管コネクタのそれぞれは、対応する第２のタブの両側にギャップをさらに含み得、これにより、第２のタブが第１の導管コネクタおよび第２の導管コネクタのそれぞれからカンチレバーされるようにし、（ｘｘ）シール形成構造は、患者の鼻孔の周囲を密閉するように構成された鼻部位と、患者の口の周囲を密閉するように構成された口部位とを含み得、（ｙｙ）シール形成構造は、患者の鼻孔と患者インターフェースチャンバとの間の空気圧連通を提供するように構成された鼻部位孔を含み得、シール形成構造は、患者の口と患者インターフェースチャンバとの間の空気圧連通を提供するように構成された口部位孔を含み得、（ｚｚ）患者インターフェースは、第１の導管および第２の導管のそれぞれが接続ポートハウジングと空気圧連通している、接続ポートハウジングと、接続ポートハウジングに接続している接続ポートとを含み得、接続ポートは、治療圧力
における空気流れを受容すべく空気回路に接続されるように構成され、（ａａａ）接続ポートは、エルボーを含み得、（ｂｂｂ）接続ポートは、少なくとも１つの通気孔を含み得、（ｃｃｃ）接続ポートは、接続ポートハウジングに旋回可能に接続され得、かつ／または（ｄｄｄ）接続ポートおよび接続ポートハウジングは、使用時において患者の頭部の上方に配置されるように構成され得る。
【００８２】
本技術の別の態様は、以下を含み得る呼吸治療システムに関する：前３項の実施例のいずれかに記載の患者インターフェース；治療圧力における空気流れを生成するように構成された呼吸圧力治療デバイス；および治療圧力における空気流れを、呼吸圧力治療デバイスから患者インターフェースへと方向づけるように構成された空気回路。
【００８３】
本技術の一形態の別の態様は、意図される装着者の形状に対して相補的である周辺形状と共に成形または他の場合に構築された患者インターフェースである。
【００８４】
本技術の一形態の一態様は、装置の製造方法である。
【００８５】
本技術の特定の形態の一態様は、例えば医療トレーニングを受けたことの無い人、あまり器用ではない人や洞察力の欠いた人、またはこの種の医療デバイスの使用経験が限られた人にとって使い易い医療デバイスである。
【００８６】
本技術の一形態の一態様は、人間が（例えば、自宅周囲において）持ち運び可能な携帯用ＲＰＴデバイスである。
【００８７】
本技術の一形態の一態様は、患者の家庭において例えば石けん水などによって洗浄することが可能な患者インターフェースであり、特殊な清浄器具は不要である。本技術の一形態の一態様は、患者の家庭において例えば石けん水などによって洗浄することが可能な患者インターフェースであり、特殊な清浄器具は不要である。
【００８８】
記載される方法、システム、デバイスおよび装置により、プロセッサにおける機能（例えば、特定目的用コンピュータのプロセッサ、呼吸モニターおよび／または呼吸治療装置の機能）の向上が可能となるように具現され得る。さらに、記載の方法、システム、デバイスおよび装置により、呼吸状態（例えば、睡眠障害呼吸）の自動管理、監視および／または治療の技術分野における向上が可能になる。
【００８９】
もちろん、上記態様の一部は、本技術の下位態様を形成し得る。また、下位態様および／または態様のうち多様な１つを多様に組み合わせることができ、本技術のさらなる態様または下位態様も構成し得る。
【００９０】
本技術の他の特徴は、以下の詳細な説明、要約、図面および特許請求の範囲中に含まれる情報に鑑みれば明らかになる。
【図面の簡単な説明】
【００９１】
4    図面の簡単な説明
本技術を、添付図面中に非限定的に一実施例として例示する。図面中、類似の参照符号は、以下の類似の要素を含む：
【００９２】
4.1    治療システム
【図１Ａ】図１Ａは、患者インターフェース３０００を装着している患者１０００を含むシステムを示す。このシステムは、鼻枕の形態をとり、ＲＰＴデバイス４０００から供給される陽圧の空気を受容する。ＲＰＴデバイス４０００からの空気は、加湿器５０００によって加湿され、空気回路４１７０に沿って患者１０００へと移動する。同床者１１００も図示される。患者は、仰臥位睡眠位置において睡眠している。
【図１Ｂ】図１Ｂは、患者インターフェース３０００を装着している患者１０００を含むシステムを示す。このシステムは、鼻マスクの形態をとり、ＲＰＴデバイス４０００から供給される陽圧の空気を受容する。ＲＰＴデバイスからの空気は、加湿器５０００によって加湿され、空気回路４１７０に沿って患者１０００へと移動する。
【図１Ｃ】図１Ｃは、患者インターフェース３０００を装着している患者１０００を含むシステムを含む。患者インターフェース３０００は、フルフェイスマスクをとり、陽圧の空気供給をＲＰＴデバイス４０００から受容する。ＲＰＴデバイスからの空気は、加湿器５０００によって加湿され、空気回路４１７０に沿って患者１０００へと移動する。患者は、側臥位睡眠位置において睡眠している。
【００９３】
4.2      呼吸システムおよび顔の解剖学的構造
【図２Ａ】図２Ａは、鼻腔および口腔、喉頭、声帯ひだ、食道、気管、気管支、肺、肺胞嚢、心臓および横隔膜を含むヒト呼吸器系の概要を示す。
【図２Ｂ】図２Ｂは、鼻腔、鼻骨、外側鼻軟骨、大鼻翼軟骨、鼻穴、上唇、下唇、喉頭、硬口蓋、軟口蓋、口咽頭、舌、喉頭蓋、声帯ひだ、食道および気管を含むヒトの上気道の図である。
【図２Ｃ】図２Ｃは、上唇、上唇紅、下唇紅、下唇、口の幅、内眼角、鼻翼、鼻唇溝および口角点を含む表面解剖学的構造のいくつかの特徴を含む顔の正面図である。上側、下側、ラジアル内方およびラジアル外方の方向も記載される。
【図２Ｄ】図２Ｄは、眉間、セリオン、鼻尖点、鼻下点、上唇、下唇、スプラメントン、鼻堤、鼻翼頂上点、耳基底上点および耳基底下点を含む表面解剖学的構造のいくつかの特徴を含む頭部の側面図である。上側および下側と、前方および後方との方向も記載される。
【図２Ｅ】図２Ｅは、頭部のさらなる側面図である。フランクフォート水平および鼻唇角の大まかな位置が記載されている。冠状面も記載される。
【図２Ｆ】図２Ｆは、鼻唇溝、下唇、上唇紅、鼻孔、鼻下点、鼻柱、鼻尖点、鼻孔の主軸および正中矢状面を含むいくつかの特徴を含む鼻の底面図である。
【図２Ｇ】図２Ｇは、鼻の表面的特徴の側面図である。
【図２Ｈ】図２Ｈは、外側鼻軟骨、鼻中隔軟骨、大鼻翼軟骨、小鼻翼軟骨、鼻種子軟骨、鼻骨、表皮、脂肪組織、上顎骨の前頭突起および線維性脂肪組織を含む鼻の皮下構造を示す。
【図２Ｉ】図２Ｉは、正中矢状面からおよそ数ミリメートルの位置における鼻の中間切開を示し、特に鼻中隔軟骨および大鼻翼軟骨の内側脚を示す。
【図２Ｊ】図２Ｊは、前頭骨、鼻骨および頬骨を含む頭蓋骨の骨正面図である。鼻甲介が上顎骨および下顎骨と共に図示されている。
【図２Ｋ】図２Ｋは、頭蓋骨を頭部表面の外形およびいくつかの筋肉と共に示す側面図である。以下の骨が図示されている：前頭骨、蝶形骨、鼻骨、頬骨、上顎骨、下顎骨、頭頂骨、側頭骨および後頭骨。オトガイ隆起が図示されている。以下の筋肉が図示されている：顎二腹筋、咬筋、胸鎖乳突筋および僧帽筋。
【図２Ｌ】図２Ｌは、鼻の前外側を示す。
【００９４】
4.3    患者インターフェース
【図３Ａ】図３Ａは、本技術の一形態による鼻マスクの形態の患者インターフェースを示す。
【図３Ｂ】図３Ｂは、構造を１つの点において切断した模式的断面図である。この点における外向き法線が図示される。この点における曲率は、正の符号と、３Ｃに示す曲率の大きさと比較して比較的大きな大きさとを有する。
【図３Ｃ】図３Ｃは、構造を１つの点において切断した模式的断面図である。この点における外向き法線が図示される。この点における曲率は、正の符号と、図３Ｂに示す曲率の大きさと比較して比較的小さな大きさとを有する。
【図３Ｄ】図３Ｄは、構造を１つの点において切断した模式的断面図である。この点における外向き法線が図示される。この点における曲率の値はゼロである。
【図３Ｅ】図３Ｅは、構造を１つの点において切断した模式的断面図である。この点における外向き法線が図示される。この点における曲率は、負の符号と、図３Ｆに示す曲率の大きさと比較して比較的小さな大きさとを有する。
【図３Ｆ】図３Ｆは、構造を１つの点において切断した模式的断面図である。この点における外向き法線が図示される。この点における曲率は、負の符号と、図３Ｅに示す曲率の大きさと比較して比較的大きな大きさとを有する。
【図３Ｇ】図３Ｇは、２つの枕を含むマスク用クッションを示す。クッションの外面が図示される。表面の縁部が図示される。ドーム領域およびサドル領域が図示される。
【図３Ｈ】図３Ｈは、マスク用クッションを示す。クッションの外面が図示される。表面の縁部が図示される。点Ａと点Ｂとの間の表面上の経路が図示される。ＡとＢとの間の直線距離が図示される。２つのサドル領域およびドーム領域が図示される。
【図３Ｉ】図３Ｉは、構造の表面を示し、この表面中には一次元穴が開いている。図示の平面曲線は、一次元穴の境界を形成する。
【図３Ｊ】図３Ｊは、図３Ｉの構造を通じた断面図である。図示の表面は、図３Ｉの構造中の二次元穴を境界付ける。
【図３Ｋ】図３Ｋは、二次元穴および一次元穴を含む図３Ｉの構造の斜視図である。また、図３Ｉの構造中の二次元穴を境界付ける表面が図示される。
【図３Ｌ】図３Ｌは、クッションとしての可膨張性ブラダーを有するマスクを示す。
【図３Ｍ】図３Ｍは、図３Ｌのマスクの断面図であり、ブラダーの内面を示す。内面により、マスク中の二次元穴が境界付けられる。
【図３Ｎ】図３Ｎは、図３Ｌのマスクを通じたさらなる断面を示す。内面も図示される。
【図３Ｏ】図３Ｏは、左手の法則を示す。
【図３Ｐ】図３Ｐは、右手の法則を示す。
【図３Ｑ】図３Ｑは、左耳螺旋を含む左耳を示す。
【図３Ｒ】図３Ｒは、右耳螺旋を含む右耳を示す。
【図３Ｓ】図３Ｓは、右手螺旋を示す。
【図３Ｔ】図３Ｔは、マスクの異なる領域内の密閉膜の縁部によって規定された空間曲線のねじれのサインを含むマスクの図である。
【図３Ｕ】図３Ｕは、正中矢状面および中央接触面を示す、プレナムチャンバ３２００の図である。
【図３Ｖ】図３Ｖは、図３Ｕのプレナムチャンバの後方の図である。図中の方向は、中央接触面に対して垂直である。図３Ｖ中、正中矢状面により、プレナムチャンバが左手側および右手側に二等分される。
【図３Ｗ】図３Ｗは、図３Ｖのプレナムチャンバを通じた断面図であり、この断面は、図３Ｖに示す正中矢状面においてとられる。「中央接触」面が図示される。中央接触面は、正中矢状面に対して垂直である。中央接触面の方位は、腱３２１０の方位に対応する。腱３２１０は、正中矢状面上に載置され、正中矢状面上の２点（すなわち、上点３２２０および下点３２３０）においてプレナムチャンバのクッションのみと接触する。この領域におけるクッションのジオメトリに応じて、中央接触面は、上点および下点双方に接し得る。
【図３Ｘ】図３Ｘは、図３Ｕのプレナムチャンバ３２００が顔面上の使用位置にある状態を示す。プレナムチャンバ３２００の正中矢状面は、プレナムチャンバが使用位置にあるとき、顔の正中矢状面と概して一致する。中央接触面は、プレナムチャンバが使用位置にあるとき、「顔の面」に概して対応する。図３Ｘにおいて、プレナムチャンバ３２００は鼻マスクのものであり、上点３２２０はほぼセリオン上に載置され、下点３２３０は上唇上に載置される。
【００９５】
4.4    ＲＰＴデバイス
【図４Ａ】本技術の一形態に従ったＲＰＴデバイス４０００を示す。
【図４Ｂ】本技術の一形態に従ったＲＰＴデバイス４０００の空気圧経路の概略図である。上流および下流の方向が、送風機および患者インターフェースに対して示される。任意の特定の瞬間における実際の流れ方向に関係無く、送風機は患者インターフェースの上流にあるものとして規定され、患者インターフェースは送風機の下流にあるものとして規定される。送風機と患者インターフェースとの間の空気圧経路内に配置されたアイテムは、送風機の下流および患者インターフェースの上流にある。
【図４Ｃ】本技術の一態様に従ったＲＰＴデバイス４０００の電気部品の概略図である。
【００９６】
4.5    加湿器
【図５Ａ】図５Ａは、本技術の一形態による加湿器の等角図である。
【図５Ｂ】図５Ｂは、本技術の一形態による加湿器の等角図であり、加湿器リザーバ５１１０を加湿器リザーバドック５１３０から除去した様子を示す。
【図５Ｃ】図５Ｃは、本技術の一形態による加湿器の模式図である。
【００９７】
4.6      呼吸波形
【図６】図６は、睡眠時のヒトの典型的な呼吸波形のモデルを示す。
【００９８】
4.7    本技術の患者インターフェースの実施例
【図７】図７は、本技術の一実施例による患者インターフェースの前方斜視図である。
【図８】図8は、本技術の一実施例による患者インターフェースの後方斜視図である。
【図９】図9は、本技術の一実施例による患者インターフェースの下方図である。
【図１０】図10は、本技術の一実施例による患者インターフェースの前方図である。
【図１１】図11は、本技術の一実施例による患者インターフェースの後方図である。
【図１２】図12は、図11の線12-12を通じてとられた本技術の一実施例による患者インターフェースの断面図である。
【図１３】図13は、本技術の一実施例による患者インターフェースの側面図である。
【図１４】図14は、図13の線14、15-14、15を通じてとられた本技術の一実施例による患者インターフェースの断面図である。
【図１５】図15は、図13の線14、15-14、15を通じてとられた本技術の一実施例による患者インターフェースの断面図である。
【図１６】図16は、本技術の一実施例による患者インターフェースの前方斜視図である。
【図１７】図17は、本技術の一実施例による患者インターフェースの後方斜視図である。
【図１８】図18は、本技術の一実施例による患者インターフェースの上方図である。
【図１９】図19は、本技術の一実施例による患者インターフェースのサブアセンブリの前方斜視図である。
【図２０】図20は、本技術の一実施例による患者インターフェースのサブアセンブリの前方図である。
【図２１】図21は、本技術の一実施例による患者インターフェースのサブアセンブリの後方斜視図である。
【図２２】図22は、本技術の一実施例による患者インターフェースのサブアセンブリの後方図である。
【図２３】図23は、図22の線23-23を通じてとられた本技術の一実施例による患者インターフェースのサブアセンブリの断面図である。
【図２４】図24は、本技術の一実施例による患者インターフェースのサブアセンブリの側面図である。
【図２５】図25は、本技術の一実施例による患者インターフェース用の導管コネクタの前方斜視図である。
【図２６】図26は、本技術の一実施例による患者インターフェース用の導管コネクタの後方斜視図である。
【図２７】図27は、本技術の一実施例による患者インターフェース用の導管コネクタの側方斜視図である。
【図２８】図28は、本技術の一実施例による患者インターフェース用の導管コネクタの上方図である。
【図２９】図29は、図28の線29、30−29、30を通じてとられた本技術の一実施例による患者インターフェース用の導管コネクタの断面図である。
【図３０】図30は、図28の線29、30−29、30を通じてとられた本技術の一実施例による患者インターフェース用の導管コネクタの断面図である。
【図３１】図31は、本技術の一実施例による患者インターフェース用の導管コネクタの前方斜視図である。
【図３２】図32は、本技術の一実施例による患者インターフェースの前方斜視図である。
【図３３】図33は、本技術の一実施例による患者インターフェースの前方図である。
【図３４】図34は、本技術の一実施例による患者インターフェースが患者によって装着されている際の前方斜視図である。
【図３５】図35は、本技術の一実施例による患者インターフェースが患者によって装着されている際の側面図である。
【図３６】図36は、本技術の一実施例による患者インターフェースが患者によって装着されている際の前方斜視図である。
【図３７】図37は、本技術の一実施例による患者インターフェース用の接続ポートの上方斜視図である。
【図３８】図38は、本技術の一実施例による患者インターフェース用の接続ポートの下方斜視図である。
【図３９】図39は、本技術の一実施例による患者インターフェースの前方斜視図である。
【図４０】図40は、本技術の一実施例による患者インターフェースの後方斜視図である。
【図４１】図41は、本技術の一実施例による患者インターフェースの下方図である。
【図４２】図42は、本技術の一実施例による患者インターフェースの前方図である。
【図４３】図43は、本技術の一実施例による患者インターフェースの後方図である。
【図４４】図44は、図43の線44-44を通じてとられた本技術の一実施例による患者インターフェースの断面図である。
【図４５】図45は、本技術の一実施例による患者インターフェースの側方図である。
【図４６】図46は、図45の線46、47-46、47を通じてとられた本技術の一実施例による患者インターフェースの断面図である。
【図４７】図47は、図45の線46、47-46、47を通じてとられた本技術の一実施例による患者インターフェースの断面図である。
【図４８】図48は、本技術の一実施例による患者インターフェースの前方斜視図である。
【図４９】図49は、本技術の一実施例による患者インターフェースの後方斜視図である。
【図５０】図50は、本技術の一実施例による患者インターフェースの上方図である。
【図５１】図51は、本技術の一実施例による患者インターフェースのサブアセンブリの前方斜視図である。
【図５２】図52は、本技術の一実施例による患者インターフェースのサブアセンブリの前方図である。
【図５３】図53は、本技術の一実施例による患者インターフェースのサブアセンブリの後方斜視図である。
【図５４】図54は、本技術の一実施例による患者インターフェースのサブアセンブリの後方図である。
【図５５】図55は、図54の線55-55を通じてとられた本技術の一実施例による患者インターフェースのサブアセンブリの断面図である。
【図５６】図56は、本技術の一実施例による患者インターフェース用の導管コネクタの後方斜視図である。
【図５７】図57は、本技術の一実施例による患者インターフェース用の導管コネクタの分解後方斜視図である。
【図５８】図58は、本技術の一実施例による患者インターフェース用の導管コネクタの分解前方斜視図である。
【図５９】図59は、本技術の一実施例による患者インターフェース用の導管コネクタの上方図である。
【図６０】図60は、図58の線59、60-59、60を通じてとられた本技術の一実施例による患者インターフェース用の導管コネクタの断面図である。
【図６１】図61は、図58の線59、60-59、60を通じてとられた本技術の一実施例による患者インターフェース用の導管コネクタの断面図である。
【図６２】図62は、本技術の一実施例による患者インターフェース用の導管コネクタの前方斜視図である。
【図６３】図63は、本技術の一実施例による患者インターフェースを導管に接合するための導管コネクタの断面図である。
【図６４】図64は、本技術の一実施例による患者インターフェースの前方図である。
【図６５】図６５は、本技術の一実施例による患者インターフェースの前方斜視図である。
【図６６】図66は、本技術の一実施例による位置決めおよび安定化構造の後方図である。
【図６７】図67は、本技術の一実施例によるクリップの斜視図である。
【図６８】図68は、本技術の一実施例によるクリップの斜視図である。
【発明を実施するための形態】
【００９９】
5    本技術の実施例の詳細な説明
本技術についてさらに詳細に説明する前に、本技術は、本明細書中に記載される異なり得る特定の実施例に限定されるのではないことが理解されるべきである。本開示中に用いられる用語は、本明細書中に記載される特定の実施例を説明する目的のためのものであり、限定的なものではないことも理解されるべきである。
【０１００】
以下の記載は、１つ以上の共通の特性および／または特徴を共有し得る多様な実施例に関連して提供される。任意の１つの実施例の１つ以上の特徴は、別の実施例または他の実施例の１つ以上の特徴と組み合わせることが可能であることが理解されるべきである。加えて、これらの実施例のうちのいずれかにおける任意の単一の特徴または特徴の組み合わせは、さらなる実施例を構成し得る。
【０１０１】
5.1    治療法
一形態において、本技術は、呼吸器疾患の治療方法を含む。本方法は、患者１０００の気道の入口へ陽圧を付加するステップを含む。
【０１０２】
本技術の特定の実施例において、陽圧における空気供給が鼻孔の片方または双方を介して患者の鼻通路へ提供される。
【０１０３】
本技術の特定の実施例において、口呼吸が制限されるか、限定されるかまたは妨げられる。
【０１０４】
5.2    治療システム
１つの形態において、本技術は、呼吸障害の治療のための装置またはデバイスを含む。装置またはデバイスは、加圧空気を患者インターフェース３０００への空気回路４１７０を介して患者１０００へ供給するＲＰＴデバイス４０００を含み得る。
【０１０５】
5.3    患者インターフェース
本技術の一態様による非侵襲的患者インターフェース３０００は、以下の機能様態を含む：シール形成構造３１００、プレナムチャンバ３２００、位置決めおよび安定化構造３３００、通気部３４００、空気回路４１７０への接続のための一形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、シール形成構造３１００は、気道への陽圧での空気供給を促進するように、患者の気道の入口を包囲するように配置される。
【０１０６】
患者インターフェースが最低レベルの陽圧を快適に気道へ送達できない場合、患者インターフェースは呼吸圧力治療に不適切であり得る。
【０１０７】
本技術の一形態による患者インターフェース３０００は、周囲に対して少なくとも６ｃｍＨ２Ｏの陽圧で空気供給を提供できるように構築および配置される。
【０１０８】
本技術の一形態による患者インターフェース３０００は、周囲に対して少なくとも１０ｃｍＨ２Ｏの陽圧で空気供給を提供できるように構築および配置される。
【０１０９】
本技術の一形態による患者インターフェース３０００は、周囲に対して少なくとも２０ｃｍＨ２Ｏの陽圧で空気供給を提供できるように構築および配置される。
【０１１０】
5.3.1    シール形成構造
本技術の一形態において、シール形成構造３１００は、目標シール形成領域を提供し、クッション機能をさらに提供し得る。目標シール形成領域は、シール形成構造３１００において密閉が発生し得る領域である。密閉が実際に発生する領域（すなわち、実際の密閉面）は、一定範囲の要素（例えば、顔面上の患者インターフェースの配置位置、位置決めおよび安定化構造における張力、および患者の顔の形状）に応じて、所与の治療セッションにおいて患者によって日々変化し得る。
【０１１１】
一形態において、目標シール形成領域が、シール形成構造３１００の外面上に配置される。
【０１１２】
本技術の特定の形態において、シール形成構造３１００は、生体適合性材料（例えば、シリコーンゴム）から構成される。
【０１１３】
本技術によるシール形成構造３１００は、柔らかく、可撓性でありかつ弾力性のある材料（例えば、シリコーン）から構成され得る。
【０１１４】
本技術の特定の形態において、１つよりも多くのシール形成構造３１００を含むシステムが提供される。各シール形成構造３１００は、異なるサイズおよび／または形状範囲に対応するように構成される。例えば、システムは、小さなサイズの頭ではなく大きなサイズの頭に適したシール形成構造３１００の一形態および大きなサイズの頭ではなく小さなサイズの頭に適した別のものを含み得る。
【０１１５】
5.3.1.1    密閉機構
一形態において、シール形成構造は、圧力アシスト密閉機構を用いる密閉フランジを含む。使用時において、密閉フランジは、プレナムチャンバ３２００内のシステム陽圧に容易に応答してその下側上に作用して、面と緊密な密閉係合を形成させ得る。圧力アシスト機構は、位置決めおよび安定化構造における弾性張力と共に作用し得る。
【０１１６】
一形態において、シール形成構造３１００は、密閉フランジおよび支持フランジを含む。密閉フランジは、厚さが約１ｍｍ未満（例えば、約０．２５ｍｍ〜約０．４５ｍｍ）の比較的肉薄の部材を含む。この部材は、プレナムチャンバ３２００の縁部長さの周囲に延びる。支持フランジは、密閉フランジよりも比較的肉厚であり得る。支持フランジは、密閉フランジと、プレナムチャンバ３２００の周縁部との間に配置され、周辺長さの周囲の少なくとも一部に延びる。支持フランジは、バネ様要素であるかまたはバネ様要素を含み、密閉フランジを使用時に座屈しないように支持するよう機能する。
【０１１７】
一形態において、シール形成構造は、圧縮密閉部またはガスケット密閉部を含み得る。使用時において、圧縮密閉部またはガスケット密閉部は、例えば位置決めおよび安定化構造における弾性張力に起因して圧縮状態となるように、構築および配置される。
【０１１８】
一形態において、シール形成構造は、張力部を含む。使用時において、張力部は、例えば密閉フランジの隣接領域により、ぴんと張られた状態で保持される。
【０１１９】
一形態において、シール形成構造は、粘着面または接着面を有する領域を含む。
【０１２０】
本技術の特定の形態において、シール形成構造は、圧力アシスト密閉フランジ、圧縮密閉部、ガスケット密閉部、張力部、および粘着面または接着面を有する部位のうち１つ以上を含み得る。
【０１２１】
5.3.1.2    鼻梁または鼻堤領域
一形態において、非侵襲的患者インターフェース３０００は、使用時に患者の顔の鼻梁領域上にまたは鼻堤領域上に密閉を形成するシール形成構造を含む。
【０１２２】
一形態において、シール形成構造は、使用時において患者の顔の鼻梁領域上または鼻堤領域上にシールを形成するように構築されたサドル状領域を含む。
【０１２３】
5.3.1.3    上唇領域
一形態において、非侵襲的患者インターフェース３０００は、患者の顔の上唇領域（すなわち、上唇）上に使用時に密閉を形成するシール形成構造を含む。
【０１２４】
一形態において、シール形成構造は、使用時において患者の顔の上唇領域上にシールを形成するように構築されたサドル状領域を含む。
【０１２５】
5.3.1.4    顎領域
一形態において、非侵襲的患者インターフェース３０００は、使用時に患者の顔の顎領域上に密閉を形成するシール形成構造を含む。
【０１２６】
一形態において、シール形成構造は、使用時において患者の顔の顎領域上にシールを形成するように構築されたサドル状領域を含む。
【０１２７】
5.3.1.5    前額領域
一形態において、シール形成構造は、シール使用時において患者の顔の前額領域上にシールを形成する。このような形態において、プレナムチャンバは、使用時において眼を被覆し得る。
【０１２８】
5.3.1.6    鼻枕
一形態において、非侵襲的患者インターフェース３０００のシール形成構造は、一対の鼻パフまたは鼻枕を含む。各鼻パフまたは鼻枕は、患者の鼻の各鼻孔とのシールを形成するように構成および配置される。
【０１２９】
本技術の一態様による鼻枕は、円錐台を含む。円錐台のうち少なくとも一部は、患者の鼻の下側、柄部、円錐台の下側上の可撓性領域上に密閉を形成し、円錐台を柄部へ接続させる。加えて、本技術の鼻枕が接続される構造は、柄部のベースに隣接する可撓性領域を含む。可撓性領域は、自在接合構造を促進するように機能し得る。自在接合構造は、円錐台の変位および角度双方と、鼻枕が接続される構造との相互移動に対応する。例えば、円錐台は、柄部が接続された構造に向かって軸方向に変位し得る。
【０１３０】
5.3.1.7    本技術のシール形成構造３１００
本技術の実施例によるシール形成構造３１００は、患者の鼻孔および口の周囲を別個にシールし得る（すなわち、口鼻）。
【０１３１】
シール形成構造３１００は、患者の鼻孔をシールするために、鼻部位孔３１０３を有する鼻部位３１０１を含み得る。記載の実施例において、患者鼻孔双方へ空気流れを提供するために、１つの鼻部位孔３１０３が設けられる。別の実施例において、鼻部位孔３１０３は、２つの別個の孔に分割され得る。これら２つの別個の孔はそれぞれ、患者鼻孔の１つに対応する。鼻部位３１０１の一部は、２つの別個の孔に分離され得る。
【０１３２】
シール形成構造３１００は、患者の口をシールするために、口部位孔３１０４を有する口部位３１０２を含み得る。
【０１３３】
シール形成構造３１００は、空気流れによって加圧される患者インターフェースチャンバ３００１を少なくとも部分的に形成し得る。プレナムチャンバ３２００は、シール形成構造３１００と接合して患者インターフェースチャンバ３００１をさらに形成してよい。
【０１３４】
5.3.2    プレナムチャンバ
プレナムチャンバ３２００は、使用時に密閉が形成される領域において平均的な人の顔の表面外形に対して相補的である形状の周囲を有する。使用時において、プレナムチャンバ３２００の周辺縁部は、顔の隣接する表面に近接して位置決めされる。顔との実際の接触は、シール形成構造３１００によって提供される。シール形成構造３１００は、使用時においてプレナムチャンバ３２００の縁部全体の周りに延び得る。いくつかの形態において、プレナムチャンバ３２００およびシール形成構造３１００は、単一の均質的材料ピースから形成される。
【０１３５】
本技術のいくつかの形態において、プレナムチャンバ３２００は、使用時において患者の眼を被覆しない。換言すると、眼は、プレナムチャンバによって規定される加圧空間外にある。このような形態の場合、押しつけがさが低減しかつ／またはより着用者の快適性が増すことが多いため、治療コンプライアンスが向上し得る。
【０１３６】
本技術の特定の形態において、プレナムチャンバ３２００は、透明材料（例えば、透明ポリカーボネート）から構築される。透明材料の利用により、患者インターフェースの押しつけがましさが低減され得、治療へのコンプライアンスの向上が補助され得る。透明材料の利用により、臨床医が患者インターフェースの配置様態および機能を確認することが補助され得る。
【０１３７】
本技術の特定の形態において、プレナムチャンバ３２００は、半透明材料から構成される。半透明材料を用いることにより、患者インターフェースの押しつけがましさを低減することができ、治療へのコンプライアンスの向上を補助することができる。
【０１３８】
本技術の実施例によるプレナムチャンバ３２００は、プレナムチャンバ孔３２０１を各側面上に含んでいてよい。プレナムチャンバ３２０１により、（以下により詳細に説明する）導管コネクタ３８００と、患者インターフェースチャンバ３００１との間に空気圧連通が得られ得る。プレナムチャンバ３２００は、各プレナムチャンバ孔３２０１の周囲に接続リム３２０２を含み得る。接続リム３２０２により、各導管コネクタとの機械接続（例えば、スナップ嵌めまたは摩擦嵌め）が容易になり得る。プレナムチャンバ３２００は、充分な剛性の材料によって構成され得るため、導管コネクタ３８００をプレナムチャンバ３２００へ接続した際またはプレナムチャンバ３２００から取り外した際、患者へ聴覚および／または触覚フィードバックを届けることができる。
【０１３９】
シール形成構造３１００は、プレナムチャンバ３２００へ接続してもよい。接続は、恒久的であってもよいし、シール形成構造３１００は、プレナムチャンバ３２００から取り外し可能であってもよい。シール形成構造３１００は、プレナムチャンバ３２００に対してオーバーモールドされてもよい。シール形成構造３１００およびプレナムチャンバ３２００は、機械的インターロックによって接合され得る。機械インターロックにおいて、プレナムチャンバ３２００とシール形成構造３１００との間に化学結合は形成されない。
【０１４０】
5.3.3    位置決めおよび安定化構造
本技術の患者インターフェース３０００のシール形成構造３１００は、使用時において位置決めおよび安定化構造３３００によって密閉位置において保持され得る。
【０１４１】
一形態において、位置決めおよび安定化構造３３００により、顔から浮き上がるためのプレナムチャンバ３２００中の陽圧の効果に打ち勝つのに少なくとも充分な保持力が得られる。
【０１４２】
一形態において、位置決めおよび安定化構造３３００により、患者インターフェース３０００上への引力に打ち勝つだけの保持力が得られる。
【０１４３】
一形態において、位置決めおよび安定化構造３３００により、患者インターフェース３０００上への破壊的作用の可能性（例えば、管引き摺りまたは患者インターフェースとの不慮の干渉に起因するもの）を解消するための安全マージンとして保持力が得られる。
【０１４４】
本技術の一形態において、患者が睡眠時に装着されるように構成された位置決めおよび安定化構造３３００が提供される。一実施例において、位置決めおよび安定化構造３３００は、装置の感知される嵩または実際の嵩を低減するように、目立たない外形または断面厚さを有する。一実施例において、位置決めおよび安定化構造３３００は、矩形断面を有する少なくとも１つのストラップを含む。一実施例において、位置決めおよび安定化構造３３００は、少なくとも１つの平坦ストラップを含む。
【０１４５】
本技術の一形態において、患者が患者の頭部の後部領域を枕に載せた状態で仰臥位睡眠位置において寝る際の妨げとなるような過度に大きいまたは嵩張るサイズにならないように構成された位置決めおよび安定化構造３３００が提供される。
【０１４６】
本技術の一形態において、患者が患者の頭部の側部領域を枕に載せた状態で側臥位睡眠位置において寝る際の妨げとなるような過度に大きいまたは嵩張るサイズにならないように構成された位置決めおよび安定化構造３３００が提供される。
【０１４７】
本技術の一形態において、位置決めおよび安定化構造３３００は、位置決めおよび安定化構造３３００の前方部位と位置決めおよび安定化構造３３００の後方部位との間に配置された結合解除部位を備える。この結合解除部は、圧縮に耐えず、例えば可撓性またはぺらぺらのストラップであり得る。結合解除部は、患者が頭を枕に載せて横たわったときに結合解除部の存在により後部への力が位置決めおよび安定化構造３３００に沿って伝達されてシールが妨害される事態を回避できるように、構築および配置される。
【０１４８】
本技術の一形態において、位置決めおよび安定化構造３３００は、布地患者接触層、発泡材料内側層および布地外側層の積層物から構成されたストラップを含む。一形態において、発泡材料は、湿気（例えば、汗）がストラップを通過できるような多孔性である。一形態において、布地外側層は、フック材料部分と係合するループ材料を含む。
【０１４９】
本技術の特定の形態において、位置決めおよび安定化構造３３００は、伸張可能である（例えば、弾力性と共に伸張可能である）ストラップを含む。例えば、ストラップは、使用時にはピンと張った状態にされて、シール形成構造を患者の顔の一部と密着させる力を方向付けるように、構成され得る。一実施例において、ストラップは、タイとして構成され得る。
【０１５０】
本技術の一形態において、位置決めおよび安定化構造は第１のタイを含み、第１のタイは、使用時においてその下縁部の少なくとも一部が上を通過して患者の頭の耳基底上点へ移動し、後頭骨を被覆することなく頭頂骨の一部を被覆するように、構築および配置される。
【０１５１】
鼻専用マスクまたはフルフェイスマスクに適した本技術の一形態において、位置決めおよび安定化構造は、第２のタイを含む。第２のタイは、使用時においてその上縁部の少なくとも一部が患者頭部の下側の耳基底下点の下側を通過し、患者頭部の後頭骨を被覆するかまたは患者頭部の後頭骨の下側に載置されるように、構築および配置される。
【０１５２】
鼻専用マスクまたはフルフェイスマスクに適した本技術の一形態において、位置決めおよび安定化構造は、第１のタイおよび第２のタイが相違に離隔方向に移動する傾向を低減させるように第１のタイおよび第２のタイを相互接続させるように構築および配置された第３のタイを含む。
【０１５３】
本技術の特定の形態において、位置決めおよび安定化構造３３００は、屈曲可能であり例えば非剛性であるストラップを含む。本態様の利点として、患者が睡眠時に体を横たえたときにストラップがより快適になっている点がある。
【０１５４】
本技術の特定の形態において、位置決めおよび安定化構造３３００は、内部を水蒸気が通過できるように呼吸可能なように構成されたストラップを含む。
【０１５５】
本技術の特定の形態において、１つよりも多くの位置決めおよび安定化構造３３００を含むシステムが提供される。各位置決めおよび安定化構造３３００は、異なるサイズおよび／または形状範囲に対応するための保持力を提供するように構成される。例えば、システムは、小さなサイズの頭ではなく大きなサイズの頭に適しかつ大きなサイズの頭ではなく小さなサイズの別の頭に適した位置決めおよび安定化構造３３００の一形態を含み得る。
【０１５６】
位置決めおよび安定化構造３３００は、例えば図３２〜図３６に示すように導管コネクタ３８００への各タイを固定するためにクリップ３３０１を含み得る。クリップ３３０１および導管コネクタ３８００にはそれぞれ、両者間の接続を容易にするために反対の極性を有する磁石３３０５が配置されている。クリップ３３０１は、クロスバー３３０６も含み得る。クロスバー３３０６の周囲には、クリップ３３０１をクロスバー３３０６へ固定するために下方タイ３３０３が設けられる。
【０１５７】
図66は、上方タイ３３０２、下方タイ３３０３、および後方部位３３０４を含み得る例示的な位置決めおよび安定化構造３３００を示す。
【０１５８】
5.3.4    通気部
一形態において、患者インターフェース３０００は、吐き出されたガス（例えば、二酸化炭素）の押し出しを可能にするように構成および配置された通気部３４００を含む。
【０１５９】
特定の形態において、通気部３４００は、プレナムチャンバ内の圧力が雰囲気に対して正であるときにプレナムチャンバ３２００の内部から雰囲気への連続的通気流れを可能にするように構成される。通気部３４００は、使用時においてプレナムチャンバ内の治療圧力を維持しつつ、通気流量の大きさが呼気されたＣＯ２の患者による再呼吸を低減できるだけの充分な大きさになるように、構成される。
【０１６０】
本技術による一形態の通気部３４００は、複数の穴（例えば、約２０個〜約８０個の穴または約４０個〜約６０個の穴または約４５個〜約５５個の穴）を含む。
【０１６１】
通気部３４００は、プレナムチャンバ３２００内に配置され得る。あるいは、通気部３４００は、結合解除構造（例えば、スイベル）内に配置される。
【０１６２】
図３２および図３３は、接続ポート３６００上に設けられた通気部３４００の一実施例を示す。これらの実施例の改変例は、接続ポート３６００からの通気３４００を含み得る。
【０１６３】
以下により詳細に説明する導管コネクタ３８００も、通気フィーチャを含み得る。
【０１６４】
5.3.5    結合解除構造（複数または単数）
一形態において、患者インターフェース３０００は、少なくとも１つの結合解除構造（例えば、スイベルまたは球窩）を含む。
【０１６５】
5.3.6    接続ポート
接続ポート３６００は、空気回路４１７０への接続を可能にする。本技術の一実施例による接続ポート３６００は、接続ポートハウジング３９０３へ接続され得る。接続ポート３６００は、接続ポートハウジング３９０３に対して旋回可能であり得、空気回路４１７０への接続部も旋回可能であり得る。
【０１６６】
接続ポート３６００および接続ポートハウジング３９０３は、使用時において患者の頭部の上方に配置され得る。
【０１６７】
図37および図38は、本技術の別の実施例による患者インターフェース６０００用の接続ポート３６００を示す。本技術について患者インターフェース６０００に関して説明するが、本技術は、このような特定の実施例に限定されず、他の適切なインターフェースの配置構成および種類との使用に適合し得ることが理解されるべきである。
【０１６８】
図示の実施例において、接続ポート３６００は、患者インターフェース６０００と空気回路４１７０との間に解放可能な接続が得られるような構造および配置構成の接続ポートの形態をとる。
【０１６９】
接続ポート３６００は、（例えばスイベルコネクタ７７９０を介して）空気回路４１７０へ接続するように構成されたエルボーアセンブリ７７００と、患者インターフェース６０００へ接続するように構成されたリング部材７９００とを含む。以下により詳細に説明するように，エルボーアセンブリ７７００は、リング部材７９００に対して繰り返し係合可能かつ取り外し可能に係合解除可能（すなわち、接続可能および接続解除可能）であるため、患者インターフェース３０００の残り部分と空気回路４１７０との間の解放可能性または分離可能な接続性が促進される。
【０１７０】
5.3.6.1    エルボーアセンブリ
エルボーアセンブリ７７００は、第１の端部および第２の端部を有するエルボー部材７７１０を含む。図示の実施例において、エルボー部材７７１０は、９０°の屈曲部を含むため、第１の端部は、第２の端部に対して概して垂直になる（すなわち、第１の端部の中心軸は、第２の端部中心軸に対して９０°の角度を持つ）。しかし、第１の端部および第２の端部は、別の構成として配置してもよい（例えば、相互に対して非垂直に配置してもよい）ことが理解されるべきである。
【０１７１】
クリップ部材７７３０は、第１の端部へ設けられる。図示の実施例において、クリップ部材７７３０は、解放可能な接続（例えば、リング部材７９００との解放可能なスナップ嵌め接続または分離可能スナップ接合アセンブリ）が得られるような構造および配置構成にされる。第２の端部は、空気回路４１７０へ接続するように適合されたスイベルコネクタ７７９０（例えば、第２の端部へ恒久接続されたスイベルコネクタ７７９０）を備える。
【０１７２】
患者インターフェース３０００からの排気ガスの退出を可能にするために、複数の通気孔７７２０（例えば、少なくとも１０個の通気孔、例えば、１０個〜２０個の通気孔）がエルボー部材７７１０の後壁に沿って設けられる。図示のように，通気孔７７２０は列状に配置されているが、通気孔は、他の適切な様態において配置してもよい（例えば、同心円状に配置してもよい）ことが理解されるべきである。一実施例において、各通気孔７７２０は、長さに沿って外形またはテーパを含み得る（例えば、各孔は、呼気ガス方向に輻輳する）。しかし、各通気孔７７２０は、排気または吐出ガスを方向付けるための他の適切な形状を持ち得る。さらに、図示の実施例において、通気孔７７２０は、概して平坦であるかまたは平面状である後壁の一部上に配置され得るため、各通気孔の退出端部は、概して平坦または平面の表面に沿って設けられる。しかし、通気孔７７２０は、他の形状（円形または凸状）を有するエルボー部材７７１０の一部上に設けてもよいことが理解されるべきである。
【０１７３】
クリップ部材７７３０は、一対の弾性のクイックリリースピンチアーム７７４０と、ピンチアーム７７４０を相互接続させる接続部７７６０とを含む（すなわち、ピンチアーム７７４０は、接続部７７６０の各端部に設けられる）。
【０１７４】
ピンチアーム７７４０はそれぞれ、キャッチ部７７５０と、ボタンまたはトリガ部７７８０とを含む。ピンチアーム７７４０は、リング部材７９００との解放可能なスナップ嵌め接続または分離可能なスナップ接合アセンブリ（例えば、リング部材７９００上の凹部またはアンダーカット中へ歪むかまたはスナップ嵌めされるように構成されたキャッチ部７７５０）を提供するような構造および配置構成にされる。ボタン部７７８０は、手で摘まむかまたは締め付けられる構造および配置構成になっているため、キャッチ部７７５０を撓ませて、キャッチ部７７５０をリング部材７９００から分離または解放することができ、よってエルボーアセンブリ７７００をリング部材７９００から分離させることができる。
【０１７５】
各キャッチ部７７５０は、リング部材７９００とのスナップ接合アセンブリが得られるような構造にされた反矢じり端、リブまたはキャッチを含む。各ボタンまたはトリガ部７７８０は、指グリップ部７７８１を含む（例えば、ピンチアーム７７４０の自由端に隣接する凹部）。
【０１７６】
図示の実施例において、クリップ部材７７３０およびエルボー部材７７１０は、別個に成形された部品（すなわち、別個かつ個別の構造）を含む。これらの部品は、その後相互に接続される（例えば、スナップ嵌め接続）。例えば、クリップ部材７７３０は、エルボー部材７７１０の材料よりも高可撓性である材料を含み得るため、クリップ部材７７３０は、エルボー部材７７１０の第１の端部上に撓んで接続することができる。一実施例において、クリップ部材をエルボー部材へ固定させるために、保持配置構成が設けられる（例えば、スナップ嵌め接続またはスナップ接合アセンブリ）。
【０１７７】
図示の実施例において、クリップ部材７７３０は、セミフレキシブルかつ概して半円形の接続部７７６０を備えたオープンエンド構成を含み、これにより、クリップ部材７７３０をエルボー部材７７１０へ（例えばサークリップと同様の様態で）接続させることが可能になる。
【０１７８】
一実施例において、クリップ部材７７３０のキャッチ部７７５０は内方に付勢され得るため、クリップ部材７７３０がエルボー部材７７１０へ接続された際、キャッチ部７７５０が付勢されてエルボー部材７７１０をグリップし、エルボー部材７７１０からの除去に対するさらなる抵抗を提供する。
【０１７９】
図示の実施例において、エルボー部材７７１０およびクリップ部材７７３０により、二部式アセンブリまたは構造物が得られる。このような二部式構造物の例示的利点として、材料に対する拘束要素を少なくした製造が可能になる点がある。例えば、クリップ部材７７３０およびエルボー部材７７１０は、別個に成形された部品を含むため、クリップ部材７７３０とエルボー部材７７１０との間の共依存が低下する（例えば、クリップ部材７７３０が、エルボー部材７７１０の材料の制約を受けなくなる）。一実施例において、クリップ部材７７３０およびエルボー部材７７１０は、異なる材料および／または異なる材料特性を相互に含む。一実施例において、クリップ部材７７３０およびエルボー部材７７１０は、同一材料からワンピースとして成形されていない。
【０１８０】
一実施例において、エルボー部材７７１０は、クリップ部材７７３０の材料（例えば、ナイロン−１２）よりも高剛性の材料（例えば、ポリカーボネート）を含み得る。クリップ部材７７３０の材料（例えば、ナイロン−１２）は、比較的に可撓性かつ頑丈であり得る（例えば、ピンチアームが撓みやすくなる、耐摩耗性、エルボー部材への接続維持）。エルボー部材７７１０の材料（例えば、ポリカーボネート）は、比較的剛性であり得る（例えば、耐摩耗性、透明であるため清掃がし易い、製造容易性）。
【０１８１】
さらに、二部式構造物であるため、各部品のジオメトリの複雑度を低くすることが可能になり、その結果、組立において製造時における段取り作業が簡単になり得る。
【０１８２】
図示の実施例において、クリップ部材７７３０は、解放可能な接続（例えば、エルボー部材７７１０とのスナップ嵌め接続）が得られるような構造および配置構成にされる。このような解放可能なまたは分離可能な配置構成の場合、クリップ部材７７３０およびエルボー部材７７１０の分離時に清掃することが容易になるため、有利であり得る。
【０１８３】
別の実施例において、クリップ部材７７３０は、エルボー部材７７１０へ取り外し可能に接続されなくてもよい（例えば、クリップ部材は、エルボー部材へ恒久的に接続させてもよい）。このような取り外し不可能な配置構成は、クリップ部材が紛失するかまたは破壊される可能性を低下させるため、有利であり得る。クリップ部材は空気流路の外部にあるため、例えば空気流路へ露出される部品と比較すると、隅々までの清掃はそれほど重要ではない。
【０１８４】
一実施例において、クリップ部材７７３０およびエルボー部材７７１０は、別個に成形された部品を含み得る。これらの別個に成形された部品は、その後、クリップ部材７７３０をエルボー部材７７１０から分離できなくなるように恒久的に相互接続され得る。クリップ部材およびエルボー部材の恒久的な接合または接続のために、任意の適切な手段が用いられ得る。
【０１８５】
一実施例において、クリップ部材７７３０およびエルボー部材７７１０は、相互に溶接され得るかまたは接着され得る（例えば、超音波により相互溶接され得る）。例えば、クリップ部材７７３０を上記したようにエルボー部材７７１０に接続させた後、クリップ部材７７３０の接続部７７６０の１つ以上の部位（例えば、中央部位）をエルボー部材７７１０へ溶接または接着させて、クリップ部材をエルボー部材へ恒久的に固定することができる。この接続により、ピンチアーム７７４０の動作にとって充分なねじれ（およびねじれ耐性）を接続部において得ることが可能になる。
【０１８６】
あるいは、エルボーアセンブリの構造は、クリップ部材をエルボー部材へ容易に組み付けることができかるエルボー部材および／またはクリップ部材の構造により分解が困難または複雑になるような構造にされ得る。エルボー部材およびクリップ部材が別個に製造されたこのようなエルボーアセンブリの場合、クリップ部材をエルボー部材へ固定する際のさらなる溶接または接着作業を回避しつつ、所望の利点を達成することができる（例えば、材料選択における制約事項の低下）。
【０１８７】
リング部材７９００は、接続ポートハウジング３９０３の開口部またはアパチャ中に取り外し可能かつ密閉的に固定されるように、構成される。エルボーアセンブリ７７００は、ピンチアーム７７４０を介して、リング部材７９００に解放可能に接続する（例えば、スナップ嵌めまたはスナップジョイントアセンブリ）。
【０１８８】
接続ポート３６００により、空気回路４１７０の患者インターフェースからの結合解除が可能になる（例えば、不安定性回避のための、患者インターフェース上の管引き摺りの結合解除の向上）。
【０１８９】
結合解除一形態は、エルボーアセンブリ７７００がリング部材７９００に対して３６０°自由回転することを可能にするスイベル接続を形成するピンチアーム７７４０によって提供される。別の形態の結合解除がスイベルコネクタ７７９０によって得られると、エルボー部材７７１０に相対するスイベルコネクタ７７９０の３６０°の自由回転（および空気回路４１７０のスイベルコネクタ７７９０への接続）が可能になる。
【０１９０】
5.3.7    前額支持部
一形態において、患者インターフェース３０００は、前額支持部３７００を含む。
【０１９１】
図7〜図36に示す本技術の患者インターフェースの実施例は、前額支持部を含まない。本技術の患者インターフェースの変形例は、前額支持部を含み得る。
【０１９２】
5.3.8    導管
本技術の実施例による患者インターフェース３０００は、接続ポート３６００から患者インターフェースチャンバ３００１への加圧流れを得るための導管３９００を含み得る。導管３９００は、接続ポートハウジング３９０３において患者頭部よりも上方において接合され得、患者頭部の横側に沿って患者の眼および耳のうち対応するものの間において通過し得る。導管３９００は、以下に述べるように、患者インターフェースチャンバ３００１への加圧空気流れを提供するように、導管コネクタ３８００を介してプレナムチャンバ３２００へ接続され得る。
【０１９３】
導管３９００により、患者の顔上のシール形成構造３１００の安定化および位置決めも可能になり得る。よって、導管３９００は、位置決めおよび安定化構造３３００のタイと同様に機能し得る。よって、導管３９００から導管コネクタ３８００への機械接続は、導管３９００中の引張力を導管コネクタ３８００を通じてシール形成構造３１００へ伝導させるのに充分であり得る。
【０１９４】
導管３９００は、国際出願公開ＷＯ２０１７／１２４１５５Ａｌ中に開示される類似の導管の特徴を含み得る。本明細書中、同文献全体を参考のため援用する。例えば、本技術の導管３９００は、本文書の図３Ａ〜図３Ｌおよび関連する記載に記載のヘッドギアチューブ３３５０のフィーチャを含み得る。
【０１９５】
導管３９００をスリーブ３９０１を設けることにより、患者の顔を導管３９００からクッションのように保護することもできる。スリーブ３９０１は、取り外し可能になっていてよい。スリーブ３９０１は、通気性材料から構成されてよい。
【０１９６】
導管３９００は、位置決めおよび安定化構造３３００のタイとの接続を促進するためのタイコネクタ３９０２も含み得る。
【０１９７】
5.3.9    導管コネクタ
本技術の実施例によれば、患者インターフェース３０００は、導管コネクタ３８００を含み得る。導管コネクタ３８００は、導管３９００をプレナムチャンバ３２００へ接続させて、加圧空気の流れを患者インターフェースチャンバ３００１へ提供する。導管コネクタ３８００はそれぞれ、導管コネクタハウジング３８０１と共に形成され得る。導管コネクタ３８００は、以下に述べるような他の機能を提供し得る（例えば、患者インターフェースチャンバ３００１の通気、位置決めおよび安定化構造３３００への接続、および窒息防止弁３８５０の包含による窒息防止）。
【０１９８】
図７〜図１８は、本技術の実施例による、導管コネクタ３８００が患者インターフェース３０００上にある様子のいくつかの図である。図２５〜図３１は、本技術の実施例による導管コネクタ３８００を分離した様子のいくつかの図である。図３２〜図３６は、本技術の実施例による、導管３９００および位置決めおよび安定化構造３３００が導管コネクタ３８００へ接続された完全な患者インターフェース３０００のいくつかの図である。
【０１９９】
図７〜図１８において、プレナムチャンバ孔３２０１において導管コネクタ３８００がプレナムチャンバ３２００へ取り付けられている様子が図示されている。理解されるように、患者インターフェース３０００の各側方に導管コネクタ３８００が１つ設けられ、各導管コネクタ３８００は、患者インターフェース３０００の各対応する側方においてプレナムチャンバ孔３２０１へ接続される。導管コネクタ３８００はそれぞれ、導管コネクタ３８００それぞれを接続リム３２０２において各プレナムチャンバ孔３２０１へ接続させるための導管コネクタ取付構造３８０７を含み得る。この接続は、機械的なものであり得る（例えば、スナップ嵌めまたは摩擦嵌め）。この接続は、取り外し可能でもあり得る。導管コネクタ３８００の材料およびプレナムチャンバ３２００の材料はそれぞれ、所望の接続フィーチャを促進するように選択され得る。例えば、導管コネクタ３８００の材料およびプレナムチャンバ３２００の材料はそれぞれ、スナップ嵌めに関連して聴覚フィードバックおよび／または触覚フィードバックが可能になるように、比較的高剛性であり得る。導管コネクタ３８００の材料およびプレナムチャンバ３２００の材料は、少なくとも１つの態様において異なっていてもよいし、あるいは材料は同じであってもよい。導管コネクタ３８００は、プレナムチャンバ孔３２０１においてプレナムチャンバ３２００に恒久的に接続されていてよい。例えば、導管コネクタ３８００は、プレナムチャンバ孔３２０１においてプレナムチャンバ３２００へ超音波溶接され得る。導管コネクタ３８００とプレナムチャンバ３２００との間の接続は、取り外し可能なものであるか、あるいは恒久的なものであり、導管３９００からの張力を（接続を妨害すること無く）プレナムチャンバ３２００へ送ることができるように充分に頑強であるようにも設計され得る。なぜならば、上記したように、導管コネクタ３８００により、患者頭部上のシール形成構造３１００の位置決めおよび安定化が促進され得るからである。
【０２００】
患者インターフェース３０００の美観を向上させるように、導管コネクタ３８００をプレナムチャンバ３２００の側方へ取り付けてもよい。上記したように、プレナムチャンバ３２００を透明または半透明の材料によって構成することにより、患者の顔用フィーチャの視認が可能になり得る。例えば図示の実施例に示すように導管コネクタ３８００をプレナムチャンバの側方に設けることにより、患者の顔をより大きく視認することができ、この配置構成により、患者インターフェース３０００の美観向上が可能になる。これは、エルボーおよび空気回路をプレナムチャンバ３２００の中央へ接合することが可能なため患者の顔が阻害される代替的設計の場合と対照的である。
【０２０１】
導管コネクタ３８００およびプレナムチャンバ孔３２０１は、導管コネクタハウジング３８０１の少なくとも一部が患者インターフェースチャンバ３００１中へ延びるようにも配置され得る。この配置構成により、患者インターフェースチャンバ３００１内において導管コネクタ３８００によって占められる容積を利用することにより、患者インターフェースチャンバ３００１内の死空間を低減させることができる。よって、導管コネクタ３８００の容積全体のうち、患者インターフェース３０００から外方に延びる容積が低下する。このようにすると、寝具と干渉し易い余分な構造が少なくなり、患者から見たときにより魅力的な外観が得られるため、有利であり得る。
【０２０２】
導管コネクタ３８００はそれぞれ、各導管３９００へ接続する導管接続端部３８０２も含み得る。導管接続端部３８０２における導管３９００と導管コネクタ３８００との間の接続は、取り外し可能であってもよいし、あるいは恒久的なものであってもよい。導管コネクタ入口孔３８０３は、加圧空気流れを受容するように、導管接続端部３８０２において導管コネクタハウジング３８０１中に形成され得る。導管コネクタ３８００は、対応する導管３９００との取り外し可能なスナップ嵌め接続を促進させるための構造（例えば、アンダーカット）を含み得る。各導管３９００は、このような接続を促進させるように導管コネクタ３８００へ接続する比較的高剛性の構造を端部において含み得る。導管コネクタ３８００は、摩擦嵌めにより導管３９００へ接合してもよい。ここでも、上記したように、導管３９００により、患者の顔上の治療的に有効な密閉位置にシール形成構造を設置するための位置決めおよび安定化機能が得られるため、導管接続端部３８０２における導管３９００と導管コネクタ３８００との間の接続を、導管３９００から導管コネクタ３８００への引張力の伝達を（導管接続端部３８０２における導管３９００と導管コネクタ３８００との接続を妨害すること無く）充分に確実に可能にすることができる。
【０２０３】
導管コネクタ３８００により、患者インターフェース３０００の通気機能も得られ得る。導管コネクタハウジング３８０１は、患者インターフェース３０００の組立時において患者インターフェースチャンバ３００１と空気圧連通する導管コネクタ通気入口３８３２を含み得る。導管コネクタハウジング３８０１は、導管コネクタ通気孔３８３１も少なくとも１つ含み得る。図示の実施例から分かるように、各導管コネクタハウジング３８０１は、複数の導管コネクタ通気孔３８３１を含む。導管コネクタハウジング３８０１は、導管コネクタ出口孔３８０４を介して患者インターフェースチャンバ３００１に進入した空気が導管コネクタ通気孔（単数または複数）３８３１から直接逃げる事態を回避するためのバッフル３８０５も含み得る。その結果、新規導入された空気と患者インターフェースチャンバ３００１中の既存の空気とを適切に混合することが可能になり、これにより、二酸化炭素の押し出しが向上し、患者へ呼吸のために提供される新鮮な空気の量を増加させることができる。導管コネクタハウジング３８０１は、少なくとも１つの導管コネクタ通気スペーサ３８３３も含み得る。図２５〜図３１は、これらの実施例における、呼気ガスが導管コネクタ３８００から導管コネクタ通気出口３８３０を介して周囲へ逃げるための通路を提供する複数の導管コネクタ通気スペーサ３８３３を示す。導管コネクタ通気スペーサ３８３３は、導管コネクタハウジング３８０１の縁部の一部の周辺に分散配置され得る。導管コネクタ通気スペーサ３８３３は、導管コネクタハウジング３８０１の一部と、プレナムチャンバ３２００との間の間隔を導管コネクタ通気出口３８３０のために維持し得る。
【０２０４】
導管コネクタハウジング３８０１は、拡散器材料（図示せず）を含み得る拡散器キャビティ３８７１も含み得る。拡散器材料は、拡散器カバー３８７０によって拡散器キャビティ３８７１内に封入され得る。拡散器カバー３８７０は、導管コネクタハウジング３８０１へ恒久的取り付けられ得るため、汚染物質に起因して塞がれた場合に患者が拡散器材料を変更することはできない。本実施例において、拡散器カバー３８７０は、導管コネクタハウジング３８０１へ超音波溶接され得る。あるいは、拡散器カバー３８７０は、例えばスナップ嵌めまたは摩擦嵌めを介して導管コネクタハウジング３８０１へ取り外し可能に取り付けられ得るため、患者が拡散器材料を交換することが可能になる。
【０２０５】
図３２〜図３６に示すように、導管コネクタ３８００により、位置決めおよび安定化構造３３００のタイへの接続も得られ得る。下方タイは、クリップ３３０１により導管コネクタ３８００へ接合され得る。クリップ３３０１および導管コネクタ３８００は、接続促進のため、反対の極性を有する磁石を含み得る。位置決めおよび安定化構造３３００のタイと導管コネクタ３８００との接続は、解放可能になっていてよい。位置決めおよび安定化構造３３００の下方タイからの張力により、シール形成構造３１００の下部を付勢して、患者の顔（例えば、口の周囲）と密閉係合させることができる。図２５〜図３１に図示していないが、クリップ３３０１を接続させる構造は、拡散器カバー３８７０上に形成され得る。あるいは、クリップ３３０１への接続構造は、導管コネクタハウジング３８０１上に直接形成してもよい。
【０２０６】
図３９〜図６６は、図７〜図３６に示す実施例と同様のフィーチャを含む本技術の別の例を示す。図３９〜図６６中の例は、図７〜図３６に示す実施例と異なるフィーチャも含む。
【０２０７】
図３９〜図６６に示す実施例から分かるように、プレナムチャンバ３２００は、複数のプレナムチャンバ通気孔３４０１を含む。これらのプレナムチャンバ通気孔３４０１により、患者インターフェースチャンバ３００１から周囲へ放出されたガス（呼気された二酸化炭素を含む）が可能になる。よって、プレナムチャンバ通気孔３４０１のサイズ、形状および数は二酸化炭素の押し出しを充分に行えるようなものであるため、本実施例の導管コネクタ３８００は、上記例に存在する任意の通気構造（すなわち、導管コネクタ通気出口３８３０、導管コネクタ通気孔３８３１、導管コネクタ通気入口３８３２なと）を含まない。
【０２０８】
別の実施例において、導管コネクタ３８００は、導管コネクタ通気出口３８３０、導管コネクタ通気孔３８３１、導管コネクタ通気入口３８３２などを含み得、複数のプレナムチャンバ通気孔３４０１も、プレナムチャンバ３２００上に設けられる。この配置構成の場合、さらなるおよび／またはより拡散した通気が可能になり得るため、有利であり得る。
【０２０９】
本実施例の導管コネクタ３８００は、任意の通気構造（すなわち、導管コネクタ通気出口３８３０を含まないが、この場合も、安全上の理由のため、窒息防止弁アセンブリ３８５０が導管コネクタ３８００それぞれへ設けられる。図４６および図４７は、上記した実施例と同様の開口位置と閉鎖位置との間の窒息防止弁フラップ３８５１の動きを示す。
【０２１０】
図３９〜図６６の実施例において、プレナムチャンバ３２００は、プレナムチャンバ孔３２０１上に密閉構造を持たない場合がある。本実施例において、導管コネクタ３８００と、プレナムチャンバ３２００との間の密閉は、導管コネクタ出口３８０８の外周周囲に接合された導管コネクタ出口シール３８６１によって達成され得る。導管コネクタ出口シール３８６１は、各プレナムチャンバ孔３２０１の周囲の接続リム３２０２と接触した際に変形するエラストマー材料（例えば、シリコーン）により構成され得る。導管コネクタ出口シール３８６１は、導管コネクタ出口３８０８へオーバーモールドされ得る。導管コネクタ３８００が対応するプレナムチャンバ孔３２０１へ取り付けられると、導管コネクタ出口シール３８６１は接続リム３２０２に接触して変形するため、両者間の密閉が確保される。本実施例において、導管コネクタ出口シール３８６１を導管コネクタ出口３８０８全体の周囲に延ばしてもよいし、あるいは、導管コネクタ出口シール３８６１を導管コネクタ出口３８０８の１つ以上の選択された部位のみに設けてもよい。
【０２１１】
あるいは、各プレナムチャンバ孔３２０１の接続リム３２０２が各導管コネクタ３８００の導管コネクタ出口３８０８に接触して変形するように導管コネクタ出口シール３８６１を設けることも企図される。本実施例において、導管コネクタ出口シール３８６１をプレナムチャンバ孔３２０１全体の周囲に延ばしてもよいし、あるいは、導管コネクタ出口シール３８６１をプレナムチャンバ孔３２０１の周囲の１つ以上の選択された部位のみに設けてもよい。
【０２１２】
さらなる別の実施例において、導管コネクタ３８００と、対応するプレナムチャンバ孔３２０１の接続リム３２０２との間に変形可能なシーリング部品は無い。そのため、この代替例において漏洩が発生し得るか、または、導管コネクタ３８００と対応するプレナムチャンバ孔３２０１の接続リム３２０２との間の公差が漏洩がほとんど無いほど小さくなり得る。
【０２１３】
図３９〜図６６の実施例において、導管コネクタ３８００は、対応するプレナムチャンバ孔３２０１においてプレナムチャンバ３２００へ解放可能な接続を提供するように構成され得る。導管コネクタ３８００は、以下に述べる接続を促進させるために、比較的高剛性のプラスチック材料（例えば、ポリカーボネート）によって構成され得る。
【０２１４】
スロット３２０３および戻り止め３２０４が、導管コネクタ３８００の対応する構造と係合するように、各プレナムチャンバ孔３２０１においてプレナムチャンバ３２００上に形成され得る。係合プロセスは、プレナムチャンバ３２００の前側（すなわち、使用時に患者から離隔する側）から第１のタブ３８９０をスロット３２０３と係合させることにより、開始され得る。第１のタブ３８９０は比較的高剛性であり得、第１のタブ３８９０がスロット３２０３と係合すると、支点として機能し得るため、導管コネクタ３８００がスロット３２０３の周囲において回転することが可能になり、係合プロセスが完了する。係合プロセスは、プレナムチャンバ３２０４の戻り止め３２０４と係合するキャッチ３８９２を有する第２のタブ３８９１により完了され得る。導管コネクタ３８００が回転して対応するプレナムチャンバ孔３２０１中のプレナムチャンバ３２００と係合すると、導管コネクタ出口シール３８６１は、対応する接続リム３２０２と係合して、空気圧シールを確立させることができる。さらに、導管コネクタ出口３８０８は、対応するプレナムチャンバ孔３２０１を通じて少なくとも部分的に延び得るため、ガスが患者インターフェースチャンバ３００１と導管コネクタ３８００との間において移動することができる。第２のタブ３８９１は可撓性であり得るため、キャッチ３８９２および戻り止め３２０４が係合すると、スナップ嵌め接続が確立される。このようにすると患者にとって恩恵が得られる理由として、接続が確立されたという触覚および聴覚フィードバックをスナップ嵌め接続から得られる点がある。隙間３８９３を第２のタブ３８９１の片側および導管コネクタ出口３８０８間に設けることにより、第２のタブ３８９１をカンチレバーすることができ、係合プロセスおよび係合解除プロセス時における変形が容易になる。
【０２１５】
係合解除プロセスはその逆順で、導管コネクタ３８００をプレナムチャンバ３２００から離隔方向に前方に回転させることにより先ずキャッチ３８９２を対応する戻り止め３２０４から係合解除させることにより、行われる。第２のタブ３８９１は可撓性であるため、第２のタブへ充分な力を負荷すると、第２のタブ３８９１は撓んで、キャッチ３８９２は戻り止め３２０４から係合解除される。その後、導管コネクタ３８００はさらに回転されて、第１のタブ３８９０はスロット３２０３から係合解除される。係合解除プロセス時において、導管コネクタ出口シール３８６１は、対応する接続リム３２０２から係合解除され、導管コネクタ出口３８０８は、対応するプレナムチャンバ孔３２０１から退出する。
【０２１６】
係合時において、導管コネクタ３８００は、プレナムチャンバ３２００に相対して前方に突出し得るため、導管３９００はプレナムチャンバ３２００から側方に方向付けられる。導管３９００をプレナムチャンバ３２００の前方に設置することにより、導管３９００は、側方力により導管３９００がプレナムチャンバ３２００から離隔方向に引き離されたときも無傷のまま係合を維持することができ、かつ、導管コネクタ３８００およびよって導管３９００をプレナムチャンバ３２００から係合解除させるために必要な力も低下させることができる。よって、導管３９００は、以下にさらに述べるように、側方の係合解除に耐えられるだけの充分な強度を以て導管コネクタ３８００へ接合され得、かつ、導管コネクタ３８００を（上記したようにプレナムチャンバ孔３２０１から回転させることにより）プレナムチャンバ３２００から比較的容易に取り外すことも可能になる。使用時（すなわち、睡眠時）において側方から力がかかることは一般的なことであるため、このような配置構成は、典型的用途において有利であり得る。また、患者インターフェース３０００が（導管３９００とプレナムチャンバ３２００との間の接続およびよってガス流れを妨害すること無く）これらの力に耐えることができると有利である。しかし、上記した係合解除プロセスを発生させる力は、睡眠時においてはそれほど一般的ではない。そのため、第１のタブ３８９０および第２のタブ３８９１は、スロット３２０３および戻り止め３２０４との係合および係合解除を各方向において比較的小さな力により行うことができるように設計することができるため、患者は、導管コネクタ３８００の係合および係合解除を容易に行うことができる。本実施例における係合解除力は、８〜１２ニュートンまで低くすることができる。
【０２１７】
さらに、導管コネクタ３８００を係合解除するために必要な力は、位置決めおよび安定化構造３３００の磁気締結のために構成されたフランジ３８８５上に力を前方に付加することにより導管コネクタ３８００を係合解除させることが可能なくらいに充分に小さい。
【０２１８】
導管コネクタ３８００は、下方タイ３３０３をクリップ３３０１を介して導管コネクタ３８００へ接続させるフランジ３８８５も含み得る。フランジ３８８５は、導管コネクタ３８００から延び得る。フランジ３８８５は、導管コネクタ３８００とワンピース成形され得る。フランジ３８８５は、フランジ開口部３８８７と、下方タイタブ３８８０のタブコネクタ３８８４を受容する凹部３８８６とを含み得る。下方タイタブ３８８０をフランジ３８８５へ取り付けるには、タブコネクタ３８８４は、フランジ開口部３８８７を通過し、凹部３８８６中に係合する。下方タイタブ３８８０は、クリップレシーバ３８８１を含み得る。クリップレシーバ３８８１は、クリップ３３０１中の対応する磁石への解放可能な接続を可能にする磁石を収容し得る。クリップレシーバ３８８１は、クリップ３３０１が下方タイタブ３８８０と係合したままにするために、クリップ３３０１のオーバーハング３３０７とも係合し得る。よって、クリップ３３０１の磁石と、クリップレシーバ３８８１との間の引きつけにより、設置機能を得ることができ、オーバーハング３３０７およびクリップレシーバ３８８１の係合により、クリップ３３０１を下方タイタブ３８８０へ確実に接続させたままにすることができる。２つの磁石間の引力に打ち勝つだけの充分な力を付加することにより、クリップ３３０１と下方タイタブ３８８０との間の接続を解放することが可能であることが理解されるべきである。下方タイタブ３８８０は、ノッチ３８８２も含み得る。
【０２１９】
導管３９００は、導管コネクタ端部３８０２において導管コネクタ３８００へ恒久的にまたは取り外し可能に接合させることができる。図６３は、中間導管コネクタ入口シール３８６０（例えば、シリコーン製のもの）を導管コネクタ端部３８０２の周囲に成形させる恒久的接続の一実施例を示す。同様にシリコーン製であり得る導管３９００は、中間導管コネクタ入口シール３８６０上に成形される。
【０２２０】
5.3.10    窒息防止弁
一形態において、患者インターフェース３０００は、窒息防止弁を含む。図７〜図１８および図２５〜図３１に示す実施例から分かるように、導管コネクタ３８００はそれぞれ、窒息防止弁アセンブリ３８５０を含み得る。よって、患者インターフェース３０００は、２つの窒息防止弁アセンブリ３８５０を含み得る。窒息防止弁アセンブリ３８５０はそれぞれ、相互に独立して（すなわち、加圧空気流れの停止に応答して）動作し得る。例えば、患者が横向きに寝ているときに加圧空気流れが停止して一方の窒息防止弁アセンブリ３８５０が（例えば枕により）塞がれた場合、他方の窒息防止弁アセンブリ３８５０が、患者の窒息を回避するように機能することができる。
【０２２１】
窒息防止弁アセンブリ３８５０は、窒息防止弁孔３８５２を閉鎖位置において被覆する窒息防止弁フラップ３８５１を含み得る。図１４および図２９の断面図は、窒息防止弁フラップ３８５１が閉鎖位置にある様子を示す。これらの図において、導管コネクタ３８００へ進入した加圧空気流れが窒息防止弁孔３８５２を通じて周囲へ逃げる事態が窒息防止弁フラップ３８５１によって回避され、この加圧空気流れは、導管コネクタ出口孔３８０４によって患者インターフェースチャンバ３００１中へ方向付けられることが理解される。窒息防止弁フラップ３８５１は、患者の呼吸サイクル（すなわち、吸息気および呼息）全体において閉鎖位置に留まるように構成され得る。そのため、患者は、吸息および呼息時において患者の気道において充分な開通性を確保するように、加圧空気流れを自身の気道において受容する。図１５および図３０は、窒息防止弁フラップ３８５１が開口位置にある様子を示す。この開口位置において、窒息防止弁孔３８５２は被覆されていないため、加圧空気流れの停止が無ければ、患者は、窒息防止弁孔３８５２を介して周囲から呼吸をすることができる。さらに、窒息防止弁フラップ３８５１は、開口位置がデフォルト位置、中立位置または非変形位置となるように構成され得、これにより、加圧空気流れが少なくとも最小流量および／または圧力まで付加されたときのみに、窒息防止弁フラップ３８５１が（圧力および／または空気流れの力により）閉鎖位置へ移動する。さらに、窒息防止弁孔３８５２のサイズは、窒息防止弁アセンブリ３８５０のうち１つが塞がれて呼吸不能になった場合に、患者が塞がれていない方の窒息防止弁アセンブリ３８５０を通じて適切に呼吸することができるような充分なサイズであり得る。さらに、窒息防止弁フラップ３８５１のサイズは、閉鎖位置において窒息防止弁孔３８５２を完全に塞ぐようなサイズであり得る。あるいは、窒息防止弁フラップ３８５１は、閉鎖位置において例えば通気のために空気が周囲へ移動することを可能にする孔を含み得る。
【０２２２】
窒息防止弁フラップ３８５１は、窒息防止弁フラップコネクタ孔３８５３中へ延びる窒息防止弁フラップコネクタ３８５４により導管コネクタハウジング３８０１へ接合され得る。窒息防止弁フラップ３８５１は、導管コネクタハウジング３８０１上にオーバーモールドされることにより、窒息防止弁フラップコネクタ孔３８５３において導管コネクタハウジング３８０１へ恒久的に取り付けられ得る。窒息防止弁フラップ３８５１は、可撓性の弾性材料製であり得るため、圧力および／または空気流れの力によって開口位置から閉鎖位置へ撓むことが可能である。
【０２２３】
窒息防止弁アセンブリ３８５０は、窒息防止弁孔３８５２上に窒息防止弁孔分割器３８５５も含み得る。窒息防止弁孔分割器３８５５により、窒息防止弁フラップ３８５１が（患者インターフェースチャンバ３００１内の圧力に起因して）窒息防止弁孔３８５２から押し出される事態が回避され得る。
【０２２４】
5.3.11    ポート
本技術の一形態において、患者インターフェース３０００は、プレナムチャンバ３２００内の量へのアクセスを可能にする１つ以上のポートを含む。一形態において、これにより、臨床医が補充酸素を供給することが可能になる。一形態において、これにより、プレナムチャンバ３２００内のガス（例えば、圧力）の特性を直接測定することが可能になる。
【０２２５】
5.4    ＲＰＴデバイス
本技術の一態様によるＲＰＴデバイス４０００は、機械、空気圧式、および／または電気部品を含み、１つ以上のアルゴリズム（例えば全体的にせよ部分的にせよ本明細書に記載の方法のうちいずれか）を実行するように構成される。ＲＰＴデバイス４０００は、例えば本文書中のいずれか一項に記載の呼吸状態のうち１つ以上の治療のために患者の気道へ送達される空気流れを生成するように構成され得る。
【０２２６】
一形態において、ＲＰＴデバイス４０００は、少なくとも６ｃｍＨ２Ｏまたは少なくとも１０ｃｍＨ２Ｏまたは少なくとも２０ｃｍＨ２Ｏの陽圧を維持しつつ、空気流れを−２０Ｌ／分〜＋１５０Ｌ／分の範囲で送達できるように構築および配置される。
【０２２７】
ＲＰＴデバイスは、外部ハウジング４０１０を持ち得る。外部ハウジング４０１０は、上部４０１２および下部４０１４の２つの部分によって形成される。さらに、外部ハウジング４０１０は、１つ以上のパネル（単数または複数）４０１５を含み得る。ＲＰＴデバイス４０００は、ＲＰＴデバイス４０００の１つ以上の内部コンポーネントを支持するシャーシ４０１６を含む。ＲＰＴデバイス４０００は、ハンドル４０１８を含み得る。
【０２２８】
空気圧ＲＰＴデバイス４０００の空気圧経路は、１つ以上の空気回路アイテム（例えば、入口空気フィルタ４１１２、入口マフラー４１２２、空気を陽圧で供給することが可能な圧力生成器４１４０（例えば、送風機４１４２）、出口マフラー４１２４）ならびに１つ以上の変換器４２７０（例えば、圧力センサ４２７２および流量センサ４２７４）を含み得る。
【０２２９】
空気経路アイテムのうち１つ以上は、空気圧ブロック４０２０と呼ばれる取り外し可能な一体構造内に配置され得る。空気圧ブロック４０２０は、外部ハウジング４０１０内に配置され得る。一形態において、空気圧ブロック４０２０は、シャーシ４０１６によって支持されるかまたはシャーシ４０１６の一部として形成される。
【０２３０】
ＲＰＴデバイス４０００は、電源４２１０、１つ以上の入力デバイス４２２０、中央コントローラ４２３０、治療デバイスコントローラ４２４０、圧力生成器４１４０、１つ以上の保護回路４２５０、メモリ４２６０、変換器４２７０、データ通信インターフェース４２８０、および１つ以上の出力デバイス４２９０を有することができる。電気部品４２００は、シングルプリント回路基板アセンブリ（ＰＣＢＡ）４２０２上に取り付けられ得る。一代替形態において、ＲＰＴデバイス４０００は、１つよりも多くのＰＣＢＡ４２０２を含み得る。
【０２３１】
5.4.1    ＲＰＴデバイス機械および空気圧式コンポーネント
ＲＰＴデバイスは、以下のコンポーネントのうち１つ以上を一体ユニット中に含み得る。一代替形態において、以下のコンポーネントのうち１つ以上が、それぞれの別個のユニットとして配置され得る。
【０２３２】
5.4.1.1    空気フィルタ（単数または複数）
本技術の一形態によるＲＰＴデバイスは、空気フィルタ４１１０または複数の空気フィルタ４１１０を含み得る。
【０２３３】
一形態において、入口空気フィルタ４１１２は、圧力生成器４１４０の空気圧経路上流の始まり部に配置される。
【０２３４】
一形態において、出口空気フィルタ４１１４（例えば抗菌ファクタ）は、空気圧ブロック４０２０の出口と、患者インターフェース３０００との間に配置される。
【０２３５】
5.4.1.2    マフラー（単数または複数）
本技術の一形態によるＲＰＴデバイスは、マフラー４１２０または複数のマフラー４１２０を含み得る。
【０２３６】
本技術の一形態において、入口マフラー４１２２は、空気圧経路内において圧力生成器４１４０の上方に配置される。
【０２３７】
本技術の一形態において、出口マフラー４１２４は、空気圧経路内において圧力生成器４１４０と患者インターフェース３０００との間に配置される。
【０２３８】
5.4.1.3    圧力生成器
本技術の一形態において、空気の流れまたは供給を陽圧において生成する圧力生成器４１４０は、制御可能な送風機４１４２である。例えば、送風機４１４２は、送風機ハウジング内に、例えばボリュート内に収容された１つ以上のインペラを備えたブラシレスＤＣモータ４１４４を含み得る。送風機は、空気供給の送達を例えば約１２０リットル／分までの速度で、約４ｃｍＨ２Ｏ〜約２０ｃｍＨ２Ｏの範囲の陽圧で、または他の形態において約３０ｃｍＨ２Ｏまで行うことができる。送風機については、以下の特許または特許出願のうちいずれか１つに記載があり得。本明細書中、同文献全体を参考のため援用する：米国特許第７，８６６，９４４号、米国特許第８，６３８、０１４号、米国特許第８，６３６，４７９号およびＰＣＴ特許出願公開ＷＯ２０１３／０２０１６７。
【０２３９】
圧力生成器４１４０は、治療デバイスコントローラ４２４０の制御下にある。
【０２４０】
他の形態において、圧力生成器４１４０は、ピストン駆動ポンプ、高圧源（例えば、圧縮空気リザーバ）へ接続された圧力調節器、またはベローズであり得る。
【０２４１】
5.4.1.4    変換器（単数または複数）
変換器は、ＲＰＴデバイスの内部に設けてもよいし、あるいはＲＰＴデバイスの外部に設けてもよい。外部変換器は、例えば空気回路上に配置してもよいし、あるいは空気回路の一部を形成してもよい（例えば、患者インターフェース）。外部変換器は、非接触センサの形態をとり得る（例えば、データＲＰＴデバイスを送るかまたは移動させるドップラーレーダー移動センサ）。
【０２４２】
本技術の一形態において、１つ以上の変換器４２７０が、圧力生成器４１４０の上流および／または下流に配置され得る。１つ以上の変換器４２７０は、空気流れの特性を示す信号（例えば、空気圧経路中の当該ポイントにおける流量、圧力または温度）を生成するように、構築および配置され得る。
【０２４３】
本技術の一形態において、１つ以上の変換器４２７０は、患者インターフェース３０００の近隣に配置され得る。
【０２４４】
一形態において、変換器４２７０からの信号が、（例えば、ローパス、ハイパスまたはバンドパスフィルタリングによって）フィルタリングされ得る。
【０２４５】
5.4.1.4.1    流量センサ
本技術による流量センサ４２７４は、差圧変換器（例えば、ＳＥＮＳＩＲＩＯＮからのＳＤＰ６００シリーズ差圧変換器）に基づき得る。
【０２４６】
一形態において、流量センサ４２７４からの流量を示す信号が、中央コントローラ４２３０によって受信される。
【０２４７】
5.4.1.4.2    圧力センサ
本技術による圧力センサ４２７２は、空気圧経路と流体連通して配置され得る。適切な圧力センサの一実施例として、ＨＯＮＥＹＷＥＬＬ  ＡＳＤＸシリーズからの変換器がある。別の適切な圧力センサとして、ＧＥＮＥＲＡＬ  ＥＬＥＣＴＲＩＣからのＮＰＡシリーズからの変換器がある。
【０２４８】
１つの形態において、圧力センサ４２７２からの信号は、中央コントローラ４２３０によって受信される。
【０２４９】
5.4.1.4.3    モータ速度変換器
本技術の一形態において、モータ４１４４および／または送風機４１４２の回転速度を決定するために、モータ速度変換器４２７６が用いられ得る。モータ速度変換器４２７６からのモータ速度信号は、治療デバイスコントローラ４２４０へ提供され得る。モータ速度変換器４２７６は、例えば速度センサであり得る（例えば、ホール効果センサ）。
【０２５０】
5.4.1.5    アンチスピルバック弁
本技術の一形態において、アンチスピルバック弁４１６０が、加湿器５０００と、空気圧ブロック４０２０との間に配置され得る。アンチスピルバック弁は、水が加湿器５０００から上流に（例えば、送風機のモータ４１４４へ）流れる危険性を低減させるように、構築および配置される。
【０２５１】
5.4.2    ＲＰＴデバイス電気部品
5.4.2.1    電源
電源４２１０は、ＲＰＴデバイス４０００の外部ハウジング４０１０の内部または外部に配置され得る。
【０２５２】
本技術の一形態において、電源４２１０は、ＲＰＴデバイス４０００にのみ電力を供給する。本技術の別の形態において、電源４２１０から、電力がＲＰＴデバイス４０００および加湿器５０００双方へ提供される。
【０２５３】
5.4.2.2    入力デバイス
本技術の一形態において、ＲＰＴデバイス４０００は、人間がデバイスと相互作用を可能にするためのボタン、スイッチまたはダイヤルの形態をとる１つ以上の入力デバイス４２２０を含む。ボタン、スイッチまたはダイヤルは、タッチスクリーンを介してアクセスすることが可能な物理的デバイスまたはソフトウェアデバイスであり得る。ボタン、スイッチまたはダイヤルは、一形態において外部ハウジング４０１０に物理的に接続させてもよいし、あるいは、別の形態において中央コントローラ４２３０と電気接続された受信器と無線通信してもよい。
【０２５４】
一形態において、入力デバイス４２２０は、人間が値および／またはメニュー選択肢を選択することを可能にするように、構築および配置され得る。
【０２５５】
5.4.2.3    中央コントローラ
本技術の一形態において、中央コントローラ４２３０は、ＲＰＴデバイス４０００の制御に適した１つまたは複数のプロセッサである。
【０２５６】
適切なプロセッサは、ＡＲＭ  ＨｏｌｄｉｎｇｓからのＡＲＭ（登録商標）Ｃｏｒｔｅｘ（登録商標）−Ｍプロセッサに基づいたプロセッサであるｘ８６ＩＮＴＥＬプロセッサを含み得る（例えば、ＳＴ  マクロ電子からのＳ（登録商標）３２シリーズのマイクロコントローラ）。本技術の特定の代替形態において、３２ビットＲＩＳＣ  ＣＰＵ（例えば、ＳＴ  ＭＩＣＲＯ電子ＳからのＳＴＲ９シリーズマクロコントローラ）または１６ビットＲＩＳＣ  ＣＰＵ（例えば、ＴＥＸＡＳ  ＩＮＳＴＲＵＭＥＮＴＳによって製造されたマクロコントローラのＭＳＰ４３０ファミリーからのプロセッサ）も適切であり得る。
【０２５７】
本技術の一形態において、中央コントローラ４２３０は、専用電子回路である。
【０２５８】
一形態において、中央コントローラ４２３０は、特定用途向け集積回路である。別の形態において、中央コントローラ４２３０は、個別電子コンポーネントを含む。
【０２５９】
中央コントローラ４２３０は、１つ以上の変換器４２７０、１つ以上の入力デバイス４２２０および加湿器５０００から入力信号（単数または複数）を受信するように、構成され得る。
【０２６０】
中央コントローラ４２３０は、出力信号（単数または複数）を出力デバイス４２９０、治療デバイスコントローラ４２４０、データ通信インターフェース４２８０および加湿器５０００のうち１つ以上へ提供するように、構成され得る。
【０２６１】
本技術のいくつかの形態において、中央コントローラ４２３０は、本明細書中に記載の１つ以上の方法を具現するように、構成される（例えば、非一時的なコンピュータで読出可能な記録媒体のような（例えば、メモリ４２６０）中に記録されたコンピュータプログラムとして表現された１つ以上のアルゴリズム）。本技術のいくつかの形態において、中央コントローラ４２３０は、ＲＰＴデバイス４０００と一体化され得る。しかし、本技術のいくつかの形態において、いくつかの方法が、遠隔配置されたデバイスによって行われ得る。例えば、遠隔配置されたデバイスは、記録されたデータ（例えば、本明細書中に記載のセンサのうちいずれかからのもの）の分析により、人工呼吸器の制御設定を決定し得るか、または、呼吸関連イベントを検出し得る。
【０２６２】
5.4.2.4    時計
ＲＰＴデバイス４０００は、中央コントローラ４２３０へ接続された時計４２３２を含み得る。
【０２６３】
5.4.2.5    治療デバイスコントローラ
本技術の一形態において、治療デバイスコントローラ４２４０は治療制御モジュールであり、中央コントローラ４２３０によって実行されるアルゴリズムの一部を形成する。
【０２６４】
本技術の一形態において、治療デバイスコントローラ４２４０は、専用モータ制御集積回路である。例えば、一形態において、ＯＮＳＥＭＩによって製造されたＭＣ３３０３５ブラシレスＤＣモータコントローラが用いられる。
【０２６５】
5.4.2.6    保護回路
本技術による１つ以上の保護回路４２５０は、電気保護回路、温度および／または圧力安全回路を含み得る。
【０２６６】
5.4.2.7    メモリ
本技術の一形態によれば、ＲＰＴデバイス４０００は、メモリ４２６０（例えば、不揮発性メモリ）を含む。いくつかの形態において、メモリ４２６０は、電池式スタティックＲＡＭを含み得る。いくつかの形態において、メモリ４２６０は、揮発性ＲＡＭを含み得る。
【０２６７】
メモリ４２６０は、ＰＣＢＡ４２０２上に配置され得る。メモリ４２６０は、ＥＥＰＲＯＭまたはＮＡＮＤフラッシュの形態をとり得る。
【０２６８】
追加的にまたは代替的に、ＲＰＴデバイス４０００は、取り外し可能なメモリ４２６０（例えば、セキュアデジタル（ＳＤ）規格に従って作製されたメモリカード）を含む。
【０２６９】
本技術の一形態において、メモリ４２６０は、非一時的コンピュータで読出可能な記録媒体として機能する。この記録媒体上に、本明細書中に記載の１つ以上の方法を表現するコンピュータプログラム命令（例えば、１つ以上のアルゴリズム）が記録される。
【０２７０】
5.4.2.8    データ通信システム
本技術の一形態において、データ通信インターフェース４２８０が設けられ、中央コントローラ４２３０へ接続される。データ通信インターフェース４２８０は、遠隔外部通信ネットワーク４２８２および／またはローカル外部通信ネットワーク４２８４へ接続可能であり得る。遠隔外部通信ネットワーク４２８２は、遠隔外部デバイス４２８６へ接続可能であり得る。ローカル外部通信ネットワーク４２８４は、ローカル外部デバイス４２８８へ接続可能であり得る。
【０２７１】
一形態において、データ通信インターフェース４２８０は、中央コントローラ４２３０の一部である。別の形態において、データ通信インターフェース４２８０は、中央コントローラ４２３０と別個であり、集積回路またはプロセッサを含み得る。
【０２７２】
一形態において、遠隔外部通信ネットワーク４２８２はインターネットである。データ通信インターフェース４２８０は、インターネットへ接続するために、（例えば、イーサネットまたは光ファイバーを介して）有線通信を用得るかまたは無線プロトコル（例えば、ＣＤＭＡ、ＧＳＭ、ＬＴＥ）を用い得る。
【０２７３】
一形態において、ローカル外部通信ネットワーク４２８４は、１つ以上の通信規格（例えば、ブルートゥース（登録商標）またはコンシューマー赤外線プロトコル）を用いる。
【０２７４】
一形態において、遠隔外部デバイス４２８６は、１つ以上のコンピュータ（例えば、ネットワーク化コンピュータのクラスタ）である。一形態において、遠隔外部デバイス４２８６は、物理的コンピュータではなく仮想コンピュータであり得る。いずれの場合も、このような遠隔外部デバイス４２８６は、適切に権限を付与された人間（例えば、臨床医）からのアクセスが可能であり得る。
【０２７５】
ローカル外部デバイス４２８８は、パーソナルコンピュータ、携帯電話、タブレットまたはリモートコントロールであり得る。
【０２７６】
5.4.2.9    任意選択のディスプレイ、警報を含む出力デバイス
本技術による出力デバイス４２９０は、視覚、音声および触覚ユニットのうち１つ以上の形態をとり得る。視覚ディスプレイは、液晶ディスプレイ（ＬＣＤ）または発光ダイオード（ＬＥＤ）ディスプレイであり得る。
【０２７７】
5.4.2.9.1    ディスプレイドライバ
ディスプレイドライバ４２９２は、ディスプレイ４２９４上へ表示されるべき文字、記号または画像を入力として受信し、ディスプレイ４２９４にこれらの文字、記号または画像を表示させるコマンドへ変換する。
【０２７８】
5.4.2.9.2    ディスプレイ
ディスプレイ４２９４は、ディスプレイドライバ４２９２から受信されたコマンドに応答して、文字、記号または画像を視覚的に表示するように構成される。例えば、ディスプレイ４２９４は８セグメントディスプレイであり得、その場合、ディスプレイドライバ４２９２は、各文字または記号（例えば、数字「０」）を、特定の文字または記号を表示するために各８個のセグメントを活性化させるべきかを示す８個の論理信号へ変換する。
【０２７９】
5.5    空気回路
本技術の一態様による空気回路４１７０は、使用時において空気流れが２つのコンポーネント（例えば、ＲＰＴデバイス４０００および患者インターフェース３０００）間に移動するように、構築および配置された導管またはチューブである。
【０２８０】
詳細には、空気回路４１７０は、空気圧ブロック４０２０の出口および患者インターフェースと流体接続し得る。空気回路は、空気送達管と呼ばれ得る。いくつかの場合において、吸息および呼息のための回路の別個の肢があり得る。他の場合において、単一の肢が用いられる。
【０２８１】
いくつかの形態において、空気回路４１７０は、（例えば空気温度の維持または上昇のために）空気回路中の空気を加熱するように構成された１つ以上の加熱要素を含み得る。加熱要素は、加熱ワイヤ回路の形態をとり得、１つ以上の変換器（例えば、温度センサ）を含み得る。一形態において、加熱ワイヤ回路は、空気回路４１７０の軸周囲にらせん状に巻かれ得る。加熱要素は、コントローラ（例えば、中央コントローラ４２３０）と連通し得る。加熱ワイヤ回路を含む空気回路４１７０の一実施例について、米国特許出願第８，７３３，３４９号に記載がある。本明細書中、同文献全体を参考のため援用する。
【０２８２】
5.5.1    酸素送達
本技術の一形態において、補充用酸素４１８０が、空気圧経路における１つ以上のポイント（例えば、空気圧ブロック４０２０の上流）、空気回路４１７０および／または患者インターフェース３０００へ送達され得る。
【０２８３】
5.6    加湿器
5.6.1      加湿器の概要
本技術の一形態において、患者へ送達されるべき空気またはガスの絶対湿度を周囲空気に相対して変化させるための加湿器５０００が提供される（例えば、図５Ａに示すようなもの）。典型的には、加湿器５０００は、患者気道へ送達される前に空気流れの（周囲空気に相対する）絶対湿度を増加させかつ温度を増加させるために、用いられる。
【０２８４】
加湿器５０００は、加湿器リザーバ５１１０と、空気流れを受容する加湿器入口５００２と、加湿された空気流れを送達させるための加湿器出口５００４とを含み得る。図５Ａおよび図５Ｂに示すようないくつかの形態において、加湿器リザーバ５１１０の入口および出口はそれぞれ、加湿器入口５００２および加湿器出口５００４であり得る。加湿器５０００は、加湿器ベース５００６をさらに含み得る。加湿器ベース５００６は、加湿器リザーバ５１１０を受容するように適合され得、加熱要素５２４０を含み得る。
【０２８５】
5.6.2    加湿器コンポーネント
5.6.2.1    水リザーバ
１つの配置構成によれば、加湿器５０００は、空気流れの加湿のために蒸発させるべき一定量の液体（例えば、水）を収容または保持するように構成された水リザーバ５１１０を含み得る。水リザーバ５１１０は、少なくとも呼吸治療セッション期間（例えば、一晩の睡眠）にわたって適切な加湿を提供するための所定の最大量の水を収容するように、構成され得る。典型的には、リザーバ５１１０は、数百ミリリットルの水（例えば、３００ミリリットル（ｍｌ）、３２５ｍｌ、３５０ｍｌまたは４００ｍｌ）を収容するように、構成される。他の形態において、加湿器５０００は、外部水源（例えば、建物の水供給システム）から水供給を受容するように、構成され得る。
【０２８６】
一態様によれば、水リザーバ５１１０は、空気流れがＲＰＴデバイス４０００を通過する際にＲＰＴデバイス４０００からの空気流れを加湿するように、構成される。一形態において、水リザーバ５１１０は、空気流れがリザーバ５１１０中の一定量の水と接触しつつ、空気流れのリザーバ５１１０中の蛇行経路の移動を促進するように、構成され得る。
【０２８７】
一形態によれば、リザーバ５１１０は、例えば図５Ａおよび図５Ｂに示すように横方向において加湿器５０００から取り外し可能であり得る。
【０２８８】
リザーバ５１１０は、例えばリザーバ５１１０がその通常の動作方向（例えば、任意のアパチャを通じておよび／またはそのサブコンポーネント間に）から変位および／または回転した時にリザーバ５１１０からの液体放出を抑制するようにも構成され得る。加湿器５０００によって加湿すべき空気流れは加圧されていることが多いため、リザーバ５１１０は、漏洩および／または流れインピーダンスを通じた空気圧の損失を防止するようにも、構成され得る。
【０２８９】
5.6.2.2    伝導性部位
１つの配置によれば、リザーバ５１１０は、加熱要素５２４０からリザーバ５１１０中の一定量の液体への効率的な熱伝達を可能にするように構成された伝導性部位５１２０を含む。一形態において、伝導性部位５１２０はプレートとして配置され得るが、他の形状も適切であり得る。伝導性部位５１２０の全体または一部は、アルミニウムなどの熱伝導性材料（例えば、厚さおよそ２ｍｍ（例えば、１ｍｍ、１．５ｍｍ、２．５ｍｍまたは３ｍｍ））、別の熱伝導金属また何らかのプラスチックによって構成され得る。いくつかの場合において、適切な熱伝導性が、適切なジオメトリのより低伝導性の材料により、達成され得る。
【０２９０】
5.6.2.3    加湿器リザーバドック
一形態において、加湿器５０００は、加湿器リザーバ５１１０を受容するように構成された（図５Ｂに示すような）加湿器リザーバドック５１３０を含み得る。いくつかの配置において、加湿器リザーバドック５１３０は、ロック機能を含み得る（例えば、リザーバ５１１０を加湿器リザーバドック５１３０内に保持するように構成されたロックレバー５１３５）。
【０２９１】
5.6.2.4    水位インジケータ
加湿器リザーバ５１１０は、図５Ａ〜図５Ｂに示すような水位インジケータ５１５０を含み得る。いくつかの形態において、水位インジケータ５１５０は、加湿器リザーバ５１１０中の水の量についての１つ以上の兆候を患者１０００または介護者などのユーザへ提供し得る。水位インジケータ５１５０から提供されるこれら１つ以上の兆候は、最大の所定量の水、その任意の一部の通知を含み得る（例えば、２５％、５０％または７５％または量（例えば、２００ｍｌ、３００ｍｌまたは４００ｍｌ））。
【０２９２】
5.6.2.5    加湿器変換器（単数または複数）
加湿器５０００は、上記した変換器４２７０の代わりにまたは上記した変換器４２７０に加えて１つ以上の加湿器変換器（センサ）５２１０を含み得る。加湿器変換器５２１０は、図５Ｃに示すような空気圧センサ５２１２、空気流量変換器５２１４、温度センサ５２１６または湿度センサ５２１８のうち１つ以上を含み得る。加湿器変換器５２１０は、１つ以上の出力信号を生成し得る。これらの出力信号は、コントローラ（例えば、中央コントローラ４２３０および／または加湿器コントローラ５２５０）へ通信され得る。いくつかの形態において、加湿器変換器は、出力信号をコントローラへ通信しつつ、加湿器５０００の外部に（例えば、空気回路４１７０内に）配置され得る。
【０２９３】
5.6.2.5.1      圧力変換器
１つ以上の圧力変換器５２１２が、ＲＰＴデバイス４０００内に設けられた圧力センサ４２７２に加えてまたはＲＰＴデバイス内に設けられた圧力センサ４２７２の代わりに加湿器５０００へ設けられ得る。
【０２９４】
5.6.2.5.2      流量変換器
ＲＰＴデバイス４０００内に設けられた流量センサ４２７４に加えてまたはＲＰＴデバイス内に設けられた流量センサ４２７４の代わりに、１つ以上の流量変換器５２１４が加湿器５０００へ設けられ得る。
【０２９５】
5.6.2.5.3      温度変換器
加湿器５０００は、１つ以上の温度変換器５２１６を含み得る。１つ以上の温度変換器５２１６は、１つ以上の温度（例えば、加熱要素５２４０の温度および／または加湿器出口５００４の空気流れ下流の温度）を測定するように構成され得る。いくつかの形態において、加湿器５０００は、周囲空気の温度を検出する温度センサ５２１６をさらに含み得る。
【０２９６】
5.6.2.5.4      湿度変換器
一形態において、加湿器５０００は、周囲空気などのガスの湿度を検出する１つ以上の湿度センサ５２１８を含み得る。いくつかの形態において、湿度センサ５２１８は、加湿器５０００から送達されるガスの湿度を測定するように、加湿器出口５００４に向かって配置され得る。湿度センサは、絶対湿度センサであってもよいし、あるいは相対湿度センサであってもよい。
【０２９７】
5.6.2.6    加熱要素
いくつかの場合において、加熱要素５２４０は、加湿器リザーバ５１１０中の水量および／または空気流れへの水量のうち１つ以上へ熱入力を提供する加湿器５０００へ設けられ得る。加熱要素５２４０は、電気抵抗加熱トラックなどの熱生成コンポーネントを含み得る。加熱要素５２４０の１つの適切な実施例として、例えばＰＣＴ特許出願公開第ＷＯ２０１２／１７１０７２号に記載の層状加熱要素がある。本明細書中、同文献全体を参考のため援用する。
【０２９８】
いくつかの形態において、加熱要素５２４０は、加湿器ベース５００６中へ設けられ得る。加湿器ベース５００６において、図５Ｂに示すように主に伝導により熱が加湿器リザーバ５１１０へ送られ得る。
【０２９９】
5.6.2.7    加湿器コントローラ
本技術の１つの配置によれば、加湿器５０００は、図５Ｃに示すような加湿器コントローラ５２５０を含み得る。一形態において、加湿器コントローラ５２５０は、中央コントローラ４２３０の一部であり得る。別の形態において、加湿器コントローラ５２５０は、中央コントローラ４２３０と通信し得る別個のコントローラであり得る。
【０３００】
一形態において、加湿器コントローラ５２５０は、特性（例えば、温度、湿度、圧力および／または流量）の測定を入力として受信し得る（例えばリザーバ５１１０中および／または加湿器５０００中の空気流れ、水の測定）。加湿器コントローラ５２５０は、加湿器アルゴリズムの実行または実施ならびに／あるいは１つ以上の出力信号の送達を行うようにも、構成され得る。
【０３０１】
図５Ｃに示すように、加湿器コントローラ５２５０は、１つ以上のコントローラを含み得る（例えば、中央加湿器コントローラ５２５１、加熱空気回路４１７０の温度を制御するように構成された加熱空気回路コントローラ５２５４および／または加熱要素５２４０の温度を制御するように構成された加熱要素コントローラ５２５２）。
【０３０２】
5.7      呼吸波形
図６は、睡眠時のヒトの典型的な呼吸波形のモデルを示す。水平軸は時間であり、垂直軸は呼吸流量である。パラメータ値は変動し得るため、典型的な呼吸は、以下のおおよその値を持ち得る：一回換気量、Ｖｔ、０．５Ｌ、吸息時間、Ｔｉ、１．６秒、ピーク吸気流量、Ｑピーク、０．４Ｌ／秒、呼息時間、Ｔｅ、２．４ｓ、ピーク呼気流量、Ｑピーク、−０．５Ｌ／秒。呼吸の全持続時間Ｔｔｏｔは約４秒である。人間は典型的には、１分あたり呼吸を約15回行い（ＢＰＭ）、換気Ｖｅｎｔは約７．５Ｌ／ｍｉｎである。典型的な負荷サイクル、ＴｉとＴｔｏｔの比は約４０％である。
【０３０３】
5.8    用語集
本技術の開示目的のため、本技術の特定の形態において、以下の定義のうち１つ以上が適用され得る。本技術の他の形態において、別の定義も適用され得る。
【０３０４】
5.8.1    一般
空気：本技術の特定の形態において、空気は大気を意味し得、本技術の他の形態において、空気は、他の呼吸可能なガスの組み合わせ（例えば、酸素を豊富に含む大気）を意味し得る。
【０３０５】
雰囲気：本技術の特定の形態において、「雰囲気」という用語は、（ｉ）治療システムまたは患者の外部、および（ｉｉ）治療システムまたは患者を直接包囲するものを意味するものとしてとられるべきである。
【０３０６】
例えば、加湿器に対する雰囲気湿度とは、加湿器を直接包囲する空気の湿度であり得る（例えば、患者が睡眠をとっている部屋の内部の湿度）。このような雰囲気湿度は、患者が睡眠をとっている部屋の外部の湿度と異なる場合がある。
【０３０７】
別の実施例において、雰囲気圧力は、身体の直接周囲または外部の圧力であり得る。
【０３０８】
特定の形態において、雰囲気（例えば、音響）ノイズは、例えばＲＰＴデバイスから発生するかまたはマスクまたは患者インターフェースから発生するノイズ以外の、患者の居る部屋の中の背景ノイズレベルとみなすことができる。雰囲気ノイズは、部屋の外の発生源から発生し得る。
【０３０９】
自動的な気道陽圧（ＡＰＡＰ）療法：ＳＤＢ発症の兆候の存在または不在に応じて、例えば、呼吸間に最小限界と最大限界との間で治療圧力を自動的に調節することが可能なＣＰＡＰ療法。
【０３１０】
持続的気道陽圧（ＣＰＡＰ）療法：治療圧力が患者の呼吸サイクルを通じてほぼ一定である呼吸圧療法。いくつかの形態において、気道への入口における圧力は、呼息時において若干上昇し、吸息時において若干低下する。いくつかの形態において、圧力は、患者の異なる呼吸サイクル間において変動する（例えば、部分的な上気道閉塞の兆候の検出に応答して増加され、部分的な上気道閉塞の通知の不在時において低減される）。
【０３１１】
流量：単位時間あたりに送出される空気の瞬時の量（または質量）。流量とは、瞬間の量を指し得る。場合によっては、流量について言及した場合、スカラー量（すなわち、大きさのみを有する量）を指す。他の場合において、流量について言及した場合、ベクトル量（すなわち、大きさおよび方向両方を持つ量）を指す。流量には、符号Ｑが付与され得る。「流量」を簡略的に「流れ」と呼ぶ場合もある。
【０３１２】
患者の呼吸の実施例において、流量は、患者の呼吸サイクルの吸気部分に対してノミナルに陽圧であり得るため、患者の呼吸サイクルの呼気部分に対して負であり得る。合計流量Ｑｔは、ＲＰＴデバイスから退出する空気の流量である。通気流量Ｑｖは、吐き出されたガスの流出を可能にするために通気孔から退出する空気の流量である。漏洩流量Ｑｌは、患者インターフェースシステムまたは他の場所からの漏洩の流量である。呼吸流量Ｑｒは、患者の呼吸器系中に受容される空気の流量である。
【０３１３】
加湿器：「加湿器」という単語は、患者の医療呼吸状態を改善するために治療上有益な量の水（Ｈ２Ｏ）蒸気を空気流れへ提供することが可能な物理的構造を備えて構築、配置または構成された加湿装置を意味するものとして解釈される。
【０３１４】
漏洩：「漏洩」という用語は、意図しない空気流れとしてとられる。一実施例において、漏洩は、マスクと患者の顔との間のシールが不完全であることに起因して発生し得る。別の実施例において、漏洩は、周囲に対するスイベルエルボーにおいて発生し得る。
【０３１５】
ノイズ伝導（音響）：本文書において、伝導ノイズとは、空気圧経路（例えば、空気回路および患者インターフェースおよびその内部の空気）によって患者へ搬送されるノイズを指す。一形態において、伝導ノイズは、空気回路の端部における音圧レベルを測定することにより、定量化され得る。
【０３１６】
ノイズ放射（音響）：本文書において、放射ノイズとは、周囲空気によって患者へ搬送されるノイズを指す。一形態において、放射ノイズは、当該対象の音響パワー／圧力レベルをＩＳＯ３７４４に従って測定することにより、定量化され得る。
【０３１７】
ノイズ通気（音響）：本文書において、通気ノイズとは、任意の通気（例えば、患者インターフェース中の通気孔）を通じた空気流れにより生成されるノイズを指す。
【０３１８】
患者：呼吸器疾患に罹患しているかまたはしていない人。
【０３１９】
圧力:単位面積あたりの力。圧力は、多様な単位で表現され得る（例えば、ｃｍＨ２Ｏ、ｇ−ｆ／ｃｍ２、及びヘクトパスカル）。１ｃｍＨ２Ｏは、１ｇ−ｆ／ｃｍ２に等しく、およそ０．９８ヘクトパスカルである。本明細書において、他に明記無き限り、圧力はｃｍＨ２Ｏの単位で付与される。
【０３２０】
患者インターフェース中の圧力には記号Ｐｍが付与され、現時点においてマスク圧力Ｐｍが達成すべき目標値を表す治療圧力には記号Ｐｔが付与される。
【０３２１】
呼吸圧力治療（ＲＰＴ）：雰囲気に対して典型的には陽圧である治療圧力における空気供給の気道入口への付加。
【０３２２】
人工呼吸器：患者が呼吸動作の一部または全てを行い際に圧力補助を提供する機械的デバイス。
【０３２３】
5.8.1.1    材料
シリコーンまたはシリコーンエラストマー：合成ゴム。本明細書において、シリコーンについて言及される場合、液体シリコーンゴム（ＬＳＲ）または圧縮成形シリコーンゴム（ＣＭＳＲ）を指す。市販のＬＳＲの一形態として、Ｄｏｗ  Ｃｏｒｎｉｎｇによって製造されるＳＩＬＡＳＴＩＣ（この登録商標下において販売される製品群に含まれる）がある。別のＬＳＲ製造業者として、Ｗａｃｋｅｒがある。他に逆の明記無き限り、例示的形態のＬＳＲのＡＳＴＭＤ２２４０によって測定した場合のショアＡ（またはタイプＡ）押込み硬さは、約３５〜約４５である。
【０３２４】
ポリカーボネート：ビスフェノールＡカーボネートの熱可塑性ポリマーである。
【０３２５】
5.8.1.2    機械的特性
弾性：弾性変形時にエネルギーを吸収することおよび除荷時にエネルギーを解放することが可能な材料の能力。
【０３２６】
弾性のある：除荷時に実質的に全てのエネルギーを解放する。例えば特定のシリコーンおよび熱可塑性エラストマーを含む。
【０３２７】
硬度：材料自体の変形に抵抗する能力（例えば、ヤング係数または規格化されたサンプルサイズ上において測定された押込硬さスケールによって記述されたもの）。
●    「軟性」材料は、シリコーンまたは熱可塑性エラストマー（ＴＰＥ）を含み得、例えば指圧力下において容易に変形し得る。
●    「硬質」材料は、ポリカーボネート、ポリプロピレン、鋼またはアルミニウムを含み得、例えば指圧力下において容易に変形し得ない。
【０３２８】
構造または構成要素の剛度（または剛性）：構造または構成要素が負荷を受けたときに変形に抵抗する能力。負荷は、力またはモーメントであり得る（例えば、圧縮、伸張、屈曲またはねじれ）。構造または構成要素は、異なる方向において異なる抵抗を提供し得る。
【０３２９】
フロッピー構造または構成要素：自重を支持させられた際に比較的短期間（例えば、１秒）以内に形状を変化させる（例えば、屈曲する）構造または構成要素。
【０３３０】
剛性の構造または構成要素：使用時において典型的に遭遇する負荷を受けた際に実質的に形状変化の無い構造または構成要素。このような用途の実施例として、患者インターフェースを例えばおよそ２０〜３０ｃｍＨ２Ｏの圧力の負荷において患者気道入口に対して密閉した様態でセットアップおよび維持することがあり得る。
【０３３１】
一実施例として、Ｉ形ばりは、第２の直交方向と比較した第１の方向において、異なる曲げ剛性（曲げ負荷に対する抵抗）を含み得る。別の実施例において、構造または構成要素は、第１の方向においてはフロッピーであり得、第２の方向においては剛性であり得る。
【０３３２】
5.8.2    呼吸サイクル
無呼吸：いくつかの定義によれば、無呼吸とは、所定の閾値を下回った流れが例えば１０秒間の継続期間にわたって継続した場合に発生したと言われる。閉塞性無呼吸とは、患者の労作にもかかわらず、何らかの気道閉塞により空気の流れが許されないときに発生すると言われる。中枢性無呼吸とは、気道が開通しているにも関わらず呼吸努力の低下または呼吸努力の不在に起因して無呼吸が検出された状態を指すと言われる。混合型無呼吸とは、呼吸努力の低下または不在が気道閉塞と同時発生した状態を指すと言われる。
【０３３３】
呼吸速度：患者の自発呼吸速度であり、通常は毎分あたりの呼吸回数で測定される。
【０３３４】
負荷サイクル：吸息時間Tiの合計呼吸時間Ttotに対する比。
【０３３５】
労作（呼吸）：呼吸努力は、呼吸しようとしている人の自発呼吸によって行われる動きを指すと言われる。
【０３３６】
呼吸サイクルの呼気部分：呼気流れの開始から吸気流れの開始までの期間。
【０３３７】
流量制限：流量制限は、患者による労作の増大が流量の対応する増大を引き起こさない患者の呼吸における状況であると解釈される。呼吸サイクルの吸気部分において流量制限が発生した場合、当該流量制限は吸気流量制限と称することができる。呼吸サイクルの呼気部分において流量制限が発生した場合、当該流量制限は呼気流量制限と称することができる。
【０３３８】
流れ制限吸気の波形の種類：
(i)平坦化：上昇の後に比較的平坦な部位が続いた後、下降が発生すること。
(ii)M字型：立ち上がりにおいて１つおよび立ち下がりにおいて１つの２つの局所的ピークを持ち、これら２つのピークの間に比較的平坦な部位がある。
(iii)椅子状：単一の局所的ピークを持ち、このピークが立ち上がり部分に発生した後、比較的平坦な部位が続く。
(iv)逆椅子状：比較的平坦な部位の後に単一の局所的ピークが続き、このピークが立ち下がり部分に発生する。
【０３３９】
呼吸低下：一部の定義によれば、呼吸低下は、流れの中断ではなく、流れの低下を意味する。一形態において、閾値速度を下回った流れ低下が継続期間にわたって続いた場合、呼吸低下が発生したと言われる。呼吸努力の低下に起因して呼吸低下が検出された場合、中枢性呼吸低下が発生したと言われる。成人の一形態において以下のうちいずれかが発生した場合、呼吸低下と見なされ得る：
（ｉ）患者呼吸の３０％の低下が少なくとも１０秒＋関連する４％の脱飽和、または、
（ｉｉ）患者呼吸の（５０％未満の）低下が少なくとも１０秒間継続し、関連して脱飽和が少なくとも３％であるかまたは覚醒が発生する。
【０３４０】
過呼吸：流れが通常の流量よりも高いレベルまで増加すること。
【０３４１】
呼吸サイクルの吸気部分：吸気流れの開始から呼気流れの開始までの期間が、呼吸サイクルの吸気部分としてとられる。
【０３４２】
開通性（気道）：気道が開いている度合いまたは気道が開いている範囲。気道開通性とは、開口である。気道開通性の定量化は、例えば、開通性を示す値（１）と、閉鎖（閉塞）を示す値（０）で行われ得る。
【０３４３】
呼気終末陽圧（ＰＥＥＰ）：肺中の大気を越える圧力であり、呼気終了時に存在する。
【０３４４】
ピーク流量（Ｑｐｅａｋ）：呼吸流れ波形の吸気部分における流量最大値。
【０３４５】
呼吸気流量、空気流量、患者の空気流量、呼吸気空気流量（Ｑｒ）：これらの用語は、ＲＰＴデバイスの呼吸空気流量の推定を指すものとして理解され得、通常リットル／分で表される患者の実際の呼吸流量である「真の呼吸流量」または「真の呼吸気流量」と対照的に用いられる。
【０３４６】
１回換気量（Ｖｔ）：余分な努力をせずに通常の呼吸時に吸い込まれたかまたは吐き出された空気の量である。原則的に、吸気量Ｖｉ（吸気された空気の量）は、呼気量Ｖｅ（呼気された空気の量）に等しいため、単一の一回換気量Ｖｔは、いずれかの量に等しいものとして規定され得る。実際には、一回換気量Ｖｔは、何らかの組み合わせ（例えば、吸気量Ｖｉと呼気量Ｖｅの平均）として推定される。
【０３４７】
（吸息）時間（Ｔｉ）：呼吸流量波形の吸気部分の継続期間。
【０３４８】
（呼息）時間（Ｔｅ）：呼吸流量波形の呼気部分の継続期間。
【０３４９】
（合計）時間（Ｔｔｏｔ）：呼吸流量波形の一つの吸気部分の開始と呼吸流量波形の次の吸気部分の開始との間の合計継続期間。
【０３５０】
典型的な最近の換気：所定の時間スケールにわたる換気Ventの直近値が密集する傾向となる換気値（すなわち、換気の直近値の中心の傾向の度合い）。
【０３５１】
上気道閉塞（ＵＡＯ）：部分的な上気道閉塞および合計上気道閉塞両方を含む。上気道上の圧力差の増加（スターリングレジスタ挙動）と共に流量がわずかに増加するかまたは低下し得る流量制限の状態と関連し得る。
【０３５２】
換気（Ｖｅｎｔ）：患者の呼吸器系によって行われるガス交換の総量の測定。換気の測定は、単位時間あたりの吸気および呼気流のうち片方または双方を含み得る。１分あたりの体積として表される場合、この量は、「分換気」と呼ばれることが多い。分換気は、単に体積として付与されることもあり、１分あたりの体積として理解される。
【０３５３】
5.8.3    換気
適応サーボ人工呼吸器（ＡＳＶ）：一定の目標換気を持つのではなく変更が可能なサーボ人工呼吸器。変更可能な目標換気は、患者の何らかの特性（例えば、患者の呼吸特性）から学習され得る。
【０３５４】
バックアップレート：人工呼吸器のパラメータであり、（自発呼吸努力によってトリガされない場合に）人工呼吸器から患者へ送達される最小呼吸速度（典型的には、１分あたりの呼吸数）を確立させる。
【０３５５】
サイクル：人工呼吸器の吸気フェーズの終了。自発呼吸をしている患者へ人工呼吸器から呼吸を送達する場合、呼吸サイクルの吸気部分の終了時において、当該人工呼吸器は、呼吸送達を停止するようサイクルされると言われる。
【０３５６】
呼気の気道陽圧（ＥＰＡＰ）：人工呼吸器が所与の時期に達成しようとする所望のマスク圧力の生成のために、呼吸内において変化する圧力が付加されるベース圧力。
【０３５７】
終了時呼気圧力（ＥＥＰ）：呼吸の呼気部分の終了時において人工呼吸器が達成しようとする所望のマスク圧力。圧力波形テンプレートΠ（Φ）が呼気終了時にゼロの値である（すなわち、Φ＝1のときにΠ(Φ)＝0である場合）、EEPはEPAPに等しい。
【０３５８】
吸息の気道陽圧（ＩＰＡＰ）：呼吸の吸気部分時に人工呼吸器が達成しようとする最大の所望のマスク圧力。
【０３５９】
圧力補助：人工呼吸器吸気時における当該人工呼吸器呼気時における圧力増加を示す数であり、吸気時の最大値と、ベース圧力との間の圧力差を主に意味する（例えば、ＰＳ＝ＩＰＡＰ−ＥＰＡＰ）。いくつかの文脈において、圧力補助とは、（人工呼吸器が実際に達成する差ではなく）人工呼吸器が達成しようとする差を意味する。
【０３６０】
サーボ人工呼吸器：患者換気を有しかつ目標換気を有する人工呼吸器であり、患者換気を目標換気に近づけるために圧力補助レベルを調節する。
【０３６１】
自発／タイミング（Ｓ／Ｔ）：自発呼吸している患者の呼吸の開始を検出しようとする、人工呼吸器または他のデバイスのモード。しかし、デバイスが所定期間の間に呼吸を検出できない場合、デバイスは、呼吸送達を自動的に開始する。
【０３６２】
スイング：圧力補助に相当する用語。
【０３６３】
トリガ：人工呼吸器が自発呼吸する患者へ空気の呼吸を送達する場合、患者自身が呼吸サイクルの呼吸部分を開始したとき、当該人工呼吸器が呼吸送達を行うようトリガされたと言う。
【０３６４】
5.8.4    解剖学的構造
5.8.4.1    顔の解剖学的構造
翼（Ａｌａ）：外部の外壁または各鼻穴の「翼」（複数形：ａｌａｒ）
【０３６５】
Ａｌａｒｅ：鼻翼上の最外側の点。
【０３６６】
翼曲率（または鼻翼頂上）点：各翼の曲線状基準線における最後方点であり、翼および頬の結合によって形成される折り目において見受けられる。
【０３６７】
耳介：耳の視認できる部分全体。
【０３６８】
（鼻）骨格：鼻の骨格は、鼻骨、上顎骨の前頭突起および前頭骨の鼻部分を含む。
【０３６９】
（鼻）軟骨格：鼻の軟骨格は、中隔軟骨、外側軟骨、大軟骨および小軟骨を含む。
【０３７０】
鼻柱：鼻孔を分離する皮膚片であり、鼻尖点から上唇へ延びる。
【０３７１】
鼻柱角度：鼻穴の中点を通じて引かれる線と、鼻下点と交差しつつフランクフルト水平に対して垂直に引かれる線との間の角度。
【０３７２】
フランクフォート水平面：眼窩縁の最下側点から左耳点へ延びる線。耳点は、ノッチ上側から耳介の耳珠への最も深い点である。
【０３７３】
眉間：軟組織中に配置され、前額部の正中矢状において最も顕著な点。
【０３７４】
外側鼻軟骨：軟骨の概して三角形の板。その上側周縁は鼻骨および上顎骨の前頭突起へ取り付けられ、その下側周縁は大鼻翼軟骨へ接続される。
【０３７５】
大鼻翼軟骨：軟骨の板であり、外側鼻軟骨の下側に配置される。これは、鼻孔の前方部分の周囲において曲線状になる。その後端は、３つまたは４つの翼の小軟骨を含む強靱な線維膜により、上顎骨の前頭突起へ接続される。
【０３７６】
鼻孔（鼻穴）：概して楕円体の翼穴であり、鼻腔への入口を形成する。鼻孔（ｎａｒｅｓ）の単数形は鼻孔（ｎａｒｉｓ）（鼻穴）である。これらの鼻孔は、鼻中隔によって分離される。
【０３７７】
鼻唇溝または鼻唇折り目：皮膚の折り目または溝であり、鼻の各側から口腔の角部へ延びて、頬を上唇から分離させる。
【０３７８】
鼻唇角：鼻柱と上唇との間の角度であり、鼻下点と交差する。
【０３７９】
耳基底下点：耳介の顔の皮膚への取り付けの最低点。
【０３８０】
耳基底上点：耳介の顔の皮膚への取り付けの最高点。
【０３８１】
鼻尖点：鼻の最も突出した点または先端であり、頭部の部分の残り部分の側面図中に確認され得る。
【０３８２】
人中：鼻中隔の下側境界から上唇領域中の唇の上部へ延びる正中線溝。
【０３８３】
ポゴニオン：軟組織上に配置された、顎の最前方中点。
【０３８４】
（鼻）堤：鼻堤は、鼻の正中線隆起であり、セリオンから鼻尖点へ延びる。
【０３８５】
矢状面：前方（前）から後方（後）へ続く垂直面である。正中矢状面は、右半分および左半分に分割する矢状面である。
【０３８６】
セリオン：軟組織上に配置された、前頭鼻骨縫合の領域上の最も凹状の点である。
【０３８７】
中隔軟骨（鼻）：鼻中隔軟骨は、隔膜の一部であり、鼻腔の前部分を分割する。
【０３８８】
鼻翼最下点：翼ベースの下側周縁における点であり、翼ベースは上（上）唇の皮膚と接合する。
【０３８９】
鼻下点：軟組織上に配置され、鼻柱が正中矢状における上唇と合体する点。
【０３９０】
スプラメントン：下唇中点と軟組織ポゴニオンとの間の下唇の正中線中の最も凹状の点。
【０３９１】
5.8.4.2    頭蓋骨の解剖学的構造
前頭骨：前頭骨は、前額部として知られる領域に対応する大型垂直部分である前頭鱗を含む。
【０３９２】
下顎骨：下顎骨は、下側顎部を形成する。オトガイ隆起は、顎部の骨隆起であり、顎を形成する。
【０３９３】
上顎骨：上顎骨は、上側顎部を形成し、下顎の下側および眼窩の下側に配置される。上顎骨の前頭突起は、鼻の側部によって上方に突出し、その外側境界の部分を形成する。
【０３９４】
鼻骨：鼻骨は、２つの小さな長方形骨であり、個人によってサイズおよび形態が異なる。鼻骨は、顔の中間部分および上部分に並んで配置され、その接合により鼻の「ブリッジ」を形成する。
【０３９５】
鼻根点：前頭骨および２本の鼻骨の交差であり、眼と鼻のブリッジの上側との間に直接設けられた凹領域である。
【０３９６】
後頭骨：後頭骨は、頭蓋の裏および下側部分に配置される。後頭骨は、楕円穴である大後頭孔を含み、この穴を通じて、頭蓋内腔が椎管と連痛する。大後頭孔の後側の曲面板は、後頭鱗である。
【０３９７】
眼窩：頭蓋骨中の骨空洞であり、眼球を含む。
【０３９８】
頭頂骨：頭頂骨は、相互に接合されると頭蓋の頂部および側部を形成する骨である。
【０３９９】
側頭骨：側頭骨は、頭蓋骨のベースおよび側部上に配置され、こめかみとして知られる顔の部分を支持する。
【０４００】
頬骨：顔に含まれる２つの頬骨は、顔の上側部分および外側部分中に配置され、頬の隆起を形成する。
【０４０１】
5.8.4.3    呼吸器系の解剖学的構造
横隔膜：シート状の筋肉であり、胸郭下部上に延びる。横隔膜は、心臓、肺および肋骨を含む胸腔を腹腔から分離させる。横隔膜が収縮すると、胸腔の容量が増加し、肺中に空気が引き込まれる。
【０４０２】
喉頭：声帯ひだを収容する喉頭または発声器であり、咽頭の下部（下咽頭）を気管へ接続させる。
【０４０３】
肺：ヒトにおける呼吸臓器。肺の伝導性ゾーンは、気管、気管支、気管支、および終末細気管支を含む。呼吸領域は、呼吸細気管支、肺胞管および肺胞を含む。
【０４０４】
鼻腔：鼻腔（または鼻窩）は、顔の中央の鼻の上方および後方の空気が充填された大きな空間である。鼻腔は、鼻中隔と呼ばれる垂直フィンによって２つに分割される。鼻腔の側部には、鼻甲介または鼻介骨と呼ばれる３つの水平伸長物がある。鼻腔の前方には鼻があり、後方は後鼻孔を介して鼻咽頭内に繋がる。
【０４０５】
咽頭：鼻腔の直接下側（下方）に配置されかつ食道および喉頭の上方に配置された咽喉の部分。咽頭は、従来から以下の３つの部分へ区分される：鼻咽頭（上咽頭）（咽頭の鼻部分）、口咽頭（中咽頭）（咽頭の口部分）、および咽喉（下咽頭）。
【０４０６】
5.8.5    患者インターフェース
窒息防止弁（ＡＡＶ）：マスクシステムの構成要素またはサブアセンブリであり、フェールセーフ様態での雰囲気中への開口により、患者による過度のＣＯ２の再呼吸の危険性を低減させる。
【０４０７】
エルボー：エルボーは、内部を移動する空気の流れの軸を方向付けて、角度を通じて方向を変化させる構造の実施例である。一形態において、角度はおよそ９０度であり得る。別の形態において、角度は、９０度超過または未満であり得る。エルボーは、ほぼ円形の断面を持ち得る。別の形態において、エルボーは、楕円または矩形の断面を持ち得る。特定の形態において、エルボーは、噛み合い構成要素に対して例えば約３６０度で回転可能であり得る。特定の形態において、エルボーは、噛み合い構成要素から例えばスナップ接続を介して取り外すことが可能であり得る。特定の形態において、エルボーは、製造時にワンタイムスナップを介して噛み合い構成要素へ組み付けることが可能である一方、患者が取り外すことはできない。
【０４０８】
フレーム：フレームは、ヘッドギアを接続する２つ以上の点間の引張荷重を支持するマスク構造を意味するものとしてとられる。マスクフレームは、マスク中の非気密負荷支持構造であり得る。しかし、いくつかの形態のマスクフレームは、気密であってもよい。
【０４０９】
ヘッドギア：ヘッドギアは、頭部上において使用されるように設計された、一形態の位置決めおよび安定化構造を意味するものとしてとられる。例えば、ヘッドギアは、患者インターフェースを呼吸治療の送達のために患者の顔上の所定位置に配置および保持するように構成された１つ以上の支柱、タイおよび補剛材の集合を含み得る。いくつかのタイは、柔らかい可撓性の弾性材料（例えば、発泡材料および布地の層状複合材）によって形成される。
【０４１０】
膜：膜は、典型的には肉薄の要素を意味するものとしてとられ、好適には屈曲に対して実質的に抵抗せずかつ伸縮に対しては抵抗する。
【０４１１】
プレナムチャンバ：マスクプレナムチャンバは、空間の容積を少なくとも部分的に封入する壁を有する患者インターフェースの一部を意味するものとしてとられ、容積中の空気は、加圧されて使用時において気圧を超える。シェルは、マスクプレナムチャンバの壁の一部を形成し得る。
【０４１２】
シール：名詞（「シール」）として用いられる場合は構造を指し得、動詞（「密閉（する）」）として用いられる場合はその効果を指し得る。２つの要素は、別個の「シール」要素自体を必要とすることなく両者間において「シール」するかまたは「密閉」効果を得るように、構築および／または配置され得る。
【０４１３】
シェル：シェルは、屈曲、引っ張りおよび圧縮剛性を有する曲線状の比較的肉薄構造を意味するものとしてとられる。例えば、マスクの曲線状構造壁は、シェルであり得る。いくつかの形態において、シェルはファセットされ得る。いくつかの形態において、シェルは気密であり得る。いくつかの形態において、シェルは気密でない場合もある。
【０４１４】
補剛材：補剛材は、別の構成要素の剛軟度を少なくとも１つの方向において増加させるように設計された構造構成要素を意味するものとしてとられる。
【０４１５】
支柱：支柱は、別の構成要素の圧縮抵抗を少なくとも１つの方向において増加させるように設計された構造構成要素を意味するものとしてとられる。
【０４１６】
スイベル（名詞）：構成要素のサブアセンブリであり、共通軸の周囲において好適には独立して好適には低トルク下において回転するように構成される。一形態において、スイベルは、少なくとも３６０度の角度で回転するように構成され得る。別の形態において、スイベルは、３６０度未満の角度で回転するように構成され得る。空気送達導管の文脈において用いられる場合、構成要素のサブアセンブリは好適には、一対組み合わせの円筒導管を含む。使用時において、スイベルからの空気流れの漏れはほとんど無い。
【０４１７】
タイ（名詞）：張力に抵抗するように設計された構造。
【０４１８】
通気部：（名詞）：マスクまたは導管の内部の周囲空気への空気流れを可能にする構造であり、吐き出されたガスの臨床的に有効な洗い流しを可能にする。例えば、臨床的に有効な洗い流しにおいては、約１０リットル／分〜約１００リットル／分の流量がマスク設計および治療圧力に応じて用いられ得る。
【０４１９】
5.8.6    構造の形状
本技術による製品は、１つ以上の三次元機械構造（例えば、マスククッションまたはインペラ）を含み得る。三次元構造は、二次元表面によって制限され得る。これらの表面は、関連付けられた表面の方向、位置、機能または他の何らかの特性を記述するためのラベルを用いて区別され得る。例えば、構造は、前表面、後表面、内面および外面のうち１つ以上を含み得る。別の実施例において、シール形成構造は、顔接触（例えば、外側の）表面と、別個の非顔接触（例えば、下側または内側の）表面を含み得る。別の実施例において、構造は、第１の表面および第２の表面を含み得る。
【０４２０】
三次元構造の形状および表面の説明を容易にするために、構造の表面を通じた点ｐにおける断面について先ず検討する。図３Ｂ〜図３Ｆを参照されたい。図３Ｂ〜図３Ｆは、表面上における点ｐにおける断面例と、その結果得られる平面曲線の例とを示す。図３Ｂ〜図３Ｆは、ｐにおける外向き法線ベクトルも示す。ｐにおける外向き法線ベクトルは、表面から離隔方向に延びる。いくつかの実施例において、架空の小さな人が表面上に直立している観点から、この表面について説明する。
【０４２１】
5.8.6.1    一次元における曲率
ｐにおける平面曲線の曲率は、符号（例えば、正、負）および大きさ（例えば、ｐにおいて曲線に接する円形の１／半径）を持つものとして記述され得る。
【０４２２】
正の曲率：ｐにおける曲線が外向き法線に向かって曲がる場合、その点における曲率は、正の値を持つものとしてとられる（この架空の小さな人が点ｐから立ち去る場合、上り坂を歩行する必要がある）。図３Ｂ（図３Ｃと比較して比較的大きな正の曲率）および図３Ｃ（図３Ｂと比較して比較的小さな正の曲率）を参照されたい。このような曲線を、凹状と呼ぶことが多い。
【０４２３】
ゼロ曲率：ｐにおける曲線が直線である場合、曲率はゼロとしてとられる（この架空の小さな人が点ｐから立ち去る場合、上向きでも下向きでもない水平面を歩行することができる）。図３Ｄを参照されたい。
【０４２４】
負の曲率：ｐにおける曲線が外向き法線から離隔方向に曲がる場合、その点およびその方向における曲率は、負の値を持つものとしてとられる（この架空の小さな人が点ｐから立ち去る場合、下り坂を歩行する必要がある）。図３Ｅ（図３Ｆと比較して比較的小さな負の曲率）および図３Ｆ（図３Ｅと比較して比較的大きな負の曲率）を参照されたい。このような曲線は、凸状と呼ばれることが多い。
【０４２５】
5.8.6.2    二次元表面の曲率
本技術による二次元表面上の所与の点における形状の記述は、複数の垂直断面を含み得る。複数の断面は、外向き法線（「法平面」）を含む面において表面を切断し得、各断面は、異なる方向においてとられ得る。各断面の結果、対応する曲率を有する平面曲線が得られる。その点における異なる曲率は、同一符号または異なる符号を持ち得る。その点における曲率はそれぞれ、（例えば、比較的小さな）大きさを有する。図３Ｂ〜図３Ｆ中の平面曲線は、特定の点におけるこのような複数の断面の例であり得る。
【０４２６】
主要な曲率および方向：曲線の曲率が最大値および最小値をとる法平面の方向を主要な方向と呼ぶ。図３Ｂ〜図３Ｆの実施例において、最大曲率は図３Ｂにおいて発生し、最小は図３Ｆにおいて発生するため、図３Ｂおよび図３Ｆは、主要な方向における断面である。ｐにおける主要な曲率は、主要な方向における曲率である。
【０４２７】
表面の領域：表面上の連結された点の集合。領域内のこの１組の点は、類似の特性（例えば、曲率または符号）を持ち得る。
【０４２８】
サドル領域：（上り坂または下り坂を歩行し得る架空の人が向く方向に応じて）各点において主要な曲率が反対の符号（すなわち、片方が正の符号および他方が負の符号）を有する領域。
【０４２９】
ドーム領域：各点において主要な曲率が同一符号（双方とも正（「凹状ドーム」）または双方とも負（「凸状ドーム」））を持つ領域。
【０４３０】
円筒型領域：１つの主要な曲率がゼロ（または、例えば製造公差内のゼロ）をとり、他方の主要な曲率が非ゼロである領域。
【０４３１】
平面領域：主要な曲率双方がゼロであるか（または例えば製造交差内のゼロである）表面の領域。
【０４３２】
表面の縁部：表面または領域の境界または限界。
【０４３３】
経路：本技術の特定の形態において、「経路」は、数学的−トポロジー的意味合いにおける経路（例えば、表面上におけるｆ（０）からｆ（１）への連続空間曲線）を意味するものとしてとられる。本技術の特定の形態において、「経路」は、例えば表面上の１組の点を含むルートまたはコースとして記述され得る。（架空の人の経路は、表面上において歩行する場所であり、庭の経路に類似する）。
【０４３４】
経路長さ：本技術の特定の形態において、「経路長さ」とは、表面に沿ったｆ（０）からｆ（１）への距離（すなわち、表面上の経路に沿った距離）を指すものとしてとられる。表面上の２つの点間において１つよりも多くの経路があり得、このような経路は、異なる経路長さを持ち得る。（架空の人の経路長さは、表面上を経路に沿って歩行する距離である）。
【０４３５】
直線距離：直線距離は、表面上の２つの点間の距離であるが、表面は考慮しない。平面領域上において、表面上の２つの点間の直線距離と同一の経路長さを有する表縁上の距離がある。非平面表面上において、２つの点間の直線距離と同一の経路長さを有する経路は存在し得ない。（架空の人にとって、直線距離は、「カラスが飛ぶ」距離に対応する）。
【０４３６】
5.8.6.3    空間曲線
空間曲線：平面曲線と異なり、空間曲線は、任意の特定の平面内に必ずしも存在しない。空間曲線は閉鎖され得る。すなわち、終点を有さない。空間曲線は、三次元空間の一次元ピースとみなされ得る。ＤＮＡ螺旋の鎖上を歩行している架空の人物は、空間曲線に沿って歩行する。典型的なヒトの左耳は、左手螺旋を含む（図３Ｑを参照）。典型的なヒトの右耳は、右手螺旋を含む（図３Ｒを参照）。図３Ｓは、右手螺旋を示す。構造の縁部（例えば、膜またはインペラの縁部）は、空間曲線をたどり得る。一般的に、空間曲線は、空間曲線上の各点における曲率およびねじれによって記述され得る。ねじれとは、平面から発生する曲線の様態の尺度である。ねじれは、符号および大きさを有する。空間曲線上の点におけるねじれは、当該点における接線ベクトル、法線ベクトルおよび従法線ベクトルに対して特徴付けられ得る。
【０４３７】
接線単位ベクトル（または単位接線ベクトル）：曲線上の各点について、当該点におけるベクトルは、当該点からの方向および大きさを指定する。接線単位ベクトルとは、当該点における曲線と同じ方向を向く単位ベクトルである。架空の人物が曲線に沿って飛行しており、特定の点において自身の車両から落ちた場合、接線ベクトルの方向は、その人物が移動しているはずの方向である。
【０４３８】
単位法線ベクトル：架空の人物が曲線に沿って移動している場合、この接線ベクトルそのものが変化する。接線ベクトルが変化している方向と同じ方向を向く単位ベクトルは、単位主法線ベクトルと呼ばれる。これは、接線ベクトルに対して垂直である。
【０４３９】
従法線単位ベクトル：従法線単位ベクトルは、接線ベクトルおよび主法線ベクトル双方に対して垂直である。その方向は、右手の法則（例えば図３Ｐを参照）または表すあるいは左手の法則（図３Ｏ）によって決定され得る。
【０４４０】
接触平面：単位接線ベクトルおよび単位主法線ベクトルを含む平面。図３Ｏおよび図３Ｐを参照されたい。
【０４４１】
空間曲線のねじれ：空間曲線の点におけるねじれとは、当該点における従法線単位ベクトルの変化速度の大きさである。これは、曲線の接触平面からの逸脱の程度を測定する。平面内にある空間曲線のねじれはゼロである。空間曲線の接触平面からの逸脱が比較的少量である場合、その空間曲線のねじれの大きさは比較的小さい（例えば、緩やかに傾斜する螺旋状経路）。空間曲線の接触平面からの逸脱が比較的大量である場合、その空間曲線のねじれの大きさは比較的大きい（例えば、急勾配に傾斜する螺旋状経路）。図３Ｓを参照して、Ｔ２＞Ｔ１であるため、図３Ｓの螺旋の最上部コイルの近隣のねじれの大きさは、図３Ｓの螺旋の最下部コイルのねじれの大きさよりも大きい。
【０４４２】
図３Ｐの右手の法則を参照して、右手従法線の方向に向かって曲がる空間曲線は、右手方向に正のねじれとしてみなされ得る（例えば、図３Ｓに示すような右手螺旋）。右手従法線方向から離隔方向を向く空間曲線は、右手の負のねじれを持つものとしてみなされ得る（例えば、左手螺旋）。
【０４４３】
同様に、左手の法則（図３Ｏを参照）を参照して、左手従法線方向を向く空間曲線は、左手の正のねじれ（例えば、左手螺旋）を持つものとしてみなされ得る。よって、左手の正の方向は、右手の負の方向に相当する。図３Ｔを参照されたい。
【０４４４】
5.8.6.4    穴
表面は、一次元穴を持ち得る（例えば、平面曲線または空間曲線によって境界付けられた穴）。穴を含む肉薄構造（例えば、膜）の場合、この構造は、一次元穴を有するものとして記述され得る。例えば、図３Ｉに示す構造の表面中の一次元穴が平面曲線によって境界付けられる様子を参照されたい。
【０４４５】
構造は、二次元穴（例えば、表面によって境界付けられた穴）を持ち得る。例えば、可膨張性タイヤは、タイヤ内面によって境界付けられた二次元穴を有する。別の実施例において、空気またはゲルのための空洞を備えたブラダーは、二次元穴を持ち得る。例えば図３Ｌのクッション、および二次元穴を境界付ける内面が示される図３Ｍおよび図３Ｎにおける図３Ｌの例示的断面を参照されたい。さらに別の実施例において、導管は、（例えばその入口またはその出口において）一次元穴を含み得、導管の内面によって境界付けられた二次元穴を含み得る。図３Ｋに示す構造を通じておりかつ図示のように表面によって境界付けられた二次元穴も参照されたい。
【０４４６】
5.9    他の注意事項
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０４４７】
さらに、本明細書中に値（単数または複数）が本技術の一部として具現される場合、他に明記無き限り、このような値が近似され得、実際的な技術的実行が許容または要求する範囲まで任意の適切な有効桁までこのような値を用いることが可能であると理解される。
【０４４８】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０４４９】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０４５０】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０４５１】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していない、認めるものと解釈されるべきではない。さらに、記載の公開文献の日付は、実際の公開文献の日付と異なる場合があり、個別に確認が必要であり得る。
【０４５２】
「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素またはステップが明記されていない他の要素、構成要素またはステップと共に存在、利用または結合され得ることを示す。
【０４５３】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０４５４】
本明細書中の技術について、特定の実施例を参照して述べてきたが、これらの実施例は本技術の原理および用途を例示したものに過ぎないことが理解されるべきである。いくつかの場合において、用語および記号は、本技術の実施に不要な特定の詳細を示し得る。例えば、「first(第１の)」および「second(第２の)」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその様態を同時にまたはさらに同期的に行うことが可能であることを認識する。
【０４５５】
よって、本技術の意図および範囲から逸脱することなく、例示的な実施例において多数の変更例が可能であり、また、他の配置構成が考案され得ることが理解されるべきである。
【符号の説明】
【０４５６】
5.10    参照符号のリスト
1000  患者
1100  同床者
3000  患者インターフェース
3001  患者インターフェースチャンバ
3002  サブアセンブリ
3100  シール形成構造
3101  鼻部位
3102  口部位
3103  鼻部位孔
3104  口部位孔
3105  鼻部位孔分割器
3200  プレナムチャンバ
3201  プレナムチャンバ孔
3202  接続リム
3203  スロット
3204  戻り止め
3210  腱
3220  上点
3230  下点
3300  位置決めおよび安定化構造
3301  クリップ
3302  上方タイ
3303  下方タイ
3304  後方部位
3305  クリップ磁石
3306  クロスバー
3307  オーバーハング
3400  通気部
3401  プレナムチャンバ通気孔
3600  接続ポート
3700  前額支持部
3800  導管コネクタ
3801  導管コネクタハウジング
3802  導管コネクタ端
3803  導管コネクタ入口孔
3804  導管コネクタ出口孔
3805  バッフル
3806  導管コネクタスペーサ
3807  導管コネクタ取付構造
3808  導管コネクタ出口
3830  導管コネクタ通気出口
3831  導管コネクタ通気孔
3832  導管コネクタ通気入口
3833  導管コネクタ通気スペーサ
3850  窒息防止弁アセンブリ
3851  窒息防止弁フラップ
3852  窒息防止弁孔
3853  窒息防止弁フラップコネクタ孔
3854  窒息防止弁フラップコネクタ
3855  窒息防止弁孔分割器
3856  窒息防止弁フラップヒンジ
3860  中間導管コネクタ入口シール
3861  導管コネクタ出口シール
3870  拡散器カバー
3871  拡散器キャビティ
3880  下方タイタブ
3881  クリップレシーバ
3882  ノッチ
3883  可撓性部分
3884  タブコネクタ
3885  フランジ
3886  凹部
3887  フランジ開口部
3890  第１のタブ
3891  第２のタブ
3892  キャッチ
3893  隙間
3900  導管
3901  スリーブ
3902  タイコネクタ
3903  接続ポートハウジング
3904  蛇腹セクション
4000  ＲＰＴデバイス
4010  外部ハウジング
4012  内側部位
4014  下部
4015  パネル
4016  シャーシ
4018  ハンドル
4020  空気圧ブロック
4110  空気フィルタ
4112  入口空気フィルタ
4114  出口空気フィルタ
4120  マフラー
4122  入口マフラー
4124  出口マフラー
4140  圧力生成器
4142  送風機
4144  モータ
4160  アンチスピルバック弁
4170  空気回路
4180  補充酸素
4200  電気部品
4202  プリント回路基板アセンブリ(PBCA)
4210  電源
4220  入力デバイス
4230  中央コントローラ
4232  時計
4240  治療デバイスコントローラ
4250  保護回路
4260  メモリ
4270  変換器
4272  圧力センサ
4274  流量センサ
4276  モータ速度変換器
4280  データ通信インターフェース
4282  遠隔外部通信ネットワーク
4284  ローカル外部通信ネットワーク
4286  遠隔外部デバイス
4288  ローカル外部デバイス
4290  出力デバイス
4292  ディスプレイドライバ
4294  ディスプレイ
5000  加湿器
5002  加湿器入口
5004  加湿器出口
5006  加湿器ベース
5110  加湿器リザーバ
5110  リザーバ
5120  伝導性部位
5130  加湿器リザーバドック
5135  ロックレバー
5150  水位インジケータ
5210  加湿器変換器
5212  空気圧力センサ
5214  流量変換器
5216  温度センサ
5218  湿度センサ
5240  加熱要素
5250  加湿器コントローラ
5251  中央加湿器コントローラ
5252  加熱要素コントローラ
5254  空気回路コントローラ
7700  エルボーアセンブリ
7710  エルボー部材
7720  通気孔
7730  クリップ部材
7740  ピンチアーム
7750  キャッチ部位
7760  接続部位
7780  ボタンまたはトリガ部位
7781  指用把持部位
7790  スイベルコネクタ
7900  リング部材
【図１Ａ】
2021506463.tif 000007
【図１Ｂ】
2021506463.tif 000008
【図１Ｃ】
2021506463.tif 000009
【図２Ａ】
2021506463.tif 000010
【図２Ｂ】
2021506463.tif 000011
【図２Ｃ】
2021506463.tif 000012
【図２Ｄ】
2021506463.tif 000013
【図２Ｅ】
2021506463.tif 000014
【図２Ｆ】
2021506463.tif 000015
【図２Ｇ】
2021506463.tif 000016
【図２Ｈ】
2021506463.tif 000017
【図２Ｉ】
2021506463.tif 000018
【図２Ｊ】
2021506463.tif 000019
【図２Ｋ】
2021506463.tif 000020
【図２Ｌ】
2021506463.tif 000021
【図３Ａ】
2021506463.tif 000022
【図３Ｂ】
2021506463.tif 000023
【図３Ｃ】
2021506463.tif 000024
【図３Ｄ】
2021506463.tif 000025
【図３Ｅ】
2021506463.tif 000026
【図３Ｆ】
2021506463.tif 000027
【図３Ｇ】
2021506463.tif 000028
【図３Ｈ】
2021506463.tif 000029
【図３Ｉ】
2021506463.tif 000030
【図３Ｊ】
2021506463.tif 000031
【図３Ｋ】
2021506463.tif 000032
【図３Ｌ】
2021506463.tif 000033
【図３Ｍ】
2021506463.tif 000034
【図３Ｎ】
2021506463.tif 000035
【図３Ｏ】
2021506463.tif 000036
【図３Ｐ】
2021506463.tif 000037
【図３Ｑ】
2021506463.tif 000038
【図３Ｒ】
2021506463.tif 000039
【図３Ｓ】
2021506463.tif 000040
【図３Ｔ】
2021506463.tif 000041
【図３Ｕ】
2021506463.tif 000042
【図３Ｖ】
2021506463.tif 000043
【図３Ｗ】
2021506463.tif 000044
【図３Ｘ】
2021506463.tif 000045
【図４Ａ】
2021506463.tif 000046
【図４Ｂ】
2021506463.tif 000047
【図４Ｃ】
2021506463.tif 000048
【図５Ａ】
2021506463.tif 000049
【図５Ｂ】
2021506463.tif 000050
【図５Ｃ】
2021506463.tif 000051
【図６】
2021506463.tif 000052
【図７】
2021506463.tif 000053
【図８】
2021506463.tif 000054
【図９】
2021506463.tif 000055
【図１０】
2021506463.tif 000056
【図１１】
2021506463.tif 000057
【図１２】
2021506463.tif 000058
【図１３】
2021506463.tif 000059
【図１４】
2021506463.tif 000060
【図１５】
2021506463.tif 000061
【図１６】
2021506463.tif 000062
【図１７】
2021506463.tif 000063
【図１８】
2021506463.tif 000064
【図１９】
2021506463.tif 000065
【図２０】
2021506463.tif 000066
【図２１】
2021506463.tif 000067
【図２２】
2021506463.tif 000068
【図２３】
2021506463.tif 000069
【図２４】
2021506463.tif 000070
【図２５】
2021506463.tif 000071
【図２６】
2021506463.tif 000072
【図２７】
2021506463.tif 000073
【図２８】
2021506463.tif 000074
【図２９】
2021506463.tif 000075
【図３０】
2021506463.tif 000076
【図３１】
2021506463.tif 000077
【図３２】
2021506463.tif 000078
【図３３】
2021506463.tif 000079
【図３４】
2021506463.tif 000080
【図３５】
2021506463.tif 000081
【図３６】
2021506463.tif 000082
【図３７】
2021506463.tif 000083
【図３８】
2021506463.tif 000084
【図３９】
2021506463.tif 000085
【図４０】
2021506463.tif 000086
【図４１】
2021506463.tif 000087
【図４２】
2021506463.tif 000088
【図４３】
2021506463.tif 000089
【図４４】
2021506463.tif 000090
【図４５】
2021506463.tif 000091
【図４６】
2021506463.tif 000092
【図４７】
2021506463.tif 000093
【図４８】
2021506463.tif 000094
【図４９】
2021506463.tif 000095
【図５０】
2021506463.tif 000096
【図５１】
2021506463.tif 000097
【図５２】
2021506463.tif 000098
【図５３】
2021506463.tif 000099
【図５４】
2021506463.tif 000100
【図５５】
2021506463.tif 000101
【図５６】
2021506463.tif 000102
【図５７】
2021506463.tif 000103
【図５８】
2021506463.tif 000104
【図５９】
2021506463.tif 000105
【図６０】
2021506463.tif 000106
【図６１】
2021506463.tif 000107
【図６２】
2021506463.tif 000108
【図６３】
2021506463.tif 000109
【図６４】
2021506463.tif 000110
【図６５】
2021506463.tif 000111
【図６６】
2021506463.tif 000112
【図６７】
2021506463.tif 000113
【図６８】
2021506463.tif 000114
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
患者インターフェースであって、
周囲空気圧力を超える少なくとも６ｃｍＨ２Ｏの治療圧力まで加圧可能な患者インターフェースチャンバを少なくとも部分的に形成するプレナムチャンバであって、前記プレナムチャンバは、第１のプレナムチャンバ孔と第２のプレナムチャンバ孔とを含み、前記第１のプレナムチャンバ孔および前記第２のプレナムチャンバ孔はそれぞれ、患者による呼吸のために治療圧力における空気流れを受容するようなサイズおよび構造にされた、プレナムチャンバと、
患者の気道への入口を包囲する患者の顔領域に対してシールを形成するように構築および配置されたシール形成構造であって、前記シール形成構造は、少なくとも１つの孔を内部に有することにより、前記治療圧力における空気流れが少なくとも患者の鼻孔への入口に送達されるようにし、前記シール形成構造は、使用時において患者の呼吸サイクル全体において前記治療圧力を患者インターフェースチャンバ内に維持するように構築および配置される、シール形成構造と、
それぞれが、患者による呼吸のために前記治療圧力における空気流れを受容するようなサイズおよび構造にされた第１の導管および第２の導管であって、前記第１の導管および第２の導管はシリコンから構成される、第１の導管および第２の導管と、
第１の導管を第１のプレナムチャンバ孔に空気圧的に接続させて患者による呼吸のために前記患者インターフェースチャンバへ前記治療圧力における空気流れを提供するように構成された第１の導管コネクタ、および、第２の導管を第２のプレナムチャンバ孔に空気圧的に接続させて患者による呼吸のために前記患者インターフェースチャンバへ前記治療圧力における空気流れを提供するように構成された第２の導管コネクタであって、前記第１の導管コネクタおよび第２の導管コネクタは比較的高剛性のプラスチック材料から構成される、第１の導管コネクタおよび第２の導管コネクタと、
前記シール形成構造を患者頭部上の治療的に有効な位置に保持するための力を提供する位置決めおよび安定化構造であって、前記位置決めおよび安定化構造は、少なくとも１つのタイを含む、位置決めおよび安定化構造とを含み、
前記第１の導管コネクタおよび前記第２の導管コネクタはそれぞれ、前記第１のプレナムチャンバ孔および前記第２のプレナムチャンバ孔を通じた加圧空気流れが無い場合に患者が自身の口腔を通じて雰囲気から呼吸することを可能にするように構成された窒息防止弁を含み、
前記第１の導管コネクタおよび第２の導管コネクタのそれぞれは、前記第１の導管および第２の導管の対応するいずれかに接続する導管接続端をさらに含み、
前記第１の導管コネクタおよび前記第２の導管コネクタのそれぞれは、前記第１の導管コネクタおよび前記第２の導管コネクタを、それぞれ前記第１のプレナムチャンバ孔および前記第２のプレナムチャンバ孔において前記プレナムチャンバに解放可能に接続する第１のタブおよび第２のタブをさらに含み、
前記第１のタブおよび前記第２のタブは、前記第１の導管コネクタおよび前記第２の導管コネクタが、前記第１のタブを前記プレナムチャンバと係合した後、前記第２のタブを前記プレナムチャンバと係合することによってのみ前記プレナムチャンバに接続可能であるように構成される、患者インターフェース。
【請求項２】
前記第１の導管コネクタおよび前記第２の導管コネクタのそれぞれにおける前記窒息防止弁は、窒息防止弁孔を含む、請求項１に記載の患者インターフェース。
【請求項３】
それぞれの前記窒息防止弁孔は、他の窒息防止弁孔が塞いでいる場合に患者の呼吸を可能にするような形状および寸法にされる、請求項２に記載の患者インターフェース。
【請求項４】
前記第１の導管コネクタおよび前記第２の導管コネクタのそれぞれにおける前記窒息防止弁は、窒息防止弁フラップをさらに含む、請求項２〜３のいずれか一項に記載の患者インターフェース。
【請求項５】
前記第１の導管コネクタおよび前記第２の導管コネクタのそれぞれにおける前記窒息防止弁フラップは、閉鎖位置にある前記第１の導管コネクタおよび前記第２の導管コネクタの対応するいずれかの前記窒息防止弁孔を塞ぐことにより、前記第１の導管コネクタおよび前記第２の導管コネクタの対応するいずれかを通じて移動する前記治療圧力における空気流れが、前記患者インターフェースチャンバへ方向づけられかつ患者の全体呼吸サイクルにかけて前記窒息防止弁孔を介して雰囲気へ漏れることを防止するように構成される、請求項４に記載の患者インターフェース。
【請求項６】
開放位置において、前記第１の導管コネクタおよび前記第２の導管コネクタのそれぞれにおける前記窒息防止弁フラップは、前記第１のプレナムチャンバ孔および前記第２のプレナムチャンバ孔を通じた加圧空気流れが無い場合に、前記第１の導管コネクタおよび前記第２の導管コネクタの対応するいずれかの前記窒息防止弁孔を介して患者が雰囲気から口呼吸することを可能にするように構成される、請求項４〜５のいずれか一項に記載の患者インターフェース。
【請求項７】
前記第１の導管コネクタおよび前記第２の導管コネクタのそれぞれにおける前記窒息防止弁孔は、対応する前記窒息防止弁フラップが前記窒息防止弁孔を通過することを防止する窒息防止弁孔分割器によって分割される、請求項４〜６のいずれか一項に記載の患者インターフェース。
【請求項８】
前記第１の導管コネクタおよび前記第２の導管コネクタのそれぞれにおける前記窒息防止弁は、互いに独立に作動するように構成される、請求項１〜７のいずれか一項に記載の患者インターフェース。
【請求項９】
前記プレナムチャンバは、複数のプレナムチャンバ通気孔を含む、請求項１〜１０のいずれか一項に記載の患者インターフェース。
【請求項１０】
前記第１の導管コネクタおよび前記第２の導管コネクタのそれぞれと、前記第１のプレナムチャンバ孔および前記第２のプレナムチャンバ孔の対応するいずれかとの間のシールをさらに含む、請求項１〜９のいずれか一項に記載の患者インターフェース。
【請求項１１】
前記シールは、前記第１の導管コネクタおよび前記第２の導管コネクタのそれぞれにおいて形成され得、前記シールは、前記第１のプレナムチャンバ孔および前記第２のプレナムチャンバ孔の対応するいずれかにおいて前記プレナムチャンバを係合するように構成される、請求項１０に記載の患者インターフェース。
【請求項１２】
前記シールは、前記第１の導管コネクタおよび前記第２の導管コネクタの対応するいずれかに恒久的に接合される、請求項１１に記載の患者インターフェース。
【請求項１３】
前記シールは、シリコーンによって構成される、請求項１０〜１２のいずれか一項に記載の患者インターフェース。
【請求項１４】
前記位置決めおよび安定化構造は、一対の上方タイをさらに含み、前記上方タイのそれぞれは、使用時において前記上方タイの少なくとも一部が患者の頭部の耳基底上点の上方の患者の頭部の領域に載置されるように構築および配置され、
前記位置決めおよび安定化構造は、一対の下方タイをさらに含み、前記下方タイのそれぞれは、使用時において前記下方タイの少なくとも一部が患者の頭部の耳基底下点の下方の患者の頭部の領域に載置されるように構築および配置される、請求項１〜１３のいずれか一項に記載の患者インターフェース。
【請求項１５】
前記下方タイの対応するいずれかに接続するようにそれぞれ構成された一対の下方タイタブをさらに含み、
前記第１の導管コネクタおよび前記第２の導管コネクタのそれぞれは、前記下方タイタブの対応するいずれかに接続するように構成されたフランジをさらに含む、請求項１４に記載の患者インターフェース。
【請求項１６】
前記フランジのそれぞれは、フランジ開口部と凹部とをさらに含み、
前記下方タイタブのそれぞれは、前記下方タイタブのそれぞれを、前記対応するフランジ開口部を通過して前記対応する凹部に係合することによって前記フランジの対応するいずれかに接合するように構成されたタブコネクタをさらに含む、請求項１５に記載の患者インターフェース。
【請求項１７】
前記下方タイのそれぞれに接続するように構成されたクリップをさらに含み、
前記下方タイタブのそれぞれは、前記下方タイを接続させる前記クリップの対応するいずれかに取り外し可能に接続するように構成されたクリップレシーバをさらに含む、請求項１５または１６に記載の患者インターフェース。
【請求項１８】
前記クリップのそれぞれおよび前記クリップレシーバのそれぞれは、取り外し可能な接続を促進させるべく配向および荷電された磁石を含む、請求項１７に記載の患者インターフェース。
【請求項１９】
前記クリップレシーバのそれぞれは、ノッチを含み、前記クリップのそれぞれは、突出部を含み、それぞれの突出部は、対応するノッチと係合して、前記対応するクリップレシーバに対するクリップの回転を制限するように構成される、請求項１７又は１８に記載の患者インターフェース。
【請求項２０】
前記第１のタブおよび前記第２のタブは、前記第１の導管コネクタおよび前記第２の導管コネクタが、前記第２のタブを前記プレナムチャンバから係合解除した後、前記第１のタブを前記プレナムチャンバから係合解除することによってのみ前記プレナムチャンバから接続解除可能であるように構成される、請求項１〜１９のいずれか一項に記載の患者インターフェース。
【請求項２１】
前記プレナムチャンバは、前記第１のプレナムチャンバ孔および前記第２のプレナムチャンバ孔のそれぞれの近位のスロットをさらに含み、
前記第１の導管コネクタおよび前記第２の導管コネクタのそれぞれの前記第１のタブは、前記第１のプレナムチャンバ孔および前記第２のプレナムチャンバ孔の対応するいずれかと連動している前記スロットに係合するように構成され、
前記第１の導管コネクタおよび前記第２の導管コネクタのそれぞれは、前記第１の導管コネクタおよび前記第２の導管コネクタのそれぞれの前記第１のタブが前記対応するスロットと係合している場合に、前記対応するスロットを中心に回転可能である、請求項１〜２０のいずれか一項に記載の患者インターフェース。
【請求項２２】
前記プレナムチャンバは、前記第１のプレナムチャンバ孔および前記第２のプレナムチャンバ孔のそれぞれの近位の戻り止めをさらに含み、
前記第１の導管コネクタおよび前記第２の導管コネクタのそれぞれの前記第２のタブは、キャッチをさらに含み、前記キャッチは、前記第１のプレナムチャンバ孔および前記第２のプレナムチャンバ孔の対応するいずれかと連動している前記戻り止めをスナップ嵌めで係合するように構成される、請求項２１に記載の患者インターフェース。
【請求項２３】
前記第１の導管コネクタおよび前記第２の導管コネクタのそれぞれの前記第２のタブは、可撓性である、請求項２２に記載の患者インターフェース。
【請求項２４】
前記第１の導管コネクタおよび前記第２の導管コネクタのそれぞれは、前記対応する第２のタブの両側にギャップをさらに含み、これにより、前記第２のタブが前記第１の導管コネクタおよび前記第２の導管コネクタのそれぞれからカンチレバーされるようにする、請求項２２または２３のいずれか一項に記載の患者インターフェース。
【請求項２５】
前記シール形成構造は、患者の鼻孔の周囲を密閉するように構成された鼻部位と、患者の口の周囲を密閉するように構成された口部位とをさらに含む、請求項１〜２４のいずれか一項に記載の患者インターフェース。
【請求項２６】
前記第１の導管および前記第２の導管のそれぞれが接続ポートハウジングと空気圧連通している、接続ポートハウジングと、
前記接続ポートハウジングに接続している接続ポートとをさらに含み、前記接続ポートは、前記治療圧力における空気流れを受容すべく空気回路に接続されるように構成される、請求項１〜２５のいずれか一項に記載の患者インターフェース。
【請求項２７】
前記接続ポートは、エルボーをさらに含む、請求項２６に記載の患者インターフェース。
【請求項２８】
前記接続ポートは、少なくとも１つの通気孔をさらに含む、請求項２６又は２７に記載の患者インターフェース。
【請求項２９】
前記接続ポートは、前記接続ポートハウジングに旋回可能に接続される、請求項２６〜２８のいずれか一項に記載の患者インターフェース。
【請求項３０】
前記接続ポートおよび前記接続ポートハウジングは、使用時に患者頭部の上方に配置されるように構成される、請求項２６〜２９のいずれか一項に記載の患者インターフェース。
【国際調査報告】
2021506463.tif 000115
2021506463.tif 000116
2021506463.tif 000117
2021506463.tif 000118
2021506463.tif 000119
2021506463.tif 000120
2021506463.tif 000121
2021506463.tif 000122
2021506463.tif 000123
2021506463.tif 000124
2021506463.tif 000125
2021506463.tif 000126
2021506463.tif 000127
2021506463.tif 000128
2021506463.tif 000129
2021506463.tif 000130
2021506463.tif 000131
2021506463.tif 000132
2021506463.tif 000133
2021506463.tif 000134
2021506463.tif 000135
2021506463.tif 000136
2021506463.tif 000137
2021506463.tif 000138
2021506463.tif 000139
2021506463.tif 000140
2021506463.tif 000141
2021506463.tif 000142
2021506463.tif 000143
2021506463.tif 000144
2021506463.tif 000145
2021506463.tif 000146